(57)【要約】【課題】  差込片が確実にハンドルに当り該ハンドルと保持され部の間に確実に挟まれる安全性を実現し、テーブル部のテーブル状態保持強度が損なわれず、差込部により保持され部の強靭性が強化されるハンドル用テーブルを提供することを目的としている。【解決手段】  片差込奥支持部９ａあるいは９ｂに差し込まれて下向きに折り下げられた状態でハンドルＡと保持され部２に挟まれた奥差込片５とテーブル下支持部３によってテーブル部４のテーブル状態が保持されるようになっていて、奥差込片５の横幅が該５の左右がハンドルＡの左右に当る横幅である、構成となっている。【選択図】図１
2008168750.tif 000002
【特許請求の範囲】
【請求項１】
テーブル状態において、
ハンドル上に保持される保持され部と、
この保持され部に連絡されたテーブル下支持部と、
このテーブル下支持部に連絡された奥側を前記保持され部に支持されるテーブル部と、
このテーブル部の奥側に設けられた１つのみの奥差込片と、
前記保持され部と前記テーブル支持部の区切りである第１横向き折部と、
前記テーブル下支持部と前記テーブル部の区切りである第２横向き折部と、
前記テーブル部と前記奥差込片の区切りである第３横向き折部と、
前記保持され部の中途に設けられた前記奥差込片が差し込まれる片差込奥支持部とからなり、
前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、
前記奥差込片の横幅が該奥差込片の左右がハンドルの左右表側に当る横幅であることを特徴とするハンドル用テーブル。  
【請求項２】
テーブル状態において、
ハンドル上に保持される保持され部と、
この保持され部の下部に連絡されたテーブル下支持部と、
このテーブル下支持部に連絡された奥側を前記保持され部に支持されるテーブル部と、
このテーブル部の奥側に設けられた１つのみの奥差込片と、
前記保持され部と前記テーブル支持部の区切りである第１横向き折部と、
前記テーブル下支持部と前記テーブル部の区切りである第２横向き折部と、
前記テーブル部と前記差込片の区切りである第３横向き折部と、
前記保持され部の中途に設けられた前記奥差込片が差し込まれる片差込奥支持部と、からなり、
前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、
前記片差込奥支持部および前記奥差込片が左右いずれか一方の側に寄って配置され、
前記奥差込片の横幅が前記保持され部の横幅の１／２以上の横幅であり且つ該奥差込片がハンドルの左右一方の表側に当ることを特徴とするハンドル用テーブル。  
【請求項３】
テーブル状態において、
ハンドル上に保持される保持され部と、
この保持され部に連絡されたテーブル下支持部と、
このテーブル下支持部に連絡された奥側を前記保持され部に支持されるテーブル部と、
このテーブル部の奥側に設けられた１つのみの奥差込片と、
前記テーブル部に前記奥差込片から距離をあけて設けられた短片突起部と、
前記保持され部と前記テーブル支持部の区切りである第１横向き折部と、
前記テーブル下支持部と前記テーブル部の区切りである第２横向き折部と、
前記テーブル部と前記奥差込片の区切りである第３横向き折部と、
前記保持され部に設けられた前記奥差込片が差し込まれる片差込奥支持部と、
前記保持され部に設けられた前記短片突起部が入る突起入り孔と、からなり、
前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、
前記奥差込片が左右いずれか一方の側に寄って配置され、
前記片差込奥支持部に差し込まれた前記奥差込片がハンドルの左右一方の表側に当り、
前記片差込奥支持部に差込折られた前記奥差込片と前記突起入り孔に入っている短片突起部とによって前記テーブル部のテーブル状態が保持されるようにしてなることを特徴とするハンドル用テーブル。  
【請求項４】
テーブル状態において、
ハンドル上に保持される保持され部と、
この保持され部に支持されるテーブル支持部と、
このテーブル支持部と前記保持され部に支持されてテーブル状態となるテーブル部と、
前記テーブル支持部あるいは前記テーブル部に設けられた差込片と、
この差込片の側部に縦向き折部で区切られ設けられた該差込片に該縦向き折部で折り重ねることができる重ね差込開き片と、
前記保持され部に設けられた前記差込片に前記重ね差込開き片を折り重ね状態にして差し込まれる片差込支持部と、からなり、
前記片差込支持部に前記差込片とともに差し込まれた前記重ね差込開き片が前記保持され部裏側で開いて、前記保持され部裏壁に当って前記片差込支持部から前記差込片が抜けないようにしてなり、且つ、前記片差込支持部への前記差込片の差込支持により前記テーブル部のテーブル状態が保持されるようにしてなることを特徴とするハンドル用テーブル。  
【請求項５】
テーブル状態において、
ハンドル上に保持される保持され部と、
この保持され部の下部側で支持されるテーブル下支持部と、
このテーブル下支持部に連絡され下方から手前側を支持され且つ前記保持され部に奥側を支持されてテーブル状態となるテーブル部と、
前記テーブル下支持部と前記テーブル部を区切る横向き折部と、
前記テーブル下支持部に設けられた下差込片と、
この下差込片の横に縦向き折部で区切られ設けられた該下差込片に該縦向き折部で折り重ねることができる重ね差込開き片と、
前記保持され部の下方に設けられた前記下差込片に前記重ね差込開き片を重ね状態にして差し込まれる片差込下支持部と、からなり、
前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブル。  
【請求項６】
テーブル状態において、
ハンドル上に保持される保持され部と、
この保持され部の下部側で支持されるテーブル下支持部と、
このテーブル下支持部に下方から手前側を支持され且つ前記保持され部に奥側を支持されてテーブル状態となるテーブル部と、
前記テーブル下支持部に設けられた上差込片と、
この上差込片の横に縦向き折部で区切られ設けられた該上差込片に該縦向き折部で折り重ねることができる重ね差込開き片と、
前記テーブル部の手前側に設けられた前記上差込片に前記重ね差込開き片を重ね状態にして差し込まれる片差込上支持部と、からなり、
前記片差込上支持部に前記上差込片とともに差し込まれた前記重ね差込開き片が前記テーブル部上で開いて前記片差込上支持部から前記上差込片が抜けないようにしてなることを特徴とするハンドル用テーブル。  
【請求項７】
テーブル状態において、
ハンドル上に保持される保持され部と、
この保持され部の下部側で支持されるテーブル下支持部と、
このテーブル下支持部に下方から手前側を支持され且つ前記保持され部に奥側を支持されてテーブル状態となるテーブル部と、
前記テーブル下支持部の上部側に設けられた上差込片と、
前記テーブル下支持部の下部側に設けられた下差込片と、
前記上差込片と前記下差込片の横に縦向き折部で区切られ設けられた該各差込片に該縦向き折部で折り重ねることができる重ね差込開き片と、
前記テーブル部の手前側に設けられた前記上差込片に前記重ね差込開き片を重ね状態にして差し込まれる片差込上支持部と、
前記保持され部の下方側に設けられた前記下差込片に前記重ね差込開き片を重ね状態にして差し込まれる片差込下支持部と、からなり、
前記片差込上支持部に前記上差込片とともに差し込まれた前記重ね差込開き片が前記テーブル部上で開いて、前記片差込上支持部から前記上差込片が抜けないようにしてなり、
前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブル。
【請求項８】
テーブル状態において、
ハンドル上に保持される保持され部と、
この保持され部の下部側で支持されるテーブル下支持部と、
このテーブル下支持部に下方から手前側を支持され且つ前記保持され部に奥側を支持されてテーブル状態となるテーブル部と、
前記テーブル下支持部の上部側に設けられた上差込片と、
前記テーブル下支持部の下部側に設けられた下差込片と、
前記テーブル部の奥側に設けられた奥差込片と、
前記上差込片と前記下差込片と前記奥差込片の横に縦向き折部で区切られ設けられた該各差込片に該縦向き折部で折り重ねることができる重ね差込開き片と、
前記テーブル部の手前側に設けられた前記上差込片に前記重ね差込開き片を重ね状態にして差し込まれる片差込上支持部と、
前記保持され部の下方側に設けられた前記下差込片に前記重ね差込開き片を重ね状態にして差し込まれる片差込下支持部と、
前記保持され部の中途に設けられた前記奥差込片に前記重ね差込開き片を重ね状態にして差し込まれる片差込奥支持部と、からなり、
前記片差込上支持部に前記上差込片とともに差し込まれた前記重ね差込開き片が前記テーブル部上で開いて、前記片差込上支持部から前記上差込片が抜けないようにしてなり、
前記片差込下支持部に前記下差込片とともに差し込まれた前記重ね差込開き片が前記保持され部裏側で開いて、前記片差込下支持部から前記下差込片が抜けないようにしてなり、
前記片差込奥支持部に前記奥差込片とともに差し込まれた前記重ね差込開き片が前記保持され部裏側で開いて、前記片差込奥支持部から前記奥差込片が抜けないようにしてなることを特徴とするハンドル用テーブル。  
【請求項９】
テーブル状態において、
ハンドル上に保持される保持され部と、
この保持され部の下部側で支持されるテーブル下支持部と、
このテーブル下支持部に連絡され下方から手前側を支持され且つ前記保持され部に奥側を支持されてテーブル状態となるテーブル部と、
前記テーブル下支持部と前記テーブル部を区切る横向き折部と、
前記テーブル下支持部の下部側に設けられた下差込片と、
この下差込片の側部に第１の縦向き折部で区切り設けられた該第１の縦向き折部で折り該下差込片に重ねることができる第１の重ね差込開き片と、
前記テーブル部の奥側に設けられた奥差込片と、
この奥差込片の側部に第２の縦向き折部で区切り設けられた該第２の縦向き折部で折り該奥差込片に重ねることができる第２の重ね差込開き片と、
前記保持され部の下方側に設けられた前記下差込片に前記第１の重ね差込開き片を重ね状態にして差し込まれる片差込下支持部と、
前記保持され部の中途に設けられた前記奥差込片に前記第２の重ね差込開き片を重ね状態にして差し込まれる片差込奥支持部と、からなり、
前記片差込下支持部に前記下差込片とともに差し込まれた前記第１の重ね差込開き片が前記保持され部裏側で開いて、前記片差込下支持部から前記下差込片が抜けないようにしてなり、
前記片差込奥支持部に前記奥差込片とともに差し込まれた前記第２の重ね差込開き片が前記保持され部裏側で開いて、前記片差込奥支持部から前記奥差込片が抜けないようにしてなることを特徴とするハンドル用テーブル。  
【請求項１０】
テーブル状態において、
ハンドル上に保持される保持され部と、
この保持され部に連絡されたテーブル下支持部と、
このテーブル下支持部に連絡され奥側を前記保持され部に支持されるテーブル部と、
このテーブル部の奥側に設けられた奥差込片と、
この奥差込片の横に縦向き折部で区切られ設けられた該奥差込片に該縦向き折部で折り重ねることができる重ね差込開き片と、
前記保持され部と前記テーブル支持部の区切りである第１横向き折部と、
前記テーブル下支持部と前記テーブル部の区切りである第２横向き折部と、
前記テーブル部と前記奥差込片の区切りである第３横向き折部と、
前記保持され部の中途に設けられた前記奥差込片に前記重ね差込開き片を重ね状態にして差し込まれる片差込奥支持部と、からなり、
前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブル。
【請求項１１】
テーブル状態において、
ハンドル上に保持される保持され部と、
この保持され部の下部側に奥側を支持されたテーブル部と、
このテーブル部の手前側の左右に連絡された左テーブル吊り支持部、右テーブル吊り支持部と、
この左テーブル吊り支持部と右テーブル吊り支持部を奥側で連絡する連絡部と、
この連絡部の奥側に設けられた奥差込片と、
この奥差込片の横に縦向き折部で区切られ設けられた該奥差込片に該縦向き折部で折り重ねることができる重ね差込開き片と、
前記保持され部の中途に設けられた前記奥差込片に前記重ね差込開き片を重ね状態にして差し込まれる片差込奥支持部と、からなり、
前記片差込奥支持部に前記奥差込片が差し込まれ抜けないように支持された状態で、前記保持され部と前記左テーブル吊り支持部および右テーブル吊り支持部によってテーブル部のテーブル状態が保持されるようになっていて、
前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブル。  
【請求項１２】
保持され部裏側で開いた重ね差込開き片がハンドルの左右一方の表側に当る幅あるいは位置であることを特徴とする請求項４〜１１いずれか記載のハンドル用テーブル。  
【請求項１３】
自動車のハンドル上に保持される保持され部、この保持され部に保持されてテーブル状態となるテーブル部、前記保持され部をハンドル上に係止するハンドル係止部とからなるハンドル用テーブルであって、
前記ハンドル係止部が、
前記保持され部の上方に間隔をあけて設けられた下折り部、中折り部、上折り部と、
前記下折り部と前記中折り部の間に形成された第１のハンドル被さり部と、
前記中折り部と前記上折り部の間に形成された第２のハンドル被さり部と、
前記上折り部の外側に形成された外側部と、
前記第１のハンドル被さり部に設けられたハンドルが嵌る前記下折り部と縁を同じ線上にして、前記中折り部からは間隔あけて配置された孔からなる第１のハンドル嵌り孔と、
この第１のハンドル嵌り孔の内側に前記下折り部側を前記保持され部に連絡して、前記第１のハンドル嵌り孔から抜き形態で形成された起し片と、
前記第２のハンドル被さり部に設けられたハンドルが嵌る前記上折り部と縁を同じ線上にして、前記中折り部からは間隔あけて配置された孔からなり、前記中折り部で折って前記第１の被さり部と重ねた状態で前記第１のハンドル嵌り孔と重なる第２のハンドル嵌り孔と、
この第２のハンドル嵌り孔の内側に前記上折り部側を前記外側部に連絡して、前記第２のハンドル嵌り孔から抜き形態で形成され差込片と、
この差込片の側部に突出形成された抜け阻止部と、
前記第２のハンドル被さり部が前記中折り部で折られて前記差込片が差し込まれる前記保持され部の上方に設けられた片差込部と、からなるハンドル係止部であることを特徴とするハンドル用テーブル。  
【請求項１４】
抜け阻止部が差込片の側部に縦向き折部により折られ該差込片に折り重ねられる形態であり、片差込部が前記抜け阻止部を重ね状態とした前記差込片が差し込める形態であることを特徴とする請求項１３記載のハンドル用テーブル。  
【請求項１５】
請求項１〜１２いずれか記載のハンドル用テーブルにおいて、保持され部をハンドル上に係止するハンドル係止部が請求項１３、１４いずれか記載のハンドル係止部であることを特徴とするハンドル用テーブル。  
【請求項１６】
自動車のハンドル上に保持される保持され部、この保持され部に保持されてテーブル状態となるテーブル部、前記保持され部をハンドル上に係止するハンドル係止部とからなるハンドル用テーブルであって、
前記ハンドル係止部が、
前記保持され部の上部に横向き折部で区切られて設けられたハンドル被さり部と、
このハンドル被さり部に設けられたハンドルが嵌る孔からなるハンドル嵌り孔と、
このハンドル嵌り孔内に奥側に横向き折部で区切られ設けられた、前記ハンドル嵌り孔に嵌ったハンドルに押し起されてハンドルの背部側に当るハンドル当り片と、
前記ハンドル嵌り孔内に左側、右側に縦向き折部で区切られ設けられた、前記ハンドル嵌り孔に嵌ったハンドルに押し起されてハンドルの左側側部、右側側部に当るハンドル左当り片、ハンドル右当り片と、からなるハンドル係止部であることを特徴とするハンドル用テーブル。  
【請求項１７】
請求項１〜１２いずれか記載のハンドル用テーブルにおいて、保持され部をハンドル上に係止するハンドル係止部が請求項１６記載のハンドル係止部であることを特徴とするハンドル用テーブル。  
【請求項１８】
テーブル状態において、  
ハンドル上に保持される保持され部と、  
この保持され部に下部側を支持されるテーブル下支持部と、  
このテーブル下支持部の上部側で手前側を支持され且つ奥側を前記保持され部に支持されるテーブル部と、  
このテーブル部の奥側に設けられた奥差込片と、  
この奥差込片の横に縦向き折部で区切られ設けられた該奥差込片に該縦向き折部で折り重ねることができる重ね差込開き片と、  
前記テーブル部と前記奥差込片の区切りである横向き折部と、  
前記保持され部の中途に設けられた前記奥差込片に前記重ね差込開き片を重ね状態にして差し込まれる片差込奥支持部と、  
この片差込奥支持部から間隔をあけて上方に設けられた前記保持され部を折り畳むための折畳用折部と、  
前記重ね差込開き片の上下幅が前記折畳用折部を超える上下幅であって、前記奥差込片および前記重ね差込開き片が前記片差込奥支持部に差し込まれて前記保持され部の裏側で折り上げ状態とされ、前記保持され部と前記重ね差込開き片が前記折畳用折部より下方で接着剤やステップラーなどにより接合されてなる接合部と、  
この接合部から上方で前記重ね差込開き片と前記保持され部が分離されてなる分離部と、からなり、  
前記折畳用折部で折られる保持され部が表側には折ることができるが裏側には前記重ね差込開き片によって折りが阻止されるようにしてなることを特徴とするハンドル用テーブル。  
【請求項１９】
重ね差込開き片が奥差込片の左右に設けられてなることを特徴とする請求項１８記載のハンドル用テーブル。  
【請求項２０】
片差込奥支持部が複数設けられ、片差込奥支持部が複数設けられ、重ね差込開き片の接合部に当る部位に剥離紙でカバーされた粘着部が設けられた形態で提供されることを特徴とする請求項１８、１９いずれか記載のハンドル用テーブル。
【請求項２１】
請求項１〜１２いずれか記載のハンドル用テーブルにおいて、保持され部をハンドル上に係止するハンドル係止部が請求項１８〜２０いずれか記載のハンドル係止部であることを特徴とするハンドル用テーブル。  
【請求項２２】
全体がダンボール製板部材で形成されてなることを特徴とする請求項１〜２１いずれか記載のハンドル用テーブル。  
【請求項２３】
「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とする請求項１〜２２いずれか記載のハンドル用テーブル。
【発明の詳細な説明】
【技術分野】
【０００１】
本発明は、主に自動車のハンドルに装着して簡易的なテーブルを形成するハンドル用テーブルに関する。  
【背景技術】
【０００２】
従来、一枚のダンボール製板部材を一発打抜で形成たハンドル用テーブルとして、特許文献１に記載された第１型ハンドル用テーブル、第２型ハンドル用テーブル、第３型ハンドル用テーブル、第４型ハンドル用テーブル、第５型ハンドル用テーブルがある。  
（１）上記「第１型ハンドル用テーブル」は、  
テーブル状態において、  
ハンドル上に保持される保持され部（ハンドル支持・寄り掛け部２）と、
この保持され部（ハンドル支持・寄り掛け部２）の下部に設けられたテーブル下支持部（テーブル下支持部４）と、
このテーブル下支持部（テーブル下支持部４）の下部に支持されるように設けられたテーブル部（テーブル部６）と、
このテーブル部（テーブル部６）の奥側中央に設けられた保持され部の横幅の１／３強幅の奥奥差込片（上部挿入片１７）と、
保持され部（ハンドル支持・寄り掛け部２）とテーブル支持部（テーブル下支持部４）の区切りである第１横向き折部（折部３）と、
テーブル支持部（テーブル下支持部４）とテーブル部（テーブル部６）の区切りである第２横向き折部（折部５）と、
テーブル部（テーブル部６）と奥奥差込片（上部挿入片１７）の区切りである第３横向き折部（折部７）と、
保持され部（ハンドル支持・寄り掛け部２）の中央に設けられた奥奥差込片（上部挿入片１７）と略同じ横幅の該奥差込片が差し込まれる片差込奥支持部（片挿入部１４、１５）とからなり、
片差込奥支持部（片挿入部１４、１５）に差し込まれて下向きに折り下げられた状態でハンドルの下部と保持され部（ハンドル支持・寄り掛け部２）に挟まれた奥差込片（上部挿入片１７）とテーブル下支持部（テーブル下支持部４）によってテーブル部（テーブル部６）のテーブル状態が保持されるようになっているハンドル用テーブル（簡易テーブル１）である。  
（２）上記「第２型ハンドル用テーブル」の前記「第１型ハンドル用テーブル」（簡易テーブル１）と主に異なる点は、
保持され部（ハンドル支持・寄り掛け部２）の左右に横抜き開口された左片差込奥支持部、右片差込奥支持部（片挿入部４１、４２）を設け、テーブル部（テーブル部６）の左右に左片差込奥支持部、右片差込奥支持部（片挿入部４１、４２）に差し込まれる、左横向き折部、右横向き折部（折部１６、１６）で区切り設けてなる、保持され部（ハンドル支持・寄り掛け部２）とハンドルＡの左側、右側との間に挟まれて、テーブル部（テーブル部６）のテーブル状態を支持するための保持され部の横幅の１／３弱の横幅の右奥差込片、左奥差込片（上部挿入片４３、４４）を設けたハンドル用テーブル（簡易テーブル４０）を形成した点にある。  
（３）上記「第３型ハンドル用テーブル」の前記「第１型ハンドル用テーブル」（簡易テーブル１）と主に異なる点は、
保持され部の中途でテーブル部の奥側が支持され、テーブル部の前方ないし側部に連絡されたテーブル下支持部に下差込片が設けられ、この下差込片を差し込んでテーブル部のテーブル状態を保持する孔からなる差込片下支持部が保持され部の下方に設けられてなるハンドル用テーブルである。  
（４）上記「第４型ハンドル用テーブル」の前記「第１型ハンドル用テーブル」（簡易テーブル１）と主に異なる点は、
保持され部の中途でテーブル部の奥側が支持され、テーブル部の前方に孔からなる差込片上差込部が設けられ、保持され部の下部に連絡されたテーブル下支持部に上差込片が設けられ、この上差込片を前記差込片上差込部に差し込んでテーブル部のテーブル状態を保持するハンドル用テーブルである。  
（５）上記「第５型ハンドル用テーブル」は、ハンドル係止部（ハンドル略潜らせ係止部）が、下折部（折り部１７８）、中折部（折り部１７９）、上折部（折り部１８０）を保持され部上方に設け、下折部と中折部の間にハンドルが嵌る第１のハンドル嵌り孔（ハンドル略潜らせ係止部１７６）を形成し、中折部と上折部の間に第２のハンドル嵌り孔（ハンドル略潜らせ係止部１７７）を形成したハンドル用テーブルである。  
【０００３】
【特許文献１】特開２００４−３４５６２３号公報  ｛１｝  図１、図２、図３、図４、図５、図６に記載された第１型ハンドル用テーブル」。  ｛２｝  図１０、図１１に記載された「第２型ハンドル用テーブル」。  ｛３｝  図９、図１３、図１７、図１８、図２８〜図３０、図４７、図４８、図５０、図５１に記載された「第３型ハンドル用テーブル」。  ｛４｝  図４６に記載された「第４型ハンドル用テーブル。  ｛５｝  図４２に記載された「第５型ハンドル用テーブル」。
【非特許文献１】特になし
【発明の開示】
【発明が解決しようとする課題】
【０００４】
（１）前述した「第１型ハンドル用テーブル」は以下のような欠点（特に強度がそれほど強靭ではないダンボール製部材において）をもつものであった。  
｛１｝差込片が保持され部の横幅の１／３強と幅の狭い形態であり且つ中央部に設けられた形態であるため、奥差込片を片差込支持部に差し込んでそのままハンドルに装着した場合に、ハンドルに当ることなくハンドルの下開口（ハンドルの下側と上側は殆どのハンドルにおいて開口となっている。）に入ってしまい折り状態が不十分な状態となり、テーブルに荷重がかかった場合に抜ける危険があるという欠点を有するものであった。  
｛２｝ハンドルの下方に保持され部の下方が突出して支持されない部位が多くなる（テーブル部はその分下方に位置するようになる）と、テーブル部に荷重を加えるとハンドルから離れた保持され部の下部端部分が押され、その結果保持され部が撓り湾曲し易くなり、テーブル状態の安定性（堅固性）が不安定なるという欠点を有するものであった。  
｛３｝奥差込片をハンドルの下部部位と保持され部の間に挟むのであるが、奥差込片がハンドルの下部部位に届く長さとしなくてはならない、すなわち奥差込片を長いものにしなくてはならいものであった。  
このため、ダンボール製板部材（原料板材）を打抜して形成する場合には、板材は定形であるため、場合によっては定形を超える全長となり合理的な抜きができなくなり無駄（使用しない廃棄物）が生じてコスト高になるという欠点を有するものであった。  
（２）前述した「第２型ハンドル用テーブル」は以下のような欠点（特に強度がそれほど強靭ではないダンボール製部材において）をもつものであった。  
｛１｝片差込支持部に差し込まれた奥差込片の横側が確実にハンドルの横側に当りハンドルと保持され部の間に確実に奥差込片が挟まれる、左右の奥差込片がハンドルと保持され部の間に挟まれた形態によってその部分の保持され部の厚さが二重厚さとなり、よってテーブル部に荷重がかかっても保持され部が撓り難い堅固性を強める、よってハンドルの下方に保持され部の下方が突出して支持されない部位を多くする（長く出す）ことが可能となり、その分テーブル部を下方に位置させることを可能とするものである。
しかし、奥差込片が左右２箇所であるために、左手で保持され部を持ち右手で左右の奥差込片を操作し左右の片差込支持部に差し込むことが大変難しく操作が煩わしいという欠点を有するものであったし、奥差込片および片差込支持部を一方の側のみにするとテーブル部の２／３弱が支持されない形態となって、虚弱なテーブル状態になってしまうものであった。  
｛２｝左右の片差込支持部の間が１／３強しかなく、その部位が虚弱でありテーブル部に荷重を掛けた場合にその部位が撓りやすく、また折れ易いという欠点を有するものであった。  
（３）前述した「第１型ハンドル用テーブル」「第２型ハンドル用テーブル」「第３型ハンドル用テーブル」「第４型ハンドル用テーブル」のいずれも、ハンドル装着前において片差込支持部から奥差込片が抜ける危険があるという欠点を有するものであり、片差込支持部に奥差込片を差し込んだまま手に持って移動させる際に奥差込片を手で抑えていないと、片差込支持部から奥差込片が抜ける危険があるという欠点があるものであった。  
（４）前述した「第５型ハンドル用テーブル」は、中折部で折り重ねてハンドルに掛け係止することができるが、重ね状態が非固定であるため、ハンドルに掛けるときは常に手で重ね状態にして掛けなければならない、不使用時はハンドル係止部がぶらついて目障りであるという欠点を有するものであった。  
また、上述した欠点を解消しより強固なハンドル係止部とするために、接着固定、ステップラーによる結合固定などがあるが、これらは作業工程と使用材料の増加になりコスト高になるという問題を持つものであった。
【０００５】
本発明は以上のような従来技術の欠点に鑑みてなされたものであって、その目的は、以下のようになっている。
（１）  左手で保持され部を持ち右手で奥差込片を片差込支持部に差し込むことが素早く簡単容易にでき、片差込支持部に差し込まれた奥差込片が確実にハンドルに当り該ハンドルと保持され部の間に確実に挟まれる安全性を実現し、テーブル部のテーブル状態保持強度が損なわれず、奥差込部により保持され部の強靭性・堅固性が強化されるハンドル用テーブルを提供することを目的としている。  
（２）  また本発明の他の目的は、ハンドルに装着しない状態で差込片を手で抑えるなどの操作をいっさい行わずに、テーブル部のテーブル状態が堅固に保持されるとともに、そのテーブル状態を簡単に解除することができるハンドル用テーブルを提供することを目的としている。  
（３）  また本発明の他の目的は、左手で保持され部を持ち右手で奥差込片を片差込支持部に差し込むことが簡単容易にでき、片差込支持部に差し込まれた奥差込片が確実にハンドルに当り該ハンドルと保持され部の間に確実に挟まれる安全性を実現し、テーブル部のテーブル状態保持強度が損なわれず、奥差込部により保持され部の強靭性・堅固性が強化され、ハンドルに掛けない状態で差込片を手で抑えるなどの操作をいっさい行わずに、テーブル部のテーブル状態が保持されるとともに、簡単にテーブル状態を解除することができるハンドル用テーブルを提供することを目的としている。  
（４）  また本発明の他の目的は、主にダンボール製部材などの厚紙製部材からなるハンドル用テーブルにおいて、ハンドル上に保持される保持され部をハンドルに係止する、打抜形成したハンドルを嵌めるハンドル嵌め孔の強靭性・堅固性をコスト高を招かず高めたハンドル用テーブルを提供することを目的としている。  
（５）  また本発明の目的は、前記（１）〜（３）のいずれかの目的に加えて、ハンドル上に保持される保持され部をハンドルに係止する、打抜形成したハンドルを嵌めるハンドル嵌め孔の強靭性・堅固性をコスト高を招かず高めたハンドル用テーブルを提供することを目的としている。
また本発明の他の目的は、
【課題を解決するための手段】
【０００６】
上記目的を達成するために本発明は以下に述べるような構成となっている。  
＜請求項１記載の発明＞  
テーブル状態において、ハンドル上に保持される保持され部と、この保持され部に連絡されたテーブル下支持部と、このテーブル下支持部に連絡された奥側を前記保持され部に支持されるテーブル部と、このテーブル部の奥側に設けられた１つのみの奥差込片と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部の中途に設けられた前記奥差込片が差し込まれる片差込奥支持部とからなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記奥差込片の横幅が該奥差込片の左右がハンドルの左右表側に当る横幅であることを特徴とするハンドル用テーブルである。  
「横向き折部」（部材は上下回動）とは「縦向き折部」（部材は左右回動）と識別するだけのものであり、１つないし間隔をあけた複数の折目からなるもの、１つないし複数のヒンジからなるもの、分離した部品を連結する１つないし複数の兆番からなるもの、分離した部品を連結する１つないし複数の粘着テープなどからなるもの、嵌合などの連結部位の連結によるもの、など多様な形態がある。
＜請求項２記載の発明＞  
テーブル状態において、ハンドル上に保持される保持され部と、この保持され部の下部に連絡されたテーブル下支持部と、このテーブル下支持部に連絡された奥側を前記保持され部に支持されるテーブル部と、このテーブル部の奥側に設けられた１つのみの奥差込片と、前記保持され部と前記テーブル支持部の区切りである第１横向き折部と、前記テーブル下支持部と前記テーブル部の区切りである第２横向き折部と、前記テーブル部と前記差込片の区切りである第３横向き折部と、前記保持され部の中途に設けられた前記奥差込片が差し込まれる片差込奥支持部と、からなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記片差込奥支持部および前記奥差込片が左右いずれか一方の側に寄って配置され、前記奥差込片の横幅が前記保持され部の横幅の１／２以上の横幅であり且つ該奥差込片がハンドルの左右一方の表側に当ることを特徴とするハンドル用テーブルである。  
＜請求項３記載の発明＞  
テーブル状態において、ハンドル上に保持される保持され部と、この保持され部に連絡されたテーブル下支持部と、このテーブル下支持部に連絡された奥側を前記保持され部に支持されるテーブル部と、このテーブル部の奥側に設けられた１つのみの奥差込片と、前記テーブル部に前記奥差込片から距離をあけて設けられた短片突起部と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部に設けられた前記奥差込片が差し込まれる片差込奥支持部と、前記保持され部に設けられた前記短片突起部が入る突起入り孔と、からなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記奥差込片が左右いずれか一方の側に寄って配置され、前記片差込奥支持部に差し込まれた前記奥差込片がハンドルの左右一方の表側に当り、前記片差込奥支持部に差込折られた前記奥差込片と前記突起入り孔に入っている短片突起部とによって前記テーブル部のテーブル状態が保持されるようにしてなることを特徴とするハンドル用テーブルである。  
＜請求項４記載の発明＞  
テーブル状態において、ハンドル上に保持される保持され部と、この保持され部に支持されるテーブル支持部と、このテーブル支持部と前記保持され部に支持されてテーブル状態となるテーブル部と、前記テーブル支持部に設けられた差込片と、この差込片の側部に縦向き折部で区切られ設けられた該差込片に該縦向き折部で折り重ねることができる重ね差込開き片と、前記保持され部に設けられた前記差込片に前記重ね差込開き片を折り重ね状態にして差し込まれる片差込支持部と、からなり、前記片差込支持部に前記差込片とともに差し込まれた前記重ね差込開き片が前記保持され部裏側で開いて、前記保持され部裏壁に当って前記片差込支持部から前記差込片が抜けないようにしてなり、且つ、前記片差込支持部への前記差込片の差込支持により前記テーブル部のテーブル状態が保持されるようにしてなることを特徴とするハンドル用テーブルである。  
＜請求項５記載の発明＞  
テーブル状態において、ハンドル上に保持される保持され部と、この保持され部の下部側で支持されるテーブル下支持部と、このテーブル下支持部に連絡され下方から手前側を支持され且つ前記保持され部に奥側を支持されてテーブル状態となるテーブル部と、前記テーブル下支持部と前記テーブル部を区切る横向き折部と、前記テーブル下支持部に設けられた下差込片と、この下差込片の横に縦向き折部で区切られ設けられた該下差込片に該縦向き折部で折り重ねることができる重ね差込開き片と、前記保持され部の下方に設けられた前記下差込片に前記重ね差込開き片を重ね状態にして差し込まれる片差込下支持部と、からなり、前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブルである。  
＜請求項６記載の発明＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部に設けられた上差込片と、この上差込片の横に縦向き折部で区切られ設けられた該上差込片に該縦向き折部で折り重ねることができる重ね差込開き片と、前記テーブル部の手前側に設けられた前記上差込片に前記重ね差込開き片を重ね状態にして差し込まれる片差込上支持部と、からなり、前記片差込上支持部に前記上差込片とともに差し込まれた前記重ね差込開き片が前記テーブル部上で開いて前記片差込上支持部から前記上差込片が抜けないようにしてなることを特徴とするハンドル用テーブルである。  
＜請求項７記載の発明＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部の上部側に設けられた上差込片と、前記テーブル下支持部の下部側に設けられた下差込片と、前記上差込片と前記下差込片の横に縦向き折部で区切られ設けられた該各差込片に該縦向き折部で折り重ねることができる重ね差込開き片と、前記テーブル部の手前側に設けられた前記上差込片に前記重ね差込開き片を重ね状態にして差し込まれる片差込上支持部と、前記保持され部の下方側に設けられた前記下差込片に前記重ね差込開き片を重ね状態にして差し込まれる片差込下支持部と、からなり、前記片差込上支持部に前記上差込片とともに差し込まれた前記重ね差込開き片が前記テーブル部上で開いて、前記片差込上支持部から前記上差込片が抜けないようにしてなり、前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブルである。  
＜請求項８記載の発明＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部の上部側に設けられた上差込片と、前記テーブル下支持部の下部側に設けられた下差込片と、前記テーブル部の奥側に設けられた奥差込片と、前記上差込片と前記下差込片と前記奥差込片の横に縦向き折部で区切られ設けられた該各差込片に該縦向き折部で折り重ねることができる重ね差込開き片と、前記テーブル部の手前側に設けられた前記上差込片に前記重ね差込開き片を重ね状態にして差し込まれる片差込上支持部と、前記保持され部の下方側に設けられた前記下差込片に前記重ね差込開き片を重ね状態にして差し込まれる片差込下支持部と、前記保持され部の中途に設けられた前記奥差込片に前記重ね差込開き片を重ね状態にして差し込まれる片差込奥支持部と、からなり、前記片差込上支持部に前記上差込片とともに差し込まれた前記重ね差込開き片が前記テーブル部上で開いて、前記片差込上支持部から前記上差込片が抜けないようにしてなり、前記片差込下支持部に前記下差込片とともに差し込まれた前記重ね差込開き片が前記保持され部裏側で開いて、前記片差込下支持部から前記下差込片が抜けないようにしてなり、前記片差込奥支持部に前記奥差込片とともに差し込まれた前記重ね差込開き片が前記保持され部裏側で開いて、前記片差込奥支持部から前記奥差込片が抜けないようにしてなることを特徴とするハンドル用テーブルである。  
＜請求項９記載の発明＞  
テーブル状態において、ハンドル上に保持される保持され部と、この保持され部の下部側で支持されるテーブル下支持部と、このテーブル下支持部に連絡され下方から手前側を支持され且つ前記保持され部に奥側を支持されてテーブル状態となるテーブル部と、前記テーブル下支持部と前記テーブル部を区切る横向き折部と、前記テーブル下支持部の下部側に設けられた下差込片と、この下差込片の側部に第１の縦向き折部で区切り設けられた該第１の縦向き折部で折り該下差込片に重ねることができる第１の重ね差込開き片と、前記テーブル部の奥側に設けられた奥差込片と、この奥差込片の側部に第２の縦向き折部で区切り設けられた該第２の縦向き折部で折り該奥差込片に重ねることができる第２の重ね差込開き片と、前記保持され部の下方側に設けられた前記下差込片に前記第１の重ね差込開き片を重ね状態にして差し込まれる片差込下支持部と、前記保持され部の中途に設けられた前記奥差込片に前記第２の重ね差込開き片を重ね状態にして差し込まれる片差込奥支持部と、からなり、前記片差込下支持部に前記下差込片とともに差し込まれた前記第１の重ね差込開き片が前記保持され部裏側で開いて、前記片差込下支持部から前記下差込片が抜けないようにしてなり、前記片差込奥支持部に前記奥差込片とともに差し込まれた前記第２の重ね差込開き片が前記保持され部裏側で開いて、前記片差込奥支持部から前記奥差込片が抜けないようにしてなることを特徴とするハンドル用テーブルである。  
＜請求項１０記載の発明＞  
テーブル状態において、ハンドル上に保持される保持され部と、この保持され部に連絡されたテーブル下支持部と、このテーブル下支持部に連絡され奥側を前記保持され部に支持されるテーブル部と、このテーブル部の奥側に設けられた奥差込片と、この奥差込片の横に縦向き折部で区切られ設けられた該奥差込片に該縦向き折部で折り重ねることができる重ね差込開き片と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部の中途に設けられた前記奥差込片に前記重ね差込開き片を重ね状態にして差し込まれる片差込奥支持部と、からなり、前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブルである。  
＜請求項１１記載の発明＞  
テーブル状態において、ハンドル上に保持される保持され部と、この保持され部の下部側に奥側を支持されたテーブル部と、このテーブル部の手前側の左右に連絡された左テーブル吊り支持部、右テーブル吊り支持部と、この左テーブル吊り支持部と右テーブル吊り支持部を奥側で連絡する連絡部と、この連絡部の奥側に設けられた奥差込片と、この奥差込片の横に縦向き折部で区切られ設けられた該奥差込片に該縦向き折部で折り重ねることができる重ね差込開き片と、前記保持され部の中途に設けられた前記奥差込片に前記重ね差込開き片を重ね状態にして差し込まれる片差込奥支持部と、からなり、前記片差込奥支持部に前記奥差込片が差し込まれ抜けないように支持された状態で、前記保持され部と前記左テーブル吊り支持部および右テーブル吊り支持部によってテーブル部のテーブル状態が保持されるようになっていて、前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブルである。  
「左テーブル吊り支持部、右テーブル吊り支持部」はテーブル部や保持され部と異なる部材である、布製テープ、樹脂製テープなどもよい。  
＜請求項１２記載の発明＞  
請求項４〜１１いずれか記載の発明の構成において、保持され部裏側で開いた重ね差込開き片がハンドルの左右一方の表側に当る幅あるいは位置であることを特徴とするのハンドル用テーブルである。  
＜請求項１３記載の発明＞  
自動車のハンドル上に保持される保持され部、この保持され部に保持されてテーブル状態となるテーブル部、前記保持され部をハンドル上に係止するハンドル係止部とからなるハンドル用テーブルであって、前記ハンドル係止部が、前記保持され部の上方に間隔をあけて設けられた下折り部、中折り部、上折り部と、前記下折り部と前記中折り部の間に形成された第１のハンドル被さり部と、前記中折り部と前記上折り部の間に形成された第２のハンドル被さり部と、前記上折り部の外側に形成された外側部と、前記第１のハンドル被さり部に設けられたハンドルが嵌る前記下折り部と縁を同じ線上にして、前記中折り部からは間隔あけて配置された孔からなる第１のハンドル嵌り孔と、この第１のハンドル嵌り孔の内側に前記下折り部側を前記保持され部に連絡して、前記第１のハンドル嵌り孔から抜き形態で形成された起し片と、前記第２のハンドル被さり部に設けられたハンドルが嵌る前記上折り部と縁を同じ線上にして、前記中折り部からは間隔あけて配置された孔からなり、前記中折り部で折って前記第１の被さり部と重ねた状態で前記第１のハンドル嵌り孔と重なる第２のハンドル嵌り孔と、この第２のハンドル嵌り孔の内側に前記上折り部側を前記外側部に連絡して、前記第２のハンドル嵌り孔から抜き形態で形成され差込片と、この差込片の側部に突出形成された抜け阻止部と、前記第２のハンドル被さり部が前記中折り部で折られて前記差込片が差し込まれる前記保持され部の上方に設けられた片差込部と、からなるハンドル係止部であることを特徴とするハンドル用テーブルである。  
＜請求項１４記載の発明＞  
請求項１３記載の発明の構成において、抜け阻止部が差込片の側部に縦向き折部により折られ該差込片に折り重ねられる形態であり、片差込部が前記抜け阻止部を重ね状態とした前記差込片が差し込める形態であることを特徴とするハンドル用テーブルである。  
＜請求項１５記載の発明＞  
請求項１〜１２いずれか記載のハンドル用テーブルにおいて、保持され部をハンドル上に係止するハンドル係止部が請求項１３、１４いずれか記載のハンドル係止部であることを特徴とするハンドル用テーブルである。  
＜請求項１６記載の発明＞  
自動車のハンドル上に保持される保持され部、この保持され部に保持されてテーブル状態となるテーブル部、前記保持され部をハンドル上に係止するハンドル係止部とからなるハンドル用テーブルであって、前記ハンドル係止部が、前記保持され部の上部に横向き折部で区切られて設けられたハンドル被さり部と、このハンドル被さり部に設けられたハンドルが嵌る孔からなるハンドル嵌り孔と、このハンドル嵌り孔内に奥側に横向き折部で区切られ設けられた、前記ハンドル嵌り孔に嵌ったハンドルに押し起されてハンドルの背部側に当るハンドル当り片と、前記ハンドル嵌り孔内に左側、右側に縦向き折部で区切られ設けられた、前記ハンドル嵌り孔に嵌ったハンドルに押し起されてハンドルの左側側部、右側側部に当るハンドル左当り片、ハンドル右当り片と、からなるハンドル係止部であることを特徴とするハンドル用テーブルである。  
＜請求項１７記載の発明＞  
請求項１〜１２いずれか記載のハンドル用テーブルにおいて、保持され部をハンドル上に係止するハンドル係止部が請求項１６記載のハンドル係止部であることを特徴とするハンドル用テーブルである。
＜請求項１８記載の発明＞  
テーブル状態において、ハンドル上に保持される保持され部と、この保持され部に下部側を支持されるテーブル下支持部と、このテーブル下支持部の上部側で手前側を支持され且つ奥側を前記保持され部に支持されるテーブル部と、このテーブル部の奥側に設けられた奥差込片と、この奥差込片の横に縦向き折部で区切られ設けられた該奥差込片に該縦向き折部で折り重ねることができる重ね差込開き片と、前記テーブル部と前記奥差込片の区切りである横向き折部と、前記保持され部の中途に設けられた前記奥差込片に前記重ね差込開き片を重ね状態にして差し込まれる片差込奥支持部と、この片差込奥支持部から間隔をあけて上方に設けられた前記保持され部を折り畳むための折畳用折部と、前記重ね差込開き片の上下幅が前記折畳用折部を超える上下幅であって、前記奥差込片および前記重ね差込開き片が前記片差込奥支持部に差し込まれて前記保持され部の裏側で折り上げ状態とされ、前記保持され部と前記重ね差込開き片が前記折畳用折部より下方で接着剤やステップラーなどにより接合されてなる接合部と、この接合部から上方で前記重ね差込開き片と前記保持され部が分離されてなる分離部と、からなり、前記折畳用折部で折られる保持され部が表側には折ることができるが裏側には前記重ね差込開き片によって折りが阻止されるようにしてなることを特徴とするハンドル用テーブルである。  
「前記保持され部と前記重ね差込開き片が前記折畳用折部より下方で接着剤やステップラーなどにより接合されてなる接合部と、」とは、片差込奥支持部と折畳用折部との間の略全部の固定、片差込奥支持部と折畳用折部との間の一部の固定を含むものである。
＜請求項１９記載の発明＞  
請求項１８記載の発明の構成において、重ね差込開き片が奥差込片の左右に設けられてなることを特徴とするハンドル用テーブルである。  
＜請求項２０記載の発明＞  
請求項１８、１９いずれか記載の発明の構成において、片差込奥支持部が複数設けられ、重ね差込開き片の接合部に当る部位に剥離紙でカバーされた粘着部が設けられた形態で提供されることを特徴とするハンドル用テーブルである。
＜請求項２１記載の発明＞  
請求項１〜１２いずれか記載のハンドル用テーブルにおいて、保持され部をハンドル上に係止するハンドル係止部が請求項１８〜２０いずれか記載のハンドル係止部であるハンドル用テーブルである。
＜請求項２２記載の発明＞  
請求項１〜２１いずれか記載の発明の構成において、全体がダンボール製板部材で形成されてなることを特徴とするのハンドル用テーブル。  
＜請求項２３記載の発明＞
請求項１〜２２いずれか記載の発明の構成において、「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とするハンドル用テーブルである。
「印刷等」とは、直接印刷したもの、写真のように焼き付けたもの、印刷や焼付けしたシートを貼り付けたものなど多様な表示形態を技術的範疇に含むものである。
【発明の効果】
【０００７】
以上の説明から明らかなように、本発明にあっては次に列挙する効果を奏する。  
＜請求項１記載の発明の効果＞  
奥差込片の横幅が該奥差込片の左右がハンドルの左右の表側に当る横幅とした構成であるので、  
（１）  テーブル部の奥差込片が保持され部の片差込奥支持部に差し込まれた状態で保持され部をハンドル上に保持した場合、必ず奥差込片の左右がハンドルの左右の表側に当っり、折下げて確実にハンドルと保持され部の間に挟まれ形態を実現して、抜ける危険のないハンドル用テーブルを実現するという効果を奏する。  
（２）  奥差込片の上下幅が広いほど、保持され部の補強板となって、撓り（反り）難い堅固なハンドル用テーブルを形成するという効果を奏する。これは特に、それほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用感の良いテーブルを形成できるという効果を奏する。  
（４）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を保持され部を持ったままの左手の指で抑え折り下げることが、自然な感じで殆ど抵抗なく行うことができるという効果を奏する。  
＜請求項２記載の発明の効果＞  
片差込奥支持部および奥差込片が左右いずれか一方の側に寄って配置され、奥差込片の横幅が保持され部の横幅の１／２以上の横幅であり且つ該奥差込片がハンドルの左右一方の表側に当る構成であるので、  
（１）  テーブル部の奥差込片が保持され部の片差込奥支持部に差し込まれた状態で保持され部をハンドル上に保持した場合、奥差込片がハンドルの左右あるいは左右いずれかに必ず当って、確実にハンドルと保持され部の間に挟まれ形態を実現して、抜ける危険のないハンドル用テーブルを実現するとともに、「奥差込片が左右いずれか一方の側に寄って配置され、奥差込片の横幅が保持され部の横幅の１／２以上の横幅」であるので、保持され部が奥差込片により補強されて反り難い状態になるという効果を奏する。これは特に、それほど強靭・堅固ではないダンボール製部材で形成した場合に大変効果的である。  
（２）  奥差込片の上下幅が広いほど、保持され部の補強板となって、撓り反り難い堅固なハンドル用テーブルを形成するという効果を奏する。これは特に、強度がそれほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用感のよいテーブルにできるという効果を奏する。
（４）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を左手の指で抑え折り下げることが、自然な感じ殆ど抵抗なく行うことができるという効果を奏する。  
＜請求項３記載の発明の効果＞  
ハンドル部の奥側に間隔をあけて設けたいずれも保持され部に差し込まれて支持される奥差込片と短片突起部を設け、奥差込部は左右いずれかに寄って配置され且つハンドルの左右表側のいずれかに必ず当る配置とした構成であるので、  
（１）  テーブル部の奥差込片が保持され部の片差込奥支持部に差し込まれた状態で保持され部をハンドル上に保持した場合、奥差込片がハンドルの側部側に必ず当って、確実にハンドルと保持され部の間に挟まれ形態を実現して、抜ける危険のないハンドル用テーブルを実現するとともに、片差込奥支持部と離れた位置で短片突起部でテーブル部のテーブル状態を支持するので、テーブル状態が崩れ難いハンドル用テーブルを実現するという効果を奏する。
（２）  奥差込片と離れた位置で短片突起部での２点支持であるので、奥差込片の横幅を広く取らなくてもよく、保持され部の片差込奥支持部の横幅も狭くてよく、保持され部が折れ難いまた撓り反り難いものにできるという効果を奏する。
（３）  奥差込片の上下幅が広いほど、保持され部の補強板となって、撓り反り難い堅固なハンドル用テーブルを形成するという効果を奏する。これは特に、強度がそれほど強靭・堅固ではないダンボール製部材で形成した場合に大変効果的である。  
（４）  前記（３）によって、保持され部のハンドル下方へのはみ出しを多くでき、その分テーブル部のテーブル状態を下方にできるので、使用しやすいものにできるという効果を奏する。  
（５）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を左手の指で抑え折り下げることが、自然な感じ殆ど抵抗なく行うことができるという効果を奏する。  
＜請求項４記載の発明の効果＞  
ハンドル部のハンドル状態を支持するテーブル支持部の保持され部への接続支持され形態が、保持され部に設けられた片差込支持部に、テーブル支持部に設けられた差込片に重ね差込開き片を重ねて差し込む形態であるので、  
（１）  差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けないテーブル状態が保持され続けるハンドル用テーブルを実現するという効果を奏する。同時に、差込片に重ね差込開き片を重ねて簡単に抜くことができ、簡単に平板状態にできるという効果を奏する。  
（２）  片差込支持部の長さを長ものにしなくても、重ね差込開き片を保持され部と略同じ端届き幅とすることが可能であり、これにより、重ね差込開き片がハンドルの左右ないしいずれか一方に必ず当り挟まれる形態を実現している。すなわち、保持され部の片差込支持部の左右に残った部分である支持部分の幅を十分に確保して、尚且つ、ハンドルへの確実な当りと保持され部の強化（反り難さ）を得る幅広の差込片を実現するという効果を実現する。
＜請求項５記載の発明の効果＞  
請求項４記載の発明と同様な効果を奏する。  
＜請求項６記載の発明の効果＞  
請求項４記載の発明と同様な効果を奏する。  
＜請求項７記載の発明の効果＞  
請求項４記載の発明と同様な効果を奏する。  
＜請求項８記載の発明の効果＞  
請求項４記載の発明と同様な効果を奏する。  
＜請求項９記載の発明の効果＞  
請求項４記載の発明と同様な効果を奏する。  
＜請求項１０記載の発明の効果＞  
ハンドル部のハンドル状態を支持するハンドル部の保持され部への支持され形態が、保持され部に設けられた片差込支持部に、ハンドル部に設けられた奥差込片に重ね差込開き片を重ねて差し込む形態であるので、  
奥差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けない、テーブル状態が保持され続けるハンドル用テーブルを実現するという効果を奏する。同時に、奥差込片に重ね差込開き片を重ねて簡単に素早く抜きテーブル状態を解除することができ、簡単に平板状態にできるという効果を奏する。  
＜請求項１１記載の発明の効果＞  
ハンドル部のハンドル状態を支持する左テーブル吊り支持部、右テーブル吊り支持部を有する連絡部の保持され部への接続支持され形態が、保持され部に設けられた片差込支持部に、連絡部に設けられた奥差込片に重ね差込開き片を重ねて差し込む形態であるので、
奥差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けないテーブル状態が保持され続けるハンドル用テーブルを実現するという効果を奏する。同時に、奥差込片に重ね差込開き片を重ねて簡単素早く抜くことができ、簡単にテーブル状態を解除できるという効果を奏する。  
左テーブル吊り支持部、右テーブル吊り支持部がテープ形態や紐形態やダンボール製部材であるばあい、左テーブル吊り支持部、右テーブル吊り支持部は容易に曲がったり折れたりできるので、奥差込片を片差込支持部へ差込だまま平状態に折り畳める。  
＜請求項１２記載の発明の効果＞  
請求項４〜１１いずれか記載の発明の構成において、保持され部の裏側で開いた重ね差込開き片がハンドルの左右一方の表側に当る幅あるいは位置であることを特徴とするのハンドル用テーブルであるので、  
請求項４〜１１いずれか記載の発明の効果に加えて、  
（１）  奥差込片が保持され部の片差込奥支持部に差し込まれた状態で保持され部をハンドル上に保持した場合、重ね差込開き片がハンドルの左右一方の表側に必ず当って、確実にハンドルと保持され部の間に挟まれる形態あるいは挟まれず抑えられる形態を実現するという効果を奏する。
「挟まれず抑えられる形態」とは、保持され部がハンドルより横幅が狭い場合で、重ね差込開き片が保持され部の外側に突出してハンドルに当る形態をいう。
（２）  重ね差込開き片の上下幅が広いほど、保持され部の補強板となって、反り難い堅固なハンドル用テーブルを形成するという効果を奏する。これは特に、強度がそれほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用しやすいものにできるという効果を奏する。  
（４）  ハンドルの左側に奥差込片の左側が当る位置であるので、裏側に出た奥差込片を左手の指で抑え折り下げることが、自然な感じ殆ど抵抗なく行えるという効果を奏する。  
＜請求項１３記載の発明の効果＞  
折り重なる第１のハンドル嵌り孔側、第２のハンドル嵌り孔側のうちの外側の第２のハンドル嵌り孔の該孔内側に、一辺を接続し抜き形態で形成された側部に抜け阻止部を有する差込片を設け、この差込片が差し込まれる片差込部を保持され部の上方に設けた構成であるので、  
（１）  第１のハンドル嵌り孔側と第２のハンドル嵌り孔側を折重ねて、片差込部に差込片を差し込むことで、第１のハンドル嵌り孔側と第２のハンドル嵌り孔側の重ね状態が固定され、且つ、抜け阻止部により片差込部から差込片が抜けないので固定状態が維持され、接着剤などの接合固定手段を用いることなく二枚重ねの強靭・堅固なハンドル係止部をコスト高を招くことなく形成できるという効果を奏する。  
（２）  使用者に組立を行わせることができるので、接着剤等の他の部材や組立作業の増加をまねかず、コストの増大を招かないという効果を奏する。  
＜請求項１４記載の発明の効果＞  
請求項１３記載の発明の構成において、抜け阻止部が差込片の側部に縦向き折部により折られ該差込片に折り重ねられる形態であり、片差込部が前記抜け阻止部を重ね状態とした前記差込片が差し込める形態であるので、
このような形態とすることにより、開いた抜け阻止部によって絶対に抜けない差込片の差込固定形態を実現するという効果を奏する。  
＜請求項１５記載の発明の効果＞  
請求項１〜１２いずれか記載のハンドル用テーブルにおいて、保持され部をハンドル上に係止するハンドル係止部が請求項１３、１４いずれか記載のハンドル係止部であることを特徴とするハンドル用テーブルであるので、  
請求項１〜１２いずれか記載の発明の効果に加えて請求項１３、１４いずれか記載の発明の効果を奏するハンドル用テーブルを実現する。  
＜請求項１６記載の発明の効果＞  
ハンドル嵌り孔に嵌ったハンドルの背部側がハンドル当り片に当り、ハンドルの左側、右側がハンドル左当り片、ハンドル右当り片に当る形態であるので、ハンドルの当り部位が切り口ではなく、折れた部位に当るので、押され擦れても削れたり潰れたりし難い丈夫さを実現し、特に紙製ダンボール製部材のような弱い部材で形成されている場合に、ハンドル当り片、ハンドル左当り片、ハンドル右当り片がクッションの役割を果たして、ハンドル嵌り孔の負荷が集中する部位への負荷を緩和するという効果を奏する。この形態は原料の増大も招かずコストの増加を招かない形態を実現している。
特に、柔らかさ、破けやすさ、削れ易さを特性とするダンボール製部材を打抜形成したものにおいて効果的である。
また、背部左右の当り片によりハンドル嵌り孔１５２の縁の強度が強化されるので、変形し難く破れ難い形態を実現するという効果を奏する。
＜請求項１７記載の発明の効果＞  
請求項１〜１２いずれか記載の発明の効果に加えて、請求項１６記載の発明の効果を奏するハンドル用テーブルを実現する。
＜請求項１８記載の発明の効果＞  
テーブル構成部中最も上下幅の長い保持され部の中途に折畳用折部を設け、この折畳用折部から間隔をあけた下方に片差込奥支持部を設け、この片差込奥支持部に差し込む奥差込片の側部に重ね差込開き片を設け、且つ、この重ね差込開き片が片差込奥支持部に差し込まれて折上げ状態で片差込奥支持部と折畳用折部の間を接合固定し、折畳用折部から上方を非接合形態の分離部としたので、  
（１）  裏側には前記重ね差込開き片の分離部によって保持され部の折りが阻止されるようにしてなる形態を実現しているので、ハンドルに保持され部を保持した状態ではテーブル部に負荷がかかっても保持され部は折れ反ることがない一枚板としての機能を果たすとともに、ハンドルから外した状態では、折畳用折部で折られる保持され部を表側に折ることができるので、長物の保持され部を折り畳むことができ、折り畳み形態をコンパクトにすることができるという効果を奏する。  
（２）  重ね差込開き片の横幅を広くすることにより奥差込片および片差込奥支持部の横幅を短くすることができる。すなわち、片差込奥支持部の横幅を短くするので、左右の非片差込奥支持部部分が長くなり、保持され部が折れ難い反り難い強靭で堅固なものにできるという効果を奏する。  
（３）  接合部および分離部の横幅が長ければ長いほど折畳用折部での折り反りを阻止する堅固性を強いものにできるのであり、保持され部の強度を弱めることなく重ね差込開き片によりこの形態を実現するという効果を奏する。  
特に奥差込片を略中央にし、その左右に重ね差込開き片を設けた形態では、奥差込片＋左右の重ね差込開き片が保持され部と同じ横幅ないしそれ以上の横幅とできるので、最大の固定横長さと最大横幅の折れ反り阻止の分離部を形成できるという効果を奏する。  
（４）  保持され部を折り畳むことができる形態により、折畳状態での大幅なコンパクト化を実現できるという効果を奏する。例えば：ハンドルよりも横幅の狭い略Ａ４版形態で略Ａ４版の大きさに折り畳むことができる折畳状態がコンパクトなハンドル用テーブルを実現することもでき、略Ａ４版の大きさに折畳提供できるので、雑誌の付録などとして提供できる形態のものを実現可能にするという効果を奏する。  
＜請求項１９記載の発明の効果＞  
請求項１８記載の発明の構成において、重ね差込開き片が奥差込片の左右に設けられてなることを特徴とするハンドル用テーブルであるので、  
請求項１８記載の発明の効果の効果に加えて、特に奥差込片を略中央にし、その左右に重ね差込開き片を設けた形態では、奥差込片＋左右の重ね差込開き片が保持され部と同じ横幅ないしそれ以上の横幅とできるので、最大の固定横長さと最大横幅の折れ反り阻止の分離部を形成できるという効果を奏する。  
＜請求項２０記載の発明の効果＞  
請求項１８、１９いずれか記載の発明の構成において、片差込奥支持部が複数設けられ、重ね差込開き片の接合部に当る部位に剥離紙でカバーされた粘着部が設けられた形態で提供されることを特徴とするハンドル用テーブルであるので、  
請求項１８、１９いずれか記載の発明効果に加えて、使用者がハンドルの傾きに合った片差込奥支持部を選んで固定できるという効果を奏する。
＜請求項２１記載の発明の効果＞  
請求項１〜１２いずれか記載のハンドル用テーブルにおいて、保持され部をハンドル上に係止するハンドル係止部が請求項１８〜２０いずれか記載のハンドル係止部であるハンドル用テーブルであるので、
請求項１〜１２いずれか記載の発明の効果に請求項１８〜２０いずれか記載の発明の効果を加えたハンドル用テーブルを実現する。
＜請求項２２記載の発明の効果＞  
請求項１〜２１いずれか記載の発明の構成において、全体がダンボール製板部材で形成されてなることを特徴とするのハンドル用テーブルであるので、  
請求項１〜２１いずれか記載の発明の効果に加えて、安価に提供でき、広告等の印刷が自在にでき、廃棄物は略全部が回収再利用されるので環境への負担が軽いという効果を奏するハンドル用テーブルを実現する。  
＜請求項２３記載の発明＞  
請求項１〜２２いずれか記載の発明の構成において、「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とするハンドル用テーブルであるので、  
自動車の車内はもちろん、車外（例えば家）でも楽しめる、読める、生活や知識習得に役立てることができるものとなる。これは、両面でＡ４版〜Ａ３版略８ページに相当する膨大な印刷、表示スペースを活用できるからである。  
特に塗り絵は、一色印刷で済むので印刷コストが安価であり、子供〜大人まで家に持ち込んで楽しめるものである。  
【発明を実施するための最良の形態】
【０００８】
以下、図面に示す発明を実施するための最良の形態により、本発明を詳細に説明する。但し、本発明をそれらのみの技術的範疇に限定する主旨のものではない。また、実施の形態の説明において同一構成部分には同じ符号を付し重複する説明を省略する。
【０００９】
＜第１の実施の形態＞  
主に請求項１記載の発明の実施の形態である。  
図１〜図３に示す本発明を実施するための最良の第１の実施の形態において１はハンドル用テーブルであって、このハンドル用テーブル１はダンボール製板部材を一発打抜形成により形成したものであり、その構成は次のようになっている。  
テーブル状態において、ハンドル上に保持される保持され部２と、この保持され部２に連絡されたテーブル下支持部３と、このテーブル下支持部３に連絡された奥側を保持され部２に支持されるテーブル部４と、このテーブル部４の奥側に設けられた１つのみの奥差込片５と、保持され部２とテーブル支持部３の区切りである横向き折部６と、テーブル支持部３とテーブル部４の区切りである横向き折部７と、テーブル部４と奥差込片５の区切りである横向き折部８と、保持され部２の中途に設けられた奥差込片５が差し込まれる片差込奥支持部９ａ、９ｂと、保持され部２の最上部に設けられたハンドルに被さるハンドル係止部１０と、このハンドル係止部１０と保持され部２の区切りである横向き折部１１と、この横向き折部１１線上に縁を略同じにして設けられたハンドルの上部が嵌るハンドル嵌り孔１２と、テーブル下支持部３の中央に保持され部２側を根元側にしてその一辺を接続され且つ横向き折部１３として打抜形成された下方に折り下げて膝に挟む膝挟み片１４と、保持され部２の下方に設けられた奥差込片５を差し込む片差込奥支持部１５と、からなり、  
片差込奥支持部９ａあるいは９ｂに差し込まれて下向きに折り下げられた状態でハンドルＡと保持され部２に挟まれた奥差込片５とテーブル下支持部３によってテーブル部４のテーブル状態が保持されるようになっていて、奥差込片５の横幅が該５の左右がハンドルＡの左右の表側に当る横幅である、構成となっている。  
テーブル部４にはドリンクホルダー１６が設けられている。  
【００１０】
図２において、左手（図示せず）に保持され部２を持ち、右手（図示せず）で奥差込片５を片差込奥支持部９ａあるいは９ｂに差し込みいっぱいに押し込む。  
保持される２を保持したままの左手の指で裏側に突き出た奥差込片５を折り下げ抑えて、ハンドル係止部１０をハンドルＡに掛けてセットが完了する。  
片差込奥支持部９ａ、９ｂあるいは３〜５箇所の片差込奥支持部を設け、奥差込片５の差込箇所によってテーブル部のテーブル状態の傾きが変わるので、ハンドルの傾きに合わせることができる。
【００１１】
図２の下図において、ハンドルＡにセットされた状態では、奥差込片５の左側右側がハンドルＡの左側右側の表側に必ず当るようになっていて、その結果、奥差込片５は保持され部２とハンドルＡの間に必ず折り挟まれる形態を実現している。これにより、奥差込片５が抜けることのない安全性を実現している。  
また、奥差込片５の上下幅を広くすることにより、保持され部２の補強板としての役割を強め、保持され部２の厚みが増したと同じ効果を得て、保持され部２が撓り反り難い堅固なものになる。  
これは強靭性や堅固製に弱さのあるダンボール製部材では、大変効果的である。  
保持され部２の堅固性が強化されたことにより、保持され部２のハンドル下方へのはみ出し量（長さ）を増やすことが可能とでき、その分テーブル部４を下方位置とすることができ、使用感のよいものにすることができる。  
【００１２】
図３の上図において、サンバイザーに奥差込片５を掛け、他の部位をフロントに延ばして日除けとして利用している。左右サンバイザーにハンドル用テーブル１を掛け下げることにより、フロントの８０パーセント程度を被うことができる。  
この他、ハンドルに直接被せる、フロントに横に立てかけるなどでもできる。  
図３の下図において、助手席の搭乗者の腿にテーブル下支持部３を載せ、保持され部２をフロントパネルに寄り掛け、奥差込片５を片差込奥支持部１５に差し込み、膝挟み片１４を折り下ろし膝で軽く挟み保持する（以下「腿載せテーブル形態」という）。  
膝挟み片１４の膝挟みにより、走行中でも動かない安心感・安定感のある、ストレスを感じさせない膝載せテーブルを実現する。また、保持され部２が前方立ち壁となっているので、急停止があってもテーブル上のものが落下することが阻止される安全性を実現している。  
【００１３】
形成材料および形成は、紙製のダンボール製板部材の打抜以外に、  
樹脂製のダンボール製板部材の打抜によるもの、
厚紙の打抜によるもの、
紙製ダンボール部材や厚紙に厚手の合成樹脂製コートをほどこしたもの打抜によるもの、
樹脂製メッシュ部材をサンドイッチ形態で設けた紙製ダンボール部材や厚紙の打抜によるもの、
木製合板（ベニヤ板）の打抜ないし切断形成によるもの、
ベニヤ板に軽量化用の５ｍｍほどの多数の穴をあけ打抜ないし切断形成したもの、
射出成形により形成したもの（軽量化を図るため、多数の非貫通穴を裏側に形成する、５ｍｍほどの貫通穴をテーブル部を除く他の部位に形成する、裏面を格子状にするのがよい）、
【００１４】
＜第２の実施の形態＞  
主に請求項３記載の発明の実施の形態である。  
図４、図５に示す本発明を実施するための最良の第2の実施の形態において２０はハンドル用テーブルであって、このハンドル用テーブル２０の前記第1の実施の形態と主に異なる点は、  
テーブル部４の左奥側に１つのみの奥差込片２１を設け、テーブル部４に奥差込片２１から右側に距離をあけて該２１と同一縁に短片突起部２２を設け、保持され部２に奥差込片２１が差し込まれる片差込奥支持部２３ａ、２３ｂ、２３ｃを設け、保持され部２に短片突起部２２が入る突起入り孔２４ａ、２４ｂ、２４ｃを設けた点にある。
片差込奥支持部２３ａ、２３ｂ、２３ｃのいずれかに差し込まれて下向きに折り下げられた状態でハンドルＡの左側と保持され部２に挟まれた奥差込片２１とテーブル下支持部３によってテーブル部４のテーブル状態が保持されるようになっていて、奥差込片２１が左側に寄って配置され、短片突起部２２が右側に寄って配置され、片差込奥支持部に差し込まれた奥差込片２１がハンドルの左側の表に必ず当り、片差込奥支持部２３ａ、２３ｂ、２３ｃのいずれかに差込折られた奥差込片２１と突起入り孔２４ａ、２４ｂ、２４ｃのいずれかに入っている短片突起部２２とによってテーブル部４のテーブル状態が保持されるようになっている。  
【００１５】
＜第３の実施の形態＞  
主に請求項２記載の発明の実施の形態である。  
図６に示す本発明を実施するための最良の第３の実施の形態において２７はハンドル用テーブルであって、このハンドル用テーブル２７の前記第1の実施の形態と主に異なる点は、  
奥差込片２８がテーブル部４の左側によって設けられ、保持され部の中途に左側に寄って奥差込片２８が差し込まれる片差込奥支持部２９ａ、２９ｂ、２９ｃが設けられ、ハンドル嵌り孔１２が右側に寄って設けられ、片差込奥支持部に差し込まれて下向きに折り下げられた状態でハンドルＡと保持され部２に挟まれた奥差込片２８とテーブル下支持部３によってテーブル部４のテーブル状態が保持されるようになっていて、奥差込片２８の横幅が保持され部２の横幅の１／２以上の横幅であり且つ奥差込片２８がハンドルＡの左側に当るようにした点である。  
テーブル部４に本等を支持する本支持片３０が設けられている。  
ハンドル嵌り孔１２が右側に寄って設けられているので、ハンドルにセットした状態では奥差込片２８が左側に寄った形態でセットされ、ハンドルの左側表に必ず当って、ハンドルと保持され部２に挟まれる形態を実現するとともに、奥差込片２８の横幅を少なくでき、それにより片差込奥支持部２９ａ、２９ｂ、２９ｃの横幅も少なくできるので、片差込奥支持部２９ａ、２９ｂ、２９ｃ横線上の支持部分（非孔部分＝肉部分）の横幅が広く取れて折れ難い撓み・反り難い保持され部２とすることができる。  
【００１６】
＜第４の実施の形態＞  
主に請求項１０、１２記載の発明の実施の形態である。  
図７〜図１０に示す本発明を実施するための最良の第４の実施の形態において３３はハンドル用テーブルであってこのハンドル用テーブル３３は、  
テーブル状態において、ハンドルＡ上に保持される保持され部２と、この保持され部２に連絡されたテーブル下支持部３と、このテーブル下支持部３に連絡され奥側を保持され部２に支持されるテーブル部と４、このテーブル部４の中央奥側に設けられた奥差込片３４と、この奥差込片３４の横に縦向き折部３５で区切られ設けられた奥差込片３４に縦向き折部３５で折り重ねることができる重ね差込開き片３６と、保持され部２とテーブル支持部３の区切りである横向き折部６と、テーブル支持部３とテーブル部４の区切りである横向き折部７と、テーブル部４と奥差込片３４の区切りである横向き折部８と、保持され部２の中途に設けられた奥差込片３４に重ね差込開き片３６を重ね状態にして差し込まれる片差込奥支持部３７ａ、３７ｂ、３７ｃと、からなり、片差込奥支持部３７ａ、３７ｂ、３７ｃのいずれかに奥差込片３４とともに差し込まれた重ね差込開き片３６を保持され部２の裏側で開いて、片差込奥支持部から奥差込片３４が抜けないように重ね差込開き片３６が抜け阻止片として機能するように構成されている。  
【００１７】
図８を参照してハンドル用テーブル３３のハンドルＡへの取付手順を説明する。  
（１）  各折部を数回折って折癖を付ける（図８中（ａ））。  
（２）  重ね差込開き片３６を奥差込片３４に折重ね右手（図示せず）で抑え、左手（図示せず）で保持され部２を持つ（図８中（ｂ））。  
（３）  重ね状態の重ね差込開き片３６と奥差込片３４を片差込奥支持部３７ｂに差し込む（図８中（ｃ））。  
（４）奥差込片３４を根元まで差し込むと重ね差込開き片３６は自然に開いて、抜け阻止片としての機能を果たす（図８中（ｄ））。この状態では、テーブル状態が完全に固定され、抜ける危険の全く無い、移動させても安心のテーブルとなる。  
（５）  左手で保持され部２を持ち保持したままその指で重ね差込開き片３６を抑え保持され部２の裏壁に押し当て、あるいはそのままハンドルＡにハンドル係止部１０を被せハンドル嵌り孔１２にハンドルＡの上部側を嵌め込む（図８中（ｅ））。  
（６）  重ね差込開き片３６はハンドルＡの左側と保持され部２の間に確実に挟まれセット完了となる（図８中（ｆ））。  
【００１８】
図１０は意匠図面であり、実線で表された部分が、部分意匠として意匠登録を受けようとする部分である。  
【００１９】
＜第５の実施の形態＞  
主に請求項１０、１２記載の発明の実施の形態である。  
図１１に示す本発明を実施するための最良の第５の実施の形態において４０はハンドル用テーブルであって、このハンドル用テーブル４０の前記第４の実施の形態と主に異なる点は、  
保持され部２からテーブル下支持部３の間にかけて、奥差込片３４と重ね差込開き片３６を重ねて差し込む口広の片差込部４１を設け、ハンドル嵌り孔１２内に折目でハンドル係止部１０と折部で区切られた左起し片４３、右起し片４４、後起し片４５、前起し片４６を設けた点にある。  
左起し片４３、右起し片４４、後起し片４５、前起し片４６はハンドルがハンドル嵌り孔１２に嵌ると該ハンドルに押されて起き状態とされ、ハンドル嵌り孔１２縁のハンドルの当接部位が切り口ではない、折り部位となり、ハンドル嵌り孔１２縁が擦れ削れる破けるなどが生じ難いという効果を奏する。また、ハンドル嵌り孔１２の強度が増すという効果を奏する。ハンドル嵌り孔１２の角はＲカットとするのが破け難くてよい。  
腿載せテーブル形態において、テーブル下支持部３の下方に突き出した差込片３４と重ね差込開き片３６は膝に挟まれる。  
また、裏面全面に自動車の塗り絵が印刷されている。花、建物、景色、子供向けに文章つきの絵本（挿絵の部分は塗り絵）などもよい。
【００２０】
＜第６の実施の形態＞  
主に請求項１０、１２記載の発明の実施の形態である。  
図１２に示す本発明を実施するための最良の第６の実施の形態において４８はハンドル用テーブルであって、このハンドル用テーブル４８の前記第５の実施の形態と主に異なる点は、  
ハンドル嵌り孔１２の内側には奥側に起される後起し片５０が横向き折部５１で区切られ設けられ、  
ハンドル係止部１０の奥側に該１０から離れた位置の中横向き折部５４で区切られ設けられた該１０に折重ねられる重ねハンドル係止部５５を設け、  
このハンドル係止部５５にハンドル嵌り孔１２に重なって重なり嵌り孔を形成するハンドル嵌り孔４９を設け、  
このハンドル嵌り孔４９内側に折部で区切って抜き起し形態に形成した左起し片４３、右起し片４４、前起し片５２を設け、  
重ねハンドル係止部５５の奥側に横向き折部５６で区切られた折端部５７を設け、  
この折端部８７の中央に終端左右に突出した抜け阻止部５８ａ、５８ｂを有する抜止付差込片５９が設けられ、  
保持され部２、横向き折部１１、後起し片５０のいずれかの部位にあるいはそれらを跨いで（図１２では横向き折部１１に接して保持され部２に形成）抜止付差込片５９が差し込まれる抜止付片差込部６０が設けられ、  
重ねハンドル係止部５５を中横向き折部５４で下向で折り上げてハンドル嵌り孔１２にハンドル嵌り孔４９を下方側から重ね、抜止付差込片５９を抜止付片差込部６０に差し込み、この重ね状態でハンドルを下方から嵌め、左起し片４３、右起し片４４、前起し片５２、後起し片５０をハンドル嵌り孔１２内に起すようにし、  
奥差込片５２、重ね差込開き片５３を上下幅の短い形態とした点である。  
ドリンクホルダー１６の内側にはドリンク容器の差込に伴い折り下げられる折下げ片６１が設けられている。  
ハンドル係止部１０と重ねハンドル係止部５５は複雑な構造のように見えるが、横向き折部５４で重ねハンドル係止部５５を折り抜止付差込片５９を抜止付片差込部６０に差し込むという単純・簡単な操作だけでよく、後はハンドルに被せる、上げ外すだけの操作である。  
抜止付片差込部６０は上部側が広く下方側が狭くなっていて、抜止付差込片５９を上部側から差込み幅の狭い根元側に達すると、下方に自然に行って抜け阻止部５８ａ、５８ｂが当り抜けないようになる。  
【００２１】
左起し片４３、右起し片４４、前起し片５２、後起し片５０などの起し片は、ハンドル嵌り孔１２、ハンドル嵌り孔４９の両方に設ける、いずれか一方の設けるなど多様な形態がある。  
【００２２】
＜第７の実施の形態＞  
主に請求項１０、１２記載の発明の実施の形態である。  
図１３に示す本発明を実施するための最良の第７の実施の形態において６５はハンドル用テーブルであって、このハンドル用テーブル６５の前記第４の実施の形態と主に異なる点は、  
奥差込片３４の右側に重ね差込開き片３６と同じ形態の重ね差込開き片６６を縦向き折部６７で区切って設けた点にある。  
【００２３】
奥差込片３４および片差込奥支持部３７ａ、３７ｂ、３７ｃの幅を狭くすることができ、保持され部２の折れ難く反り難い堅固性を確保できるとともに、保持され部２の左右が重ね差込開き片３６と重ね差込開き片６６により補強されるんので、より反り難い堅固なテーブル状態の安定したハンドル用テーブルを実現する。
【００２４】
＜第８の実施の形態＞  
主に請求項１３、１４記載の発明の実施の形態である。  
図１４に示す本発明を実施するための最良の第８の実施の形態においてハンドル用テーブル７０は次のようになっている。図１４はハンドル係止部の部分のみを図示して、その下方側は第１の実施の形態と同じであるので図示していない。  
ハンドル用テーブル７０は、  
自動車のハンドル上に保持される保持され部２、この保持され部２に保持されてテーブル状態となるテーブル部４（図示せず）、保持され部２をハンドルＡ上に係止するハンドル係止部７１とからなるハンドル用テーブルであって、  
ハンドル係止部７１が、  
保持され部２の上方に間隔をあけて設けられた下折り部７２、中折り部７３、上折り部７４と、  
下折り部７２と中折り部７３の間に形成された第１のハンドル被さり部７５と、  
中折り部７３と上折り部７４の間に形成された第２のハンドル被さり部７６と、  
上折り部７４の外側に形成された外側部７７と、  
第１のハンドル被さり部７５に設けられたハンドルＡが嵌る下折り部７２と縁を同じ線上にして、中折り部７３からは間隔あけて配置された孔からなる第１のハンドル嵌り孔７８と、  
この第１のハンドル嵌り孔７８の内側に下折り部７２側を保持され部２に連絡して、第１のハンドル嵌り孔７８から抜き形態で形成された起し片７９と、  
第２のハンドル被さり部７６に設けられたハンドルＡが嵌る上折り部７４と縁を同じ線上にして、中折り部７３からは間隔あけて配置された孔からなり、中折り部７３で折り第１の被さり部７５と重ねた状態では第１のハンドル嵌り孔７８と重なる第２のハンドル嵌り孔８０と、  
この第２のハンドル嵌り孔８０の内側に上折り部７４側を外側部７７に連絡して、第２のハンドル嵌り孔８０から抜き形態で形成された差込片８１と、  
この差込片８１の側部に縦向き折部８２により折られ該８１に折り重ねることができる抜け阻止部８３と、  
第２のハンドル被さり部７６が中折り部７３で折られて、抜け阻止部８３が折り重ねられた差込片８１が差し込まれる、保持され部２の上方に設けられた片差込部８４と、からなっている。  
第２のハンドル被さり部７６を下に折り重ねる形態である。  
片差込部８４にいったん差し込まれた抜け阻止部８３および差込片８１は該８３が開いて鉤となり、絶対に抜けることがない折り第１の被さり部７５と第２のハンドル被さり部７６の重なり固定形態を実現する。  
【００２５】
＜第９の実施の形態＞  
主に請求項１３、１４記載の発明の実施の形態である。  
図１５に示す本発明を実施するための最良の第９の実施の形態において前記第８の実施の形態と主に異なる点は、  
第２のハンドル被さり部７６を第１のハンドル嵌り孔７８の上に被さる形態とし、これにともない差込片８１を表上方から片差込部８４に折り差し込むことができるようにしたハンドル用テーブル８６を形成した点にある。  
より具体的には、差込片８１の根元首を外側部７７に食い込む長首形態として、横向き折部８７、８８を形成して差込片８１が９０度折り曲がって片差込部８４に差し込まれるようにしている。  
差込片８１が裏側に配置されるので、ハンドル装着状態では美観を損なわない。  
【００２６】
＜第１０の実施の形態＞  
主に請求項１３記載の発明の実施の形態である。  
図１６に示す本発明を実施するための最良の第１０の実施の形態において前記第８の実施の形態と主に異なる点は、  
第２のハンドル嵌り孔８０の内側に、外側部７７側から左右に突出した抜け阻止部９０ａ、９０ｂを有してなる抜止付差込片９１を設け、片差込部８４に変えて抜止付片差込部９２を設けてなるハンドル用テーブル９３を形成した点にある。
抜止付片差込部９２は上部側が広く下方側が狭くなっていて、抜止付差込片９１を上部側から差込み幅の狭い根元側に達すると、下方に自然に行って抜け阻止片９０ａ、９０ｂが当り抜けないようになる。  
【００２７】
＜第１１の実施の形態＞  
主に請求項５記載の発明の実施の形態である。  
図１７に示す本発明を実施するための最良の第１１の実施の形態においてハンドル用テーブル９５は次のようになっている。  
テーブル状態において、  
上部に設けられたハンドル係止部７１によりハンドルＡ上に掛け保持される保持され部９６と、  
この保持され部９６から分離され該９６の下部側でその下部側を支持されるテーブル下支持部９７と、  
このテーブル下支持部９７に連絡され下方から手前側を支持され且つ保持され部９６に奥側を支持されてテーブル状態となるテーブル部９９と、  
テーブル下支持部９７とテーブル部９９を区切る横向き折部９８と、  
テーブル下支持部９７の下部側に設けられた下差込片１００と、  
この下差込片１００の側部に縦向き折部１０１で折り該下差込片１００に重ねることができる重ね差込開き片１０２と、  
下差込片１００とテーブル下支持部９７を区切る横向き折部１０３と、  
テーブル部９９の奥側の左右に設けられた奥差込片１０４ａ、１０４ｂと、  
この奥差込片１０４ａ、１０４ｂの内側側部に設けられた縦向き折部１０５ａ、１０５ｂで折り該奥差込片１０４ａ、１０４ｂに重ねることができる重ね差込開き片１０６ａ、１０６ｂと、  
奥差込片１０４ａ、１０４ｂとテーブル部９９を区切る横向き折部１１０ａ、１１０ｂと、
保持され部９６の下方側に設けられた下差込片１００に重ね差込開き片１０２を重ね状態にして差し込まれる片差込下支持部１０７ａ、１０７ｂと、  
保持され部９６の中途左右に設けられた奥差込片１０４ａ、１０４ｂに重ね差込開き片１０６ａ、１０６ｂを重ね状態にして差し込まれる片差込奥支持部１０８ａ、１０８ｂ、片差込奥支持部１０９ａ、１９８ｂと、からなり、  
片差込奥支持部１０８ａ、１０８ｂあるいは片差込奥支持部１０９ａ、１９８ｂに奥差込片１０４ａ、１０４ｂとともに差し込まれた重ね差込開き片１０６ａ、１０６ｂが保持され部９６の裏側で開いて、片差込奥支持部から奥差込片１０４ａ、１０４ｂが抜けないようにしてなり、  
片差込下支持部１０７ａ、１０７ｂのいずれかに下差込片１００とともに差し込まれた重ね差込開き片１０２が保持され部９６の裏側で開いて、片差込下支持部から下差込片１００が抜けないようにして、なることを特徴とするハンドル用テーブルである。  
ハンドル係止部７１は第９の実施の形態と同じである。  
【００２８】
ハンドル係止部７１を組立て、ハンドル係止部７１をハンドルＡに被せ保持され部９６をハンドル上に保持する。  
左右の手で奥差込片１０４ａ、１０４ｂに重ね差込開き片１０６ａ、１０６ｂを折り重ね抑えて、片差込奥支持部１０８ａ、１０８ｂあるいは片差込奥支持部１０９ａ、１９８ｂに少し差し込み、左手で保持され部９６を持ち上げ右手で押し込んで差込を完了させる。  
下差込片１００に重ね差込開き片１０２を重ね、片差込下支持部１０７ａ、１０７ｂのいずれかに差し込み、テーブル状態を完成させる。  
【００２９】
＜第１２の実施の形態＞  
主に請求項６記載の発明の実施の形態である。  
図１８に示す本発明を実施するための最良の第１２の実施の形態においてハンドル用テーブル１１５は次のようになっている。  
テーブル状態において、  
ハンドルＡ上に保持される保持され部９６と、  
この保持され部９６の下部側で連結されたテーブル下支持部９７と、  
このテーブル下支持部９７から分離され該９７に下方から手前側を支持され且つ保持され部９６に奥側を支持されてテーブル状態となるテーブル部９８と、  
テーブル下支持部９７に横向き折部１１９で区切られ設けられた上差込片１１６と、  
この上差込片１１６の横に縦向き折部１１７で区切られ設けられた該上差込片１１６に該縦向き折部１１７で折り重ねることができる重ね差込開き片１１８と、  
テーブル部９９の手前側に設けられた上差込片１１６に重ね差込開き片１１８を重ね状態にして差し込まれる片差込上支持部１２０と、  
テーブル部９９の奥側に横向き折部１２１に区切られ設けられた固定片１２２と、  
この固定片１２２に設けられた剥離紙で覆われた粘着部１２３と、からなり、  
保持され部９６の、テーブル部９９が略水平なテーブル状態となる位置に粘着部１２３により固定片１２２を固定し、  
片差込上支持部１２０に上差込片１１６とともに差し込まれた重ね差込開き片１１８がテーブル部９９上で開いて片差込上支持部１２０から上差込片１１６が抜けないようにしてなるハンドル用テーブルである。  
【００３０】
保持され部９６をハンドルＡにハンドル係止部７１を掛け保持する。  
片差込上支持部１２０に上差込片１１６および差し込まれた重ね差込開き片１１８を差し込み、固定片１２２を保持され部９６に当て、上下に滑らせ移動して、テーブル部９９が略水平な状態となる位置を確認し合わせ位置に印を付け、粘着部１２３の剥離紙を剥がし、印に合わせ固定片１２２を保持され部９６に接着固定（接着接合）する。  
固定片１２２は前もって保持され部９６に固定（接合）された状態で、提供される形態もよい。  
【００３１】
＜第１３の実施の形態＞  
主に請求項８記載の発明の実施の形態である。  
図１９に示す本発明を実施するための最良の第１３の実施の形態においてハンドル用テーブル１２６は次のようになっている。  
テーブル状態において、  
ハンドル上に保持される保持され部９６と、  
この保持され部９６の下部側に支持される該９６から分離されたテーブル下支持部９７と、  
このテーブル下支持部９７に下方から手前側を支持され且つ保持され部９６に奥側を支持されてテーブル状態となる該９７、９６から分離されたテーブル部９９と、  
テーブル下支持部９７の上部側に横向き折部１３６で区切られ設けられた上差込片１１６と、  
この上差込片１１６の側部に縦向き折部１１７で区切られ設けられた該１１６に折り重ねることができる重ね差込開き片１１８と、  
テーブル下支持部９７の下部側に横向き折部１３５で区切られ設けられた下差込片１２７と、  
この下差込片１２７の側部に縦向き折部１２８で区切られ設けられた該１２７に折り重ねることができる重ね差込開き片１２９と、  
テーブル部９９の奥側中央に横向き折部１３０で区切られ設けられた奥差込片１３１と、  
奥差込片１３１の左右に縦向き折部１３２ａ、１３２ｂで区切られ設けられた該１３１に折り重ねることができる重ね差込開き片１３３ａ、１３３ｂと、  
テーブル部９９の手前側に設けられた上差込片１１６に重ね差込開き片１１８を重ね状態にして差し込まれる片差込上支持部１２０と、  
保持され部９６の下方側に設けられた下差込片１２７に重ね差込開き片１２９を重ね状態にして差し込まれる片差込下支持部１０７ａ、１０７ｂと、  
保持され部９６の中途に設けられた奥差込片１３１に重ね差込開き片１３３ａ、１３３ｂを重ね状態にして差し込まれる片差込奥支持部１３４ａ〜１３４ｃと、からなり、  
片差込上支持部１２０に上差込片１１６とともに差し込まれた重ね差込開き片１１８がテーブル部９９上で開いて、片差込上支持部１２０から上差込片１１６が抜けないようにしてなり、  
片差込下支持部１０７ａ、１０７ｂのいずれかに下差込片１２７とともに差し込まれた重ね差込開き片１２９が保持され部９６の裏側で開いて、片差込下支持部から下差込片１２７が絶対に抜けないようにしてなり、
片差込奥支持部１３４ａ〜１３４ｃのいずれに奥差込片１３１とともに差し込まれた重ね差込開き片１３３ａ、１３３ｂが保持され部９６裏側で開いて、片差込奥支持部から奥差込片１３１が絶対に抜けないようにしてなる、ハンドル用テーブルである。  
【００３２】
保持され部９６側、テーブル下支持部９７側、テーブル部９９側が樹脂製部材とダンボール製部材という別部材とするのもよい。  
保持され部側を樹脂製部材とするのがよく、その場合のハンドル係止部は１つのハンドル嵌め込み孔と一本の横向き折部で十分である。  
ハンドル嵌め込み孔はハンドルの太さよりも幅広（１０ｍｍ〜５０ｍｍ程度の幅広がよい）とするのがよい。  
【００３３】
＜第１４の実施の形態＞  
主に請求項９、１６、１７記載の発明の実施の形態である。  
図２０に示す本発明を実施するための最良の第１４の実施の形態においてハンドル用テーブル１４０は次のようになっている。
テーブル状態において、  
ハンドルＡ上に保持される保持され部９６と、  
この保持され部９６の下部側で支持される該９６と分離されたテーブル下支持部９７と、  
このテーブル下支持部９７に連絡され下方から手前側を支持され且つ保持され部９６に奥側を支持されてテーブル状態となるテーブル部９９と、  
テーブル下支持部９７とテーブル部９９を区切る横向き折部９８と、  
テーブル下支持部９７の中央下部側に横向き折部１４１で区切られ設けられた下差込片１４２と、  
この下差込片１４２の側部に縦向き折部１４３で折り該１４２に折り重ねることができる重ね差込開き片１４４と、  
テーブル部９９の中央奥側に横向き折部１３９で区切り設けられた奥差込片１４５と、  
この奥差込片１４５の側部に縦向き折部１４６で区切られ設けられた縦向き折部１４６で折り奥差込片１４５に重ねることができる重ね差込開き片１４７と、  
保持され部９６の下方側に設けられた下差込片１４２に重ね差込開き片１４４を重ね状態にして差し込まれる片差込下支持部１０７ａ、１０７ｂと、
保持され部９６の中途中央に設けられた奥差込片１４５に重ね差込開き片１４７を重ね状態にして差し込まれる片差込奥支持部１３４ａ、１３４ｂと、
保持され部９６の上部に横向き折部７２で区切られ設けられたハンドル係止部１５０と、からなり、  
片差込下支持部１０７ａ、１０７ｂのいずれかに下差込片１４２とともに差し込まれた重ね差込開き片１４４が保持され部９６の裏側で開いて、片差込下支持部から下差込片１４２が抜けないようにしてなり、  
片差込奥支持部１３４ａ、１３４ｂのいずれかに奥差込片１４５とともに差し込まれた重ね差込開き片１４７が保持され部９６の裏側で開いて、片差込奥支持部から奥差込片１４５が抜けないようにしてなるハンドル用テーブルである。  
【００３４】
ハンドル係止部１５０は、  
保持され部９６の上部に横向き折部７２で区切られて設けられたハンドル被さり部１５１と、  
このハンドル被さり部１５１に設けられた握り部太さ３０ｍｍのハンドルＡが嵌る孔からなる奥行き略５０ｍｍ×略横幅３００ｍｍのハンドル嵌り孔１５２と、  
このハンドル嵌り孔１５２内に奥側に横向き折部１５３で区切られ設けられた、ハンドル嵌り孔１５２に嵌ったハンドルＡに押し起されてハンドルＡの背部側に当るハンドル当り片１５４と、  
ハンドル嵌り孔１５２内の左側、右側に縦向き折部１５５ａ、１５５ｂで区切られ設けられた、ハンドル嵌り孔１５２に嵌ったハンドルＡに起されてハンドルの左側側部、右側側部に当るハンドル左当り片１５６ａ、ハンドル右当り片１５６ｂと、からなるハンドル係止部である。  
ハンドル嵌り孔１５２の切り口がハンドルに直接当らず、背部左右の当り片によりハンドル嵌り孔１５２の縁の強度が強化されるので、変形し難く破れ難い形態を実現している。
【００３５】
＜第１５の実施の形態＞  
主に請求項７記載の発明の実施の形態である。  
図２１に示す本発明を実施するための最良の第１５の実施の形態において前記第１３の実施の形態と主に異なる点は、重ね差込開き片１３３ａ、１３３ｂを設けない奥差込片１３１の表側に粘着部１５９を設けてなるハンドル用テーブル１６０を形成した点にある。  
ハンドルＡに保持され部９６を保持させ、下差込片１２７および重ね差込開き片１２９を片差込下支持部１０７ａ、１０７ｂのいずれかに差し込み、片差込上支持部１２０に上差込片１１６および重ね差込開き片１１８を差し込み、奥差込片１３１を保持され部９６に当て上下に移動させて、テーブル部９９が水平なテーブル状態となった位置で止め、その位置に最も近い片差込奥支持部１３４ａ〜１３４ｃのいずれかを確認し、粘着部１５９の剥離紙を剥がして確認した片差込奥支持部に奥差込片１３１を差し込み粘着部１５９を保持され部９６の裏側に接着固定する。  
【００３６】
＜第１６の実施の形態＞  
主に請求項１１記載の発明の実施の形態である。  
図２２に示す本発明を実施するための最良の第１６の実施の形態においてハンドル用テーブル１６５は次のようになっている。  
テーブル状態において、  
ハンドルＡ上に保持される保持され部９６と、  
この保持され部９６の下部側に横向き折部１６６で区切り奥側を支持され設けられたテーブル部１６７と、  
このテーブル部１６７の手前側の左右に連絡された左テーブル吊り支持部１６８、右テーブル吊り支持部１６９と、  
この左テーブル吊り支持部１６８と右テーブル吊り支持部１６９を奥側で連絡する連絡部１７０と、  
左テーブル吊り支持部１６８と右テーブル吊り支持部１６９と連絡部１７０により開口形成された開口部１７１と、  
連絡部１７０の奥側に横向き折部１７２で区切り設けられた奥差込片１７３と、  
この奥差込片１７３の横に縦向き折部１７４で区切られ設けられた該１７３に折り重ねることができる重ね差込開き片１７５と、  
保持され部９６の中途に設けられた奥差込片１７３に重ね差込開き片１７５を重ね状態にして差し込まれる片差込奥支持部１７６ａ、１７６ｂ、１７６ｃと、からなり、  
片差込奥支持部１７６ａ、１７６ｂ、１７６ｃのいずれかに奥差込片１７３および重ね差込開き片１７５が差し込まれ抜けないように支持された状態で、保持され部９６と左テーブル吊り支持部１６８および右テーブル吊り支持部１６９によってテーブル部１６７のテーブル状態が保持されるようになっていて、  
片差込奥支持部１７６ａ、１７６ｂ、１７６ｃのいずれかに奥差込片１７３とともに差し込まれた重ね差込開き片１７５を保持され部９６の裏側で開いて、片差込奥支持部から奥差込片１７５が抜けないようにしてなるハンドル用テーブルである。  
【００３７】
＜第１７の実施の形態＞  
主に請求項１８，１９，２０記載の発明の実施の形態である。  
図２３、図２４に示す本発明を実施するための最良の第１７の実施の形態においてハンドル用テーブル１８０は次のようになっている。  
テーブル状態において、  
ハンドルＡ上に保持される保持され部９６と、  
この保持され部９６に下部側を支持される該９６から分離されたテーブル下支持部９７と、  
このテーブル下支持部９７の上部側で手前側を支持され且つ奥側を保持され部９６に支持される、テーブル下支持部９７と横向き折部９８で区切られ保持され部９６から分離されてなるテーブル部９９と、  
このテーブル部９９の奥側中央に横向き折部１３９で区切られ設けられた、保持され部９６の略１／３強の横幅である奥差込片１８１と、  
この奥差込片１８１の左右に縦向き折部１８２、１８３で区切られ設けられた該１８１に該１８２、１８３で折り重ねることができる左重ね差込開き片１８４、右重ね差込開き片１８５と、  
テーブル下支持部９７の中央下部側に横向き折部１４１で区切られ設けられた下差込片１４２と、  
この下差込片１４２の側部に縦向き折部１４３で折り該１４２に折り重ねることができる重ね差込開き片１４４と、  
保持され部９６の中途の縦中央線を中心にして設けられた（中央に設けられた）奥差込片１８１に左重ね差込開き片１８４および右重ね差込開き片１８５を重ね状態にして差し込まれる片差込奥支持部１８６と、  
この片差込奥支持部１８６から間隔をあけて上方に設けられた前記保持され部を折り畳むための折畳用折部１８７と、  
奥差込片１８１、左重ね差込開き片１８４および右重ね差込開き片１８５の上下幅が折畳用折部１８７を超える上下幅であって、奥差込片１８１、左重ね差込開き片１８４および右重ね差込開き片１８５が片差込奥支持部１８６に差し込まれて保持され部９６の裏側で折り上げ状態とされ、保持され部９６と奥差込片１８１、左重ね差込開き片１８４および右重ね差込開き片１８５が折畳用折部１８７より下方で接着剤１８９により接合されてなる接合部１８８と、  
この接合部１８８から上方で奥差込片１８１、左重ね差込開き片１８４および右重ね差込開き片１８５と保持され部９６が分離されてなる分離部１９０と、  
保持され部９６の下方に設けられた下差込片１４２に重ね差込開き片１４４て差し込む片差込下支持部１０７ａ、１０７ｂ、１０７ｃと、からなり、  
折畳用折部１８７で折られる保持され部９６が表側には折ることができるが裏側には奥差込片１８１、左重ね差込開き片１８４および右重ね差込開き片１８５によって折りが阻止されるようにしてなるハンドル用テーブルである。  
【００３８】
ハンドル係止部１５０をハンドルＡに被せ掛けてハンドルＡに保持され部９６を保持し、下差込片１４２に重ね差込開き片１４４を片差込下支持部１０７ａ、１０７ｂ、１０７ｃのテーブル部９９の略水平〜水平より手前側が上がり気味となる部位に差し込んでテーブルを形成する。  
重ね差込開き片１４４は開いてハンドルに当り折り上げられるか折りげられるかして、ハンドルＡの左側と保持され部９６に挟ように保持される。  
下差込片１４２は重ね差込開き片１４４を重ね引かない限り該１４４が鉤となり絶対に抜けない安全な形態を実現している。  
図２４の下図において、横向き折部１８７で保持され部９６を上に折り畳み、横向き折部９８でテーブル下支持部９７を下に折り畳む簡単な折り畳みで平状態とできる。  
【００３９】
図１８に示すような形態である、テーブル下支持部９７を保持され部９６に横向き折部６で区切り連絡し、テーブル下支持部９７とテーブル部９９を分離し、テーブル下支持部９７の上部に横向き折部１１９で区切られた上差込片１１６を設け、この上差込片１１６の横に縦向き折部１１７で区切られ該上差込片１１６に折り重ねることができる重ね差込開き片１１８を設け、テーブル部９９の手前側に上差込片１１６に重ね差込開き片１１８を重ね状態にして差し込まれる片差込上支持部１２０を設けてなる形態もよい。  
【００４０】
全体の横幅を略２９７ｍｍ（略Ａ４版）として、横幅および全体の構成部位をその横幅縮小分縮小した形態のものもよい。こうすることにより、Ａ４版の雑誌などの付録として添付できる小型化を実現する。  
よりＡ４版にするために、全体の長さを縮小するのがよい。
【００４１】
片差込奥支持部が複数設けられ、重ね差込開き片の接合部に当る部位に剥離紙でカバーされた粘着部を設け、使用者に提供され、使用者がハンドルの傾きに合わせて片差込奥支持部を選択し、奥差込片１８１、左重ね差込開き片１８４および右重ね差込開き片１８５を選択した片差込奥支持部に差し込み、剥離紙（図示せず）を剥がし接着接合するようにするのもよい。  
【産業上の利用可能性】
【００４２】
本発明は自動車関連グッズを製造する産業、広告産業、パッケージを製造する産業で利用される。
【図面の簡単な説明】
【００４３】
【図１】本発明を実施するための最良の第１の実施の形態の展開図。
【図２】本発明を実施するための最良の第１の実施の形態のハンドルにセットした状態の側面図および背面図。
【図３】本発明を実施するための最良の第１の実施の形態の自動車のサンバイザーに掛け下げて日除けとした状態図および腿に載せたテーブル状態図。
【図４】本発明を実施するための最良の第２の実施の形態の展開図。
【図５】本発明を実施するための最良の第２の実施の形態のハンドルにセットした状態の背面図。
【図６】本発明を実施するための最良の第３の実施の形態の展開図。
【図７】本発明を実施するための最良の第４の実施の形態の展開図。
【図８】本発明を実施するための最良の第４の実施の形態のハンドルへの取付手順図。
【図９】本発明を実施するための最良の第４の実施の形態のハンドルにセットした状態の背面図。
【図１０】本発明を実施するための最良の第４の実施の形態の実線で表された部分が部分意匠として意匠登録を受けようとする部分である正面図、背面図、右側面図、左側面図、平面図、底面図および中央横切断端面図。
【図１１】本発明を実施するための最良の第５の実施の形態の展開裏面図。
【図１２】本発明を実施するための最良の第６の実施の形態の展開図。
【図１３】本発明を実施するための最良の第７の実施の形態の展開図。
【図１４】本発明を実施するための最良の第８の実施の形態の部分展開図およびハンドルに装着した状態部分側面図。
【図１５】本発明を実施するための最良の第９の実施の形態の部分展開図およびハンドルに装着した状態部分側面図。
【図１６】本発明を実施するための最良の第１０の実施の形態の部分展開図およびハンドルに装着した状態部分側面図。
【図１７】本発明を実施するための最良の第１１の実施の形態の展開図およびハンドルにセットした状態の側面図。
【図１８】本発明を実施するための最良の第１２の実施の形態の展開図およびハンドルにセットした状態の側面図。
【図１９】本発明を実施するための最良の第１３の実施の形態の展開図およびハンドルにセットした状態の側面図。
【図２０】本発明を実施するための最良の第１４の実施の形態の展開図およびハンドルにセットした状態の側面図。
【図２１】本発明を実施するための最良の第１５の実施の形態の展開図およびハンドルにセットした状態の側面図。
【図２２】本発明を実施するための最良の第１６の実施の形態の展開図およびハンドルにセットした状態の側面図。
【図２３】本発明を実施するための最良の第１７の実施の形態の組立分解展開図およびハンドルにセットした状態の組立側面図。
【図２４】本発明を実施するための最良の第１７の実施の形態のハンドルにセットした状態の組立背面図および折畳拡大側面図。
【符号の説明】
【００４４】
Ａ：ハンドル、  
１：ハンドル用テーブル、  
２：保持され部、  
３：テーブル下支持部、  
４：テーブル部、  
５：奥差込片、  
６：横向き折部、  
７：横向き折部、  
８：横向き折部、  
９ａ、９ｂ：片差込奥支持部、  
１０：ハンドル係止部、  
１１：横向き折部、  
１２：ハンドル嵌り孔、  
１３：横向き折部、  
１４：膝挟み片、  
１５：片差込奥支持部、  
１６：ドリンクホルダー、  
２０：ハンドル用テーブル、  
２１：奥差込片、  
２２：短片突起部、  
２３ａ、２３ｂ、２３ｃ：片差込奥支持部、  
２４ａ、２４ｂ、２４ｃ：突起入り孔、  
２７：ハンドル用テーブル、  
２８：奥差込片、  
２９ａ、２９ｂ、２９ｃ：片差込奥支持部、  
３０：本支持片、  
３３：ハンドル用テーブル、  
３４：奥差込片、  
３５：縦向き折部、  
３６：重ね差込開き片、  
３７ａ、３７ｂ、３７ｃ：片差込奥支持部、  
４０：ハンドル用テーブル、  
４１：片差込部、  
４３：左起し片、  
４４：右起し片、  
４５：後起し片、  
４６：前起し片、  
４８：ハンドル用テーブル、  
４９：ハンドル嵌り孔、  
５０：後起し片、  
５１：横向き折部、  
５２：奥差込片、  
５３：重ね差込開き片、  
５４：中横向き折部、  
５５：重ねハンドル係止部、  
５６：横向き折部、  
５７：折端部、  
５８ａ、５８ｂ：抜け阻止部、  
５９：抜止付差込片、  
６０：抜止付片差込部、  
６１：折下げ片、  
６５：ハンドル用テーブル、  
６６：重ね差込開き片、  
６７：縦向き折部、  
７０：ハンドル用テーブル、  
７１：ハンドル係止部、  
７２：下折り部、  
７３：中折り部、  
７４：上折り部、  
７５：第１のハンドル被さり部、  
７６：第２のハンドル被さり部、  
７７：外側部、  
７８：第１のハンドル嵌り孔、  
７９：起し片、  
８０：第２のハンドル嵌り孔、  
８１：差込片、  
８２：縦向き折部、  
８３：抜け阻止部、  
８４：片差込部、  
８６：ハンドル用テーブル、  
８７：横向き折部、  
８８：横向き折部、  
９０ａ、９０ｂ：抜け阻止部、  
９１：抜止付差込片、  
９２：抜止付片差込部、  
９３：ハンドル用テーブル、  
９５：ハンドル用テーブル、  
９６：保持され部、  
９７：テーブル下支持部、  
９８：横向き折部、  
９９：テーブル部、  
１００：下差込片、  
１０１：縦向き折部、  
１０２：重ね差込開き片、  
１０３：横向き折部、  
１０４ａ、１０４ｂ：奥差込片、  
１０５ａ、１０５ｂ：縦向き折部、  
１０６ａ、１０６ｂ：重ね差込開き片、  
１０７ａ、１０７ｂ、１０７ｃ：片差込下支持部、  
１０８ａ、１０８ｂ：片差込奥支持部、  
１０９ａ、１９８ｂ：片差込奥支持部、  
１１０ａ、１１０ｂ：横向き折部、  
１１５：ハンドル用テーブル、  
１１６：上差込片、  
１１７：縦向き折部、  
１１８：重ね差込開き片、  
１１９：横向き折部、  
１２０：片差込上支持部、  
１２１：横向き折部、  
１２２：固定片、  
１２３：粘着部、  
１２６：ハンドル用テーブル、  
１２７：下差込片、  
１２８：縦向き折部、  
１２９：重ね差込開き片、  
１３０：横向き折部、  
１３１：奥差込片、  
１３２ａ、１３２ｂ：縦向き折部、  
１３３ａ、１３３ｂ：重ね差込開き片、  
１３４ａ〜１３４ｃ：片差込奥支持部、  
１３５：横向き折部、  
１３６：横向き折部、  
１３９：横向き折部、  
１４０：ハンドル用テーブル、  
１４１：横向き折部、  
１４２：下差込片、  
１４３：縦向き折部、  
１４４：重ね差込開き片、  
１４５：奥差込片、  
１４６：重ね差込開き片、  
１４７：重ね差込開き片、  
１５０：ハンドル係止部、  
１５１：ハンドル被さり部、  
１５２：ハンドル嵌り孔、  
１５３：横向き折部、  
１５４：ハンドル当り片、  
１５５ａ、１５５ｂ：縦向き折部、  
１５６ａ：ハンドル左当り片、  
１５６ｂ：ハンドル右当り片、  
１５９：粘着部、  
１６０：ハンドル用テーブル、  
１６５：ハンドル用テーブル、  
１６６：横向き折部、  
１６７：テーブル部、  
１６８：左テーブル吊り支持部、  
１６９：右テーブル吊り支持部、  
１７０：連絡部、  
１７１：開口部、  
１７２：横向き折部、  
１７３：奥差込片、  
１７４：縦向き折部、  
１７５：重ね差込開き片、  
１７６ａ、１７６ｂ、１７６ｃ：片差込奥支持部、  
１８０：ハンドル用テーブル、  
１８１：奥差込片、  
１８２：縦向き折部、  
１８３：縦向き折部、  
１８４：左重ね差込開き片、  
１８５：右重ね差込開き片、  
１８６：片差込奥支持部、  
１８７：折畳用折部、  
１８８：接合部、  
１８９：接着剤、  
１９０：分離部。
【図１】
2008168750.tif 000003
【図２】
2008168750.tif 000004
【図３】
2008168750.tif 000005
【図４】
2008168750.tif 000006
【図５】
2008168750.tif 000007
【図６】
2008168750.tif 000008
【図７】
2008168750.tif 000009
【図８】
2008168750.tif 000010
【図９】
2008168750.tif 000011
【図１０】
2008168750.tif 000012
【図１１】
2008168750.tif 000013
【図１２】
2008168750.tif 000014
【図１３】
2008168750.tif 000015
【図１４】
2008168750.tif 000016
【図１５】
2008168750.tif 000017
【図１６】
2008168750.tif 000018
【図１７】
2008168750.tif 000019
【図１８】
2008168750.tif 000020
【図１９】
2008168750.tif 000021
【図２０】
2008168750.tif 000022
【図２１】
2008168750.tif 000023
【図２２】
2008168750.tif 000024
【図２３】
2008168750.tif 000025
【図２４】
2008168750.tif 000026
【手続補正書】
【提出日】平成19年11月24日(2007.11.24)
【手続補正１】
【補正対象書類名】特許請求の範囲
【補正対象項目名】全文
【補正方法】変更
【補正の内容】
【特許請求の範囲】
【請求項１】
テーブル状態において、
ハンドル上に保持される保持され部と、
この保持され部に支持されるテーブル支持部と、
このテーブル支持部と前記保持され部に支持されてテーブル状態となるテーブル部と、
前記テーブル支持部あるいは前記テーブル部に設けられた差込片と、
この差込片の側部に縦向き折部で区切られ設けられた該差込片に該縦向き折部で折り重ねることができる重ね差込開き片と、
前記保持され部に設けられた前記差込片に前記重ね差込開き片を折り重ね状態にして差し込まれる片差込支持部と、からなり、
前記片差込支持部に前記差込片とともに差し込まれた前記重ね差込開き片が前記保持され部裏側で開いて、前記保持され部裏壁に当って前記片差込支持部から前記差込片が抜けないようにしてなり、且つ、前記片差込支持部への前記差込片の差込支持により前記テーブル部のテーブル状態が保持されるようにしてなることを特徴とするハンドル用テーブル。  
【請求項２】
テーブル状態において、
ハンドル上に保持される保持され部と、
この保持され部の下部側で支持されるテーブル下支持部と、
このテーブル下支持部に連絡され下方から手前側を支持され且つ前記保持され部に奥側を支持されてテーブル状態となるテーブル部と、
前記テーブル下支持部と前記テーブル部を区切る横向き折部と、
前記テーブル下支持部に設けられた下差込片と、
この下差込片の横に縦向き折部で区切られ設けられた該下差込片に該縦向き折部で折り重ねることができる重ね差込開き片と、
前記保持され部の下方に設けられた前記下差込片に前記重ね差込開き片を重ね状態にして差し込まれる片差込下支持部と、からなり、
前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブル。  
【請求項３】
テーブル状態において、
ハンドル上に保持される保持され部と、
この保持され部の下部側で支持されるテーブル下支持部と、
このテーブル下支持部に下方から手前側を支持され且つ前記保持され部に奥側を支持されてテーブル状態となるテーブル部と、
前記テーブル下支持部に設けられた上差込片と、
この上差込片の横に縦向き折部で区切られ設けられた該上差込片に該縦向き折部で折り重ねることができる重ね差込開き片と、
前記テーブル部の手前側に設けられた前記上差込片に前記重ね差込開き片を重ね状態にして差し込まれる片差込上支持部と、からなり、
前記片差込上支持部に前記上差込片とともに差し込まれた前記重ね差込開き片が前記テーブル部上で開いて前記片差込上支持部から前記上差込片が抜けないようにしてなることを特徴とするハンドル用テーブル。  
【請求項４】
テーブル状態において、
ハンドル上に保持される保持され部と、
この保持され部の下部側で支持されるテーブル下支持部と、
このテーブル下支持部に下方から手前側を支持され且つ前記保持され部に奥側を支持されてテーブル状態となるテーブル部と、
前記テーブル下支持部の上部側に設けられた上差込片と、
前記テーブル下支持部の下部側に設けられた下差込片と、
前記上差込片と前記下差込片の横に縦向き折部で区切られ設けられた該各差込片に該縦向き折部で折り重ねることができる重ね差込開き片と、
前記テーブル部の手前側に設けられた前記上差込片に前記重ね差込開き片を重ね状態にして差し込まれる片差込上支持部と、
前記保持され部の下方側に設けられた前記下差込片に前記重ね差込開き片を重ね状態にして差し込まれる片差込下支持部と、からなり、
前記片差込上支持部に前記上差込片とともに差し込まれた前記重ね差込開き片が前記テーブル部上で開いて、前記片差込上支持部から前記上差込片が抜けないようにしてなり、
前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブル。
【請求項５】
テーブル状態において、
ハンドル上に保持される保持され部と、
この保持され部の下部側で支持されるテーブル下支持部と、
このテーブル下支持部に下方から手前側を支持され且つ前記保持され部に奥側を支持されてテーブル状態となるテーブル部と、
前記テーブル下支持部の上部側に設けられた上差込片と、
前記テーブル下支持部の下部側に設けられた下差込片と、
前記テーブル部の奥側に設けられた奥差込片と、
前記上差込片と前記下差込片と前記奥差込片の横に縦向き折部で区切られ設けられた該各差込片に該縦向き折部で折り重ねることができる重ね差込開き片と、
前記テーブル部の手前側に設けられた前記上差込片に前記重ね差込開き片を重ね状態にして差し込まれる片差込上支持部と、
前記保持され部の下方側に設けられた前記下差込片に前記重ね差込開き片を重ね状態にして差し込まれる片差込下支持部と、
前記保持され部の中途に設けられた前記奥差込片に前記重ね差込開き片を重ね状態にして差し込まれる片差込奥支持部と、からなり、
前記片差込上支持部に前記上差込片とともに差し込まれた前記重ね差込開き片が前記テーブル部上で開いて、前記片差込上支持部から前記上差込片が抜けないようにしてなり、
前記片差込下支持部に前記下差込片とともに差し込まれた前記重ね差込開き片が前記保持され部裏側で開いて、前記片差込下支持部から前記下差込片が抜けないようにしてなり、
前記片差込奥支持部に前記奥差込片とともに差し込まれた前記重ね差込開き片が前記保持され部裏側で開いて、前記片差込奥支持部から前記奥差込片が抜けないようにしてなることを特徴とするハンドル用テーブル。  
【請求項６】
テーブル状態において、
ハンドル上に保持される保持され部と、
この保持され部の下部側で支持されるテーブル下支持部と、
このテーブル下支持部に連絡され下方から手前側を支持され且つ前記保持され部に奥側を支持されてテーブル状態となるテーブル部と、
前記テーブル下支持部と前記テーブル部を区切る横向き折部と、
前記テーブル下支持部の下部側に設けられた下差込片と、
この下差込片の側部に第１の縦向き折部で区切り設けられた該第１の縦向き折部で折り該下差込片に重ねることができる第１の重ね差込開き片と、
前記テーブル部の奥側に設けられた奥差込片と、
この奥差込片の側部に第２の縦向き折部で区切り設けられた該第２の縦向き折部で折り該奥差込片に重ねることができる第２の重ね差込開き片と、
前記保持され部の下方側に設けられた前記下差込片に前記第１の重ね差込開き片を重ね状態にして差し込まれる片差込下支持部と、
前記保持され部の中途に設けられた前記奥差込片に前記第２の重ね差込開き片を重ね状態にして差し込まれる片差込奥支持部と、からなり、
前記片差込下支持部に前記下差込片とともに差し込まれた前記第１の重ね差込開き片が前記保持され部裏側で開いて、前記片差込下支持部から前記下差込片が抜けないようにしてなり、
前記片差込奥支持部に前記奥差込片とともに差し込まれた前記第２の重ね差込開き片が前記保持され部裏側で開いて、前記片差込奥支持部から前記奥差込片が抜けないようにしてなることを特徴とするハンドル用テーブル。  
【請求項７】
テーブル状態において、
ハンドル上に保持される保持され部と、
この保持され部に連絡されたテーブル下支持部と、
このテーブル下支持部に連絡され奥側を前記保持され部に支持されるテーブル部と、
このテーブル部の奥側に設けられた奥差込片と、
この奥差込片の横に縦向き折部で区切られ設けられた該奥差込片に該縦向き折部で折り重ねることができる重ね差込開き片と、
前記保持され部と前記テーブル支持部の区切りである第１横向き折部と、
前記テーブル下支持部と前記テーブル部の区切りである第２横向き折部と、
前記テーブル部と前記奥差込片の区切りである第３横向き折部と、
前記保持され部の中途に設けられた前記奥差込片に前記重ね差込開き片を重ね状態にして差し込まれる片差込奥支持部と、からなり、
前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブル。
【請求項８】
テーブル状態において、
ハンドル上に保持される保持され部と、
この保持され部の下部側に奥側を支持されたテーブル部と、
このテーブル部の手前側の左右に連絡された左テーブル吊り支持部、右テーブル吊り支持部と、
この左テーブル吊り支持部と右テーブル吊り支持部を奥側で連絡する連絡部と、
この連絡部の奥側に設けられた奥差込片と、
この奥差込片の横に縦向き折部で区切られ設けられた該奥差込片に該縦向き折部で折り重ねることができる重ね差込開き片と、
前記保持され部の中途に設けられた前記奥差込片に前記重ね差込開き片を重ね状態にして差し込まれる片差込奥支持部と、からなり、
前記片差込奥支持部に前記奥差込片が差し込まれ抜けないように支持された状態で、前記保持され部と前記左テーブル吊り支持部および右テーブル吊り支持部によってテーブル部のテーブル状態が保持されるようになっていて、
前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブル。
【請求項９】
テーブル状態において、  
ハンドル上に保持される保持され部と、  
この保持され部に下部側を支持されるテーブル下支持部と、  
このテーブル下支持部の上部側で手前側を支持され且つ奥側を前記保持され部に支持されるテーブル部と、
前記テーブル下支持部の下部側に設けられた下差込片と、
この下差込片の側部に第１の縦向き折部で区切り設けられた該第１の縦向き折部で折り該下差込片に重ねることができる第１の重ね差込開き片と、
前記保持され部の下方側に設けられた前記下差込片に前記第１の重ね差込開き片を重ね状態にして差し込まれる片差込下支持部と、
前記テーブル部の奥側に設けられた奥差込片と、  
この奥差込片の横に第２の縦向き折部で区切られ設けられた該奥差込片に該第２の縦向き折部で折り重ねることができる第２の重ね差込開き片と、  
前記テーブル部と前記奥差込片の区切りである横向き折部と、  
前記保持され部の中途に設けられた前記奥差込片に前記第２の重ね差込開き片を重ね状態にして差し込まれる片差込奥支持部と、  
この片差込奥支持部から間隔をあけて上方に設けられた前記保持され部を折り畳むための折畳用折部と、  
前記第２の重ね差込開き片の上下幅が前記折畳用折部を超える上下幅であって、前記奥差込片および前記第２の重ね差込開き片が前記片差込奥支持部に差し込まれて前記保持され部の裏側で折り上げ状態とされ、前記保持され部と前記第２の重ね差込開き片が前記折畳用折部より下方で接着剤やステップラーなどにより接合されてなる接合部と、  
この接合部から上方で前記第２の重ね差込開き片と前記保持され部が分離されてなる分離部と、
からなり、  
前記折畳用折部で折られる保持され部が表側には折ることができるが裏側には前記第２の重ね差込開き片によって折りが阻止され、前記片差込下支持部に前記下差込片とともに差し込まれた前記第１の重ね差込開き片が前記保持され部裏側で開いて、前記片差込下支持部から前記下差込片が抜けないようにしてなることを特徴とするハンドル用テーブル。
【手続補正２】
【補正対象書類名】明細書
【補正対象項目名】全文
【補正方法】変更
【補正の内容】
【発明の詳細な説明】
【技術分野】
【０００１】
本発明は、主に自動車のハンドルに装着して簡易的なテーブルを形成するハンドル用テーブルに関する。  
【背景技術】
【０００２】
従来、一枚のダンボール製板部材を一発打抜で形成たハンドル用テーブルとして、特許文献１に記載された第１型ハンドル用テーブル、第２型ハンドル用テーブル、第３型ハンドル用テーブル、第４型ハンドル用テーブル、第５型ハンドル用テーブルがある。  
（１）上記「第１型ハンドル用テーブル」は、  
テーブル状態において、  
ハンドル上に保持される保持され部（ハンドル支持・寄り掛け部２）と、
この保持され部（ハンドル支持・寄り掛け部２）の下部に設けられたテーブル下支持部（テーブル下支持部４）と、
このテーブル下支持部（テーブル下支持部４）の下部に支持されるように設けられたテーブル部（テーブル部６）と、
このテーブル部（テーブル部６）の奥側中央に設けられた保持され部の横幅の１／３強幅の奥奥差込片（上部挿入片１７）と、
保持され部（ハンドル支持・寄り掛け部２）とテーブル支持部（テーブル下支持部４）の区切りである第１横向き折部（折部３）と、
テーブル支持部（テーブル下支持部４）とテーブル部（テーブル部６）の区切りである第２横向き折部（折部５）と、
テーブル部（テーブル部６）と奥奥差込片（上部挿入片１７）の区切りである第３横向き折部（折部７）と、
保持され部（ハンドル支持・寄り掛け部２）の中央に設けられた奥奥差込片（上部挿入片１７）と略同じ横幅の該奥差込片が差し込まれる片差込奥支持部（片挿入部１４、１５）とからなり、
片差込奥支持部（片挿入部１４、１５）に差し込まれて下向きに折り下げられた状態でハンドルの下部と保持され部（ハンドル支持・寄り掛け部２）に挟まれた奥差込片（上部挿入片１７）とテーブル下支持部（テーブル下支持部４）によってテーブル部（テーブル部６）のテーブル状態が保持されるようになっているハンドル用テーブル（簡易テーブル１）である。  
（２）上記「第２型ハンドル用テーブル」の前記「第１型ハンドル用テーブル」（簡易テーブル１）と主に異なる点は、
保持され部（ハンドル支持・寄り掛け部２）の左右に横抜き開口された左片差込奥支持部、右片差込奥支持部（片挿入部４１、４２）を設け、テーブル部（テーブル部６）の左右に左片差込奥支持部、右片差込奥支持部（片挿入部４１、４２）に差し込まれる、左横向き折部、右横向き折部（折部１６、１６）で区切り設けてなる、保持され部（ハンドル支持・寄り掛け部２）とハンドルＡの左側、右側との間に挟まれて、テーブル部（テーブル部６）のテーブル状態を支持するための保持され部の横幅の１／３弱の横幅の右奥差込片、左奥差込片（上部挿入片４３、４４）を設けたハンドル用テーブル（簡易テーブル４０）を形成した点にある。  
（３）上記「第３型ハンドル用テーブル」の前記「第１型ハンドル用テーブル」（簡易テーブル１）と主に異なる点は、
保持され部の中途でテーブル部の奥側が支持され、テーブル部の前方ないし側部に連絡されたテーブル下支持部に下差込片が設けられ、この下差込片を差し込んでテーブル部のテーブル状態を保持する孔からなる差込片下支持部が保持され部の下方に設けられてなるハンドル用テーブルである。  
（４）上記「第４型ハンドル用テーブル」の前記「第１型ハンドル用テーブル」（簡易テーブル１）と主に異なる点は、
保持され部の中途でテーブル部の奥側が支持され、テーブル部の前方に孔からなる差込片上差込部が設けられ、保持され部の下部に連絡されたテーブル下支持部に上差込片が設けられ、この上差込片を前記差込片上差込部に差し込んでテーブル部のテーブル状態を保持するハンドル用テーブルである。  
（５）上記「第５型ハンドル用テーブル」は、ハンドル係止部（ハンドル略潜らせ係止部）が、下折部（折り部１７８）、中折部（折り部１７９）、上折部（折り部１８０）を保持され部上方に設け、下折部と中折部の間にハンドルが嵌る第１のハンドル嵌り孔（ハンドル略潜らせ係止部１７６）を形成し、中折部と上折部の間に第２のハンドル嵌り孔（ハンドル略潜らせ係止部１７７）を形成したハンドル用テーブルである。  
【０００３】
【特許文献１】特開２００４−３４５６２３号公報  ｛１｝  図１、図２、図３、図４、図５、図６に記載された第１型ハンドル用テーブル」。  ｛２｝  図１０、図１１に記載された「第２型ハンドル用テーブル」。  ｛３｝  図９、図１３、図１７、図１８、図２８〜図３０、図４７、図４８、図５０、図５１に記載された「第３型ハンドル用テーブル」。  ｛４｝  図４６に記載された「第４型ハンドル用テーブル。  ｛５｝  図４２に記載された「第５型ハンドル用テーブル」。
【非特許文献１】特になし
【発明の開示】
【発明が解決しようとする課題】
【０００４】
（１）前述した「第１型ハンドル用テーブル」は以下のような欠点（特に強度がそれほど強靭ではないダンボール製部材において）をもつものであった。  
｛１｝差込片が保持され部の横幅の１／３強と幅の狭い形態であり且つ中央部に設けられた形態であるため、奥差込片を片差込支持部に差し込んでそのままハンドルに装着した場合に、ハンドルに当ることなくハンドルの下開口（ハンドルの下側と上側は殆どのハンドルにおいて開口となっている。）に入ってしまい折り状態が不十分な状態となり、テーブルに荷重がかかった場合に抜ける危険があるという欠点を有するものであった。  
｛２｝ハンドルの下方に保持され部の下方が突出して支持されない部位が多くなる（テーブル部はその分下方に位置するようになる）と、テーブル部に荷重を加えるとハンドルから離れた保持され部の下部端部分が押され、その結果保持され部が撓り湾曲し易くなり、テーブル状態の安定性（堅固性）が不安定なるという欠点を有するものであった。  
｛３｝奥差込片をハンドルの下部部位と保持され部の間に挟むのであるが、奥差込片がハンドルの下部部位に届く長さとしなくてはならない、すなわち奥差込片を長いものにしなくてはならいものであった。  
このため、ダンボール製板部材（原料板材）を打抜して形成する場合には、板材は定形であるため、場合によっては定形を超える全長となり合理的な抜きができなくなり無駄（使用しない廃棄物）が生じてコスト高になるという欠点を有するものであった。  
（２）前述した「第２型ハンドル用テーブル」は以下のような欠点（特に強度がそれほど強靭ではないダンボール製部材において）をもつものであった。  
｛１｝片差込支持部に差し込まれた奥差込片の横側が確実にハンドルの横側に当りハンドルと保持され部の間に確実に奥差込片が挟まれる、左右の奥差込片がハンドルと保持され部の間に挟まれた形態によってその部分の保持され部の厚さが二重厚さとなり、よってテーブル部に荷重がかかっても保持され部が撓り難い堅固性を強める、よってハンドルの下方に保持され部の下方が突出して支持されない部位を多くする（長く出す）ことが可能となり、その分テーブル部を下方に位置させることを可能とするものである。
しかし、奥差込片が左右２箇所であるために、左手で保持され部を持ち右手で左右の奥差込片を操作し左右の片差込支持部に差し込むことが大変難しく操作が煩わしいという欠点を有するものであったし、奥差込片および片差込支持部を一方の側のみにするとテーブル部の２／３弱が支持されない形態となって、虚弱なテーブル状態になってしまうものであった。  
｛２｝左右の片差込支持部の間が１／３強しかなく、その部位が虚弱でありテーブル部に荷重を掛けた場合にその部位が撓りやすく、また折れ易いという欠点を有するものであった。  
（３）前述した「第１型ハンドル用テーブル」「第２型ハンドル用テーブル」「第３型ハンドル用テーブル」「第４型ハンドル用テーブル」のいずれも、ハンドル装着前において片差込支持部から奥差込片が抜ける危険があるという欠点を有するものであり、片差込支持部に奥差込片を差し込んだまま手に持って移動させる際に奥差込片を手で抑えていないと、片差込支持部から奥差込片が抜ける危険があるという欠点があるものであった。  
（４）前述した「第５型ハンドル用テーブル」は、中折部で折り重ねてハンドルに掛け係止することができるが、重ね状態が非固定であるため、ハンドルに掛けるときは常に手で重ね状態にして掛けなければならない、不使用時はハンドル係止部がぶらついて目障りであるという欠点を有するものであった。  
また、上述した欠点を解消しより強固なハンドル係止部とするために、接着固定、ステップラーによる結合固定などがあるが、これらは作業工程と使用材料の増加になりコスト高になるという問題を持つものであった。
【０００５】
本発明は以上のような従来技術の欠点に鑑みてなされたものであって、その目的は、以下のようになっている。
（１）  ハンドルに装着しない状態で差込片を手で抑えるなどの操作をいっさい行わずに、テーブル部のテーブル状態が堅固に保持されるとともに、そのテーブル状態を簡単に解除することができるハンドル用テーブルを提供することを目的としている。  
（２）  また本発明の他の目的は、左手で保持され部を持ち右手で奥差込片を片差込支持部に差し込むことが簡単容易にでき、片差込支持部に差し込まれた奥差込片が確実にハンドルに当り該ハンドルと保持され部の間に確実に挟まれる安全性を実現し、テーブル部のテーブル状態保持強度が損なわれず、奥差込部により保持され部の強靭性・堅固性が強化され、ハンドルに掛けない状態で差込片を手で抑えるなどの操作をいっさい行わずに、テーブル部のテーブル状態が保持されるとともに、簡単にテーブル状態を解除することができるハンドル用テーブルを提供することを目的としている。  
（３）  左手で保持され部を持ち右手で奥差込片を片差込支持部に差し込むことが素早く簡単容易にでき、片差込支持部に差し込まれた奥差込片が確実にハンドルに当り該ハンドルと保持され部の間に確実に挟まれる安全性を実現し、テーブル部のテーブル状態保持強度が損なわれず、奥差込部により保持され部の強靭性・堅固性が強化される本願発明者が発明したところのハンドル用テーブルを提供することを目的としている。
（４）  また、主にダンボール製部材などの厚紙製部材からなるハンドル用テーブルにおいて、ハンドル上に保持される保持され部をハンドルに係止する、打抜形成したハンドルを嵌めるハンドル嵌め孔の強靭性・堅固性をコスト高を招かず高めた本願発明者が発明したところのハンドル用テーブルを提供することを目的としている。  
（５）  また、前記（１）〜（３）のいずれかの目的に加えて、ハンドル上に保持される保持され部をハンドルに係止する、打抜形成したハンドルを嵌めるハンドル嵌め孔の強靭性・堅固性をコスト高を招かず高めた本願発明者が発明したところのハンドル用テーブルを提供することを目的としている。
また本発明の他の目的は、
【課題を解決するための手段】
【０００６】
上記目的を達成するために本発明は以下に述べるような構成となっている。  
（１Ａ）＜本願出願人が発明したところのハンドル用テーブル｛１Ｔ｝＞ 
テーブル状態において、ハンドル上に保持される保持され部と、この保持され部に連絡されたテーブル下支持部と、このテーブル下支持部に連絡された奥側を前記保持され部に支持されるテーブル部と、このテーブル部の奥側に設けられた１つのみの奥差込片と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部の中途に設けられた前記奥差込片が差し込まれる片差込奥支持部とからなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記奥差込片の横幅が該奥差込片の左右がハンドルの左右表側に当る横幅であることを特徴とするハンドル用テーブルである。  
「横向き折部」（部材は上下回動）とは「縦向き折部」（部材は左右回動）と識別するだけのものであり、１つないし間隔をあけた複数の折目からなるもの、１つないし複数のヒンジからなるもの、分離した部品を連結する１つないし複数の兆番からなるもの、分離した部品を連結する１つないし複数の粘着テープなどからなるもの、嵌合などの連結部位の連結によるもの、など多様な形態がある。
（２Ａ）＜本願出願人が発明したところのハンドル用テーブル｛２Ｔ｝＞ 
テーブル状態において、ハンドル上に保持される保持され部と、この保持され部の下部に連絡されたテーブル下支持部と、このテーブル下支持部に連絡された奥側を前記保持され部に支持されるテーブル部と、このテーブル部の奥側に設けられた１つのみの奥差込片と、前記保持され部と前記テーブル支持部の区切りである第１横向き折部と、前記テーブル下支持部と前記テーブル部の区切りである第２横向き折部と、前記テーブル部と前記差込片の区切りである第３横向き折部と、前記保持され部の中途に設けられた前記奥差込片が差し込まれる片差込奥支持部と、からなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記片差込奥支持部および前記奥差込片が左右いずれか一方の側に寄って配置され、前記奥差込片の横幅が前記保持され部の横幅の１／２以上の横幅であり且つ該奥差込片がハンドルの左右一方の表側に当ることを特徴とするハンドル用テーブルである。  
（３Ａ）＜本願出願人が発明したところのハンドル用テーブル｛３Ｔ｝＞ 
テーブル状態において、ハンドル上に保持される保持され部と、この保持され部に連絡されたテーブル下支持部と、このテーブル下支持部に連絡された奥側を前記保持され部に支持されるテーブル部と、このテーブル部の奥側に設けられた１つのみの奥差込片と、前記テーブル部に前記奥差込片から距離をあけて設けられた短片突起部と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部に設けられた前記奥差込片が差し込まれる片差込奥支持部と、前記保持され部に設けられた前記短片突起部が入る突起入り孔と、からなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記奥差込片が左右いずれか一方の側に寄って配置され、前記片差込奥支持部に差し込まれた前記奥差込片がハンドルの左右一方の表側に当り、前記片差込奥支持部に差込折られた前記奥差込片と前記突起入り孔に入っている短片突起部とによって前記テーブル部のテーブル状態が保持されるようにしてなることを特徴とするハンドル用テーブルである。  
（４Ａ）＜請求項１記載の発明＞  
テーブル状態において、ハンドル上に保持される保持され部と、この保持され部に支持されるテーブル支持部と、このテーブル支持部と前記保持され部に支持されてテーブル状態となるテーブル部と、前記テーブル支持部に設けられた差込片と、この差込片の側部に縦向き折部で区切られ設けられた該差込片に該縦向き折部で折り重ねることができる重ね差込開き片と、前記保持され部に設けられた前記差込片に前記重ね差込開き片を折り重ね状態にして差し込まれる片差込支持部と、からなり、前記片差込支持部に前記差込片とともに差し込まれた前記重ね差込開き片が前記保持され部裏側で開いて、前記保持され部裏壁に当って前記片差込支持部から前記差込片が抜けないようにしてなり、且つ、前記片差込支持部への前記差込片の差込支持により前記テーブル部のテーブル状態が保持されるようにしてなることを特徴とするハンドル用テーブルである。  
（５Ａ）＜請求項２記載の発明＞  
テーブル状態において、ハンドル上に保持される保持され部と、この保持され部の下部側で支持されるテーブル下支持部と、このテーブル下支持部に連絡され下方から手前側を支持され且つ前記保持され部に奥側を支持されてテーブル状態となるテーブル部と、前記テーブル下支持部と前記テーブル部を区切る横向き折部と、前記テーブル下支持部に設けられた下差込片と、この下差込片の横に縦向き折部で区切られ設けられた該下差込片に該縦向き折部で折り重ねることができる重ね差込開き片と、前記保持され部の下方に設けられた前記下差込片に前記重ね差込開き片を重ね状態にして差し込まれる片差込下支持部と、からなり、前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブルである。  
（６Ａ）＜請求項３記載の発明＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部に設けられた上差込片と、この上差込片の横に縦向き折部で区切られ設けられた該上差込片に該縦向き折部で折り重ねることができる重ね差込開き片と、前記テーブル部の手前側に設けられた前記上差込片に前記重ね差込開き片を重ね状態にして差し込まれる片差込上支持部と、からなり、前記片差込上支持部に前記上差込片とともに差し込まれた前記重ね差込開き片が前記テーブル部上で開いて前記片差込上支持部から前記上差込片が抜けないようにしてなることを特徴とするハンドル用テーブルである。  
（７Ａ）＜請求項４記載の発明＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部の上部側に設けられた上差込片と、前記テーブル下支持部の下部側に設けられた下差込片と、前記上差込片と前記下差込片の横に縦向き折部で区切られ設けられた該各差込片に該縦向き折部で折り重ねることができる重ね差込開き片と、前記テーブル部の手前側に設けられた前記上差込片に前記重ね差込開き片を重ね状態にして差し込まれる片差込上支持部と、前記保持され部の下方側に設けられた前記下差込片に前記重ね差込開き片を重ね状態にして差し込まれる片差込下支持部と、からなり、前記片差込上支持部に前記上差込片とともに差し込まれた前記重ね差込開き片が前記テーブル部上で開いて、前記片差込上支持部から前記上差込片が抜けないようにしてなり、前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブルである。  
（８Ａ）＜請求項５記載の発明＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部の上部側に設けられた上差込片と、前記テーブル下支持部の下部側に設けられた下差込片と、前記テーブル部の奥側に設けられた奥差込片と、前記上差込片と前記下差込片と前記奥差込片の横に縦向き折部で区切られ設けられた該各差込片に該縦向き折部で折り重ねることができる重ね差込開き片と、前記テーブル部の手前側に設けられた前記上差込片に前記重ね差込開き片を重ね状態にして差し込まれる片差込上支持部と、前記保持され部の下方側に設けられた前記下差込片に前記重ね差込開き片を重ね状態にして差し込まれる片差込下支持部と、前記保持され部の中途に設けられた前記奥差込片に前記重ね差込開き片を重ね状態にして差し込まれる片差込奥支持部と、からなり、前記片差込上支持部に前記上差込片とともに差し込まれた前記重ね差込開き片が前記テーブル部上で開いて、前記片差込上支持部から前記上差込片が抜けないようにしてなり、前記片差込下支持部に前記下差込片とともに差し込まれた前記重ね差込開き片が前記保持され部裏側で開いて、前記片差込下支持部から前記下差込片が抜けないようにしてなり、前記片差込奥支持部に前記奥差込片とともに差し込まれた前記重ね差込開き片が前記保持され部裏側で開いて、前記片差込奥支持部から前記奥差込片が抜けないようにしてなることを特徴とするハンドル用テーブルである。  
（９Ａ）＜請求項６記載の発明＞  
テーブル状態において、ハンドル上に保持される保持され部と、この保持され部の下部側で支持されるテーブル下支持部と、このテーブル下支持部に連絡され下方から手前側を支持され且つ前記保持され部に奥側を支持されてテーブル状態となるテーブル部と、前記テーブル下支持部と前記テーブル部を区切る横向き折部と、前記テーブル下支持部の下部側に設けられた下差込片と、この下差込片の側部に第１の縦向き折部で区切り設けられた該第１の縦向き折部で折り該下差込片に重ねることができる第１の重ね差込開き片と、前記テーブル部の奥側に設けられた奥差込片と、この奥差込片の側部に第２の縦向き折部で区切り設けられた該第２の縦向き折部で折り該奥差込片に重ねることができる第２の重ね差込開き片と、前記保持され部の下方側に設けられた前記下差込片に前記第１の重ね差込開き片を重ね状態にして差し込まれる片差込下支持部と、前記保持され部の中途に設けられた前記奥差込片に前記第２の重ね差込開き片を重ね状態にして差し込まれる片差込奥支持部と、からなり、前記片差込下支持部に前記下差込片とともに差し込まれた前記第１の重ね差込開き片が前記保持され部裏側で開いて、前記片差込下支持部から前記下差込片が抜けないようにしてなり、前記片差込奥支持部に前記奥差込片とともに差し込まれた前記第２の重ね差込開き片が前記保持され部裏側で開いて、前記片差込奥支持部から前記奥差込片が抜けないようにしてなることを特徴とするハンドル用テーブルである。  
（１０Ａ）＜請求項７記載の発明＞  
テーブル状態において、ハンドル上に保持される保持され部と、この保持され部に連絡されたテーブル下支持部と、このテーブル下支持部に連絡され奥側を前記保持され部に支持されるテーブル部と、このテーブル部の奥側に設けられた奥差込片と、この奥差込片の横に縦向き折部で区切られ設けられた該奥差込片に該縦向き折部で折り重ねることができる重ね差込開き片と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部の中途に設けられた前記奥差込片に前記重ね差込開き片を重ね状態にして差し込まれる片差込奥支持部と、からなり、前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブルである。  
（１１Ａ）＜請求項８記載の発明＞  
テーブル状態において、ハンドル上に保持される保持され部と、この保持され部の下部側に奥側を支持されたテーブル部と、このテーブル部の手前側の左右に連絡された左テーブル吊り支持部、右テーブル吊り支持部と、この左テーブル吊り支持部と右テーブル吊り支持部を奥側で連絡する連絡部と、この連絡部の奥側に設けられた奥差込片と、この奥差込片の横に縦向き折部で区切られ設けられた該奥差込片に該縦向き折部で折り重ねることができる重ね差込開き片と、前記保持され部の中途に設けられた前記奥差込片に前記重ね差込開き片を重ね状態にして差し込まれる片差込奥支持部と、からなり、前記片差込奥支持部に前記奥差込片が差し込まれ抜けないように支持された状態で、前記保持され部と前記左テーブル吊り支持部および右テーブル吊り支持部によってテーブル部のテーブル状態が保持されるようになっていて、前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブルである。  
「左テーブル吊り支持部、右テーブル吊り支持部」はテーブル部や保持され部と異なる部材である、布製テープ、樹脂製テープなどもよい。  
（１２Ａ）＜本願出願人が発明したところのハンドル用テーブル｛４Ｔ｝＞ 
前記（１Ａ）〜（８Ａ）いずれか記載の発明の構成において、保持され部裏側で開いた重ね差込開き片がハンドルの左右一方の表側に当る幅あるいは位置であることを特徴とするのハンドル用テーブルである。  
（１３Ａ）＜本願出願人が発明したところのハンドル用テーブル｛５Ｔ｝＞ 
自動車のハンドル上に保持される保持され部、この保持され部に保持されてテーブル状態となるテーブル部、前記保持され部をハンドル上に係止するハンドル係止部とからなるハンドル用テーブルであって、前記ハンドル係止部が、前記保持され部の上方に間隔をあけて設けられた下折り部、中折り部、上折り部と、前記下折り部と前記中折り部の間に形成された第１のハンドル被さり部と、前記中折り部と前記上折り部の間に形成された第２のハンドル被さり部と、前記上折り部の外側に形成された外側部と、前記第１のハンドル被さり部に設けられたハンドルが嵌る前記下折り部と縁を同じ線上にして、前記中折り部からは間隔あけて配置された孔からなる第１のハンドル嵌り孔と、この第１のハンドル嵌り孔の内側に前記下折り部側を前記保持され部に連絡して、前記第１のハンドル嵌り孔から抜き形態で形成された起し片と、前記第２のハンドル被さり部に設けられたハンドルが嵌る前記上折り部と縁を同じ線上にして、前記中折り部からは間隔あけて配置された孔からなり、前記中折り部で折って前記第１の被さり部と重ねた状態で前記第１のハンドル嵌り孔と重なる第２のハンドル嵌り孔と、この第２のハンドル嵌り孔の内側に前記上折り部側を前記外側部に連絡して、前記第２のハンドル嵌り孔から抜き形態で形成され差込片と、この差込片の側部に突出形成された抜け阻止部と、前記第２のハンドル被さり部が前記中折り部で折られて前記差込片が差し込まれる前記保持され部の上方に設けられた片差込部と、からなるハンドル係止部であることを特徴とするハンドル用テーブルである。  
（１４Ａ）＜本願出願人が発明したところのハンドル用テーブル｛６Ｔ｝＞ 
前記（１３Ａ）記載の発明の構成において、抜け阻止部が差込片の側部に縦向き折部により折られ該差込片に折り重ねられる形態であり、片差込部が前記抜け阻止部を重ね状態とした前記差込片が差し込める形態であることを特徴とするハンドル用テーブルである。  
（１５Ａ）＜本願出願人が発明したところのハンドル用テーブル｛７Ｔ｝＞ 
前記（１Ａ）〜（１２Ａ）いずれか記載のハンドル用テーブルにおいて、保持され部をハンドル上に係止するハンドル係止部が前記（１３Ａ）、（１４Ａ）いずれか記載のハンドル係止部であることを特徴とするハンドル用テーブルである。  
（１６Ａ）＜本願出願人が発明したところのハンドル用テーブル｛８Ｔ｝＞ 
自動車のハンドル上に保持される保持され部、この保持され部に保持されてテーブル状態となるテーブル部、前記保持され部をハンドル上に係止するハンドル係止部とからなるハンドル用テーブルであって、前記ハンドル係止部が、前記保持され部の上部に横向き折部で区切られて設けられたハンドル被さり部と、このハンドル被さり部に設けられたハンドルが嵌る孔からなるハンドル嵌り孔と、このハンドル嵌り孔内に奥側に横向き折部で区切られ設けられた、前記ハンドル嵌り孔に嵌ったハンドルに押し起されてハンドルの背部側に当るハンドル当り片と、前記ハンドル嵌り孔内に左側、右側に縦向き折部で区切られ設けられた、前記ハンドル嵌り孔に嵌ったハンドルに押し起されてハンドルの左側側部、右側側部に当るハンドル左当り片、ハンドル右当り片と、からなるハンドル係止部であることを特徴とするハンドル用テーブルである。  
（１７Ａ）＜本願出願人が発明したところのハンドル用テーブル｛９Ｔ｝＞ 
前記（１Ａ）〜（１２Ａ）いずれか記載のハンドル用テーブルにおいて、保持され部をハンドル上に係止するハンドル係止部が請求項１６記載のハンドル係止部であることを特徴とするハンドル用テーブルである。
（１８Ａ）＜請求項９記載の発明＞ 
テーブル状態において、ハンドル上に保持される保持され部と、この保持され部に下部側を支持されるテーブル下支持部と、このテーブル下支持部の上部側で手前側を支持され且つ奥側を前記保持され部に支持されるテーブル部と、前記テーブル下支持部の下部側に設けられた下差込片と、この下差込片の側部に第１の縦向き折部で区切り設けられた該第１の縦向き折部で折り該下差込片に重ねることができる第１の重ね差込開き片と、前記保持され部の下方側に設けられた前記下差込片に前記第１の重ね差込開き片を重ね状態にして差し込まれる片差込下支持部と、前記テーブル部の奥側に設けられた奥差込片と、この奥差込片の横に第２の縦向き折部で区切られ設けられた該奥差込片に該第２の縦向き折部で折り重ねることができる第２の重ね差込開き片と、前記テーブル部と前記奥差込片の区切りである横向き折部と、前記保持され部の中途に設けられた前記奥差込片に前記第２の重ね差込開き片を重ね状態にして差し込まれる片差込奥支持部と、この片差込奥支持部から間隔をあけて上方に設けられた前記保持され部を折り畳むための折畳用折部と、前記第２の重ね差込開き片の上下幅が前記折畳用折部を超える上下幅であって、前記奥差込片および前記第２の重ね差込開き片が前記片差込奥支持部に差し込まれて前記保持され部の裏側で折り上げ状態とされ、前記保持され部と前記第２の重ね差込開き片が前記折畳用折部より下方で接着剤やステップラーなどにより接合されてなる接合部と、この接合部から上方で前記第２の重ね差込開き片と前記保持され部が分離されてなる分離部と、からなり、前記折畳用折部で折られる保持され部が表側には折ることができるが裏側には前記第２の重ね差込開き片によって折りが阻止され、前記片差込下支持部に前記下差込片とともに差し込まれた前記第１の重ね差込開き片が前記保持され部裏側で開いて、前記片差込下支持部から前記下差込片が抜けないようにしてなることを特徴とするハンドル用テーブルである。  
「前記保持され部と前記重ね差込開き片が前記折畳用折部より下方で接着剤やステップラーなどにより接合されてなる接合部と、」とは、片差込奥支持部と折畳用折部との間の略全部の固定、片差込奥支持部と折畳用折部との間の一部の固定を含むものである。
（１９Ａ）＜本願出願人が発明したところのハンドル用テーブル｛１０Ｔ｝＞
前記（１８Ａ）記載の発明の構成において、重ね差込開き片が奥差込片の左右に設けられてなることを特徴とするハンドル用テーブルである。  
（２０Ａ）＜本願出願人が発明したところのハンドル用テーブル｛１１Ｔ｝＞
前記（１８Ａ）、（１９Ａ）いずれか記載の発明の構成において、片差込奥支持部が複数設けられ、重ね差込開き片の接合部に当る部位に剥離紙でカバーされた粘着部が設けられた形態で提供されることを特徴とするハンドル用テーブルである。
（２１Ａ）＜本願出願人が発明したところのハンドル用テーブル｛１２Ｔ｝＞
前記（１Ａ）〜（１２Ａ）いずれか記載のハンドル用テーブルにおいて、保持され部をハンドル上に係止するハンドル係止部が前記（１８Ａ）〜（２０Ａ）いずれか記載のハンドル係止部であるハンドル用テーブルである。
（２２Ａ）＜本願出願人が発明したところのハンドル用テーブル｛１３Ｔ｝＞ 
前記（１Ａ）〜（２１Ａ）いずれか記載の発明の構成において、全体がダンボール製板部材で形成されてなることを特徴とするのハンドル用テーブル。  
（２３Ａ）＜本願出願人が発明したところのハンドル用テーブル｛１４Ｔ｝＞
前記（１Ａ）〜（２２Ａ）いずれか記載の発明の構成において、「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とするハンドル用テーブルである。
「印刷等」とは、直接印刷したもの、写真のように焼き付けたもの、印刷や焼付けしたシートを貼り付けたものなど多様な表示形態を技術的範疇に含むものである。
【発明の効果】
【０００７】
以上の説明から明らかなように、本発明にあっては次に列挙する効果を奏する。  
（１Ａ）＜本願出願人が発明したところのハンドル用テーブル｛１Ｔ｝の効果＞ 
奥差込片の横幅が該奥差込片の左右がハンドルの左右の表側に当る横幅とした構成であるので、  
（１）  テーブル部の奥差込片が保持され部の片差込奥支持部に差し込まれた状態で保持され部をハンドル上に保持した場合、必ず奥差込片の左右がハンドルの左右の表側に当っり、折下げて確実にハンドルと保持され部の間に挟まれ形態を実現して、抜ける危険のないハンドル用テーブルを実現するという効果を奏する。  
（２）  奥差込片の上下幅が広いほど、保持され部の補強板となって、撓り（反り）難い堅固なハンドル用テーブルを形成するという効果を奏する。これは特に、それほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用感の良いテーブルを形成できるという効果を奏する。  
（４）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を保持され部を持ったままの左手の指で抑え折り下げることが、自然な感じで殆ど抵抗なく行うことができるという効果を奏する。  
（２Ａ）＜本願出願人が発明したところのハンドル用テーブル｛２Ｔ｝の効果＞ 
片差込奥支持部および奥差込片が左右いずれか一方の側に寄って配置され、奥差込片の横幅が保持され部の横幅の１／２以上の横幅であり且つ該奥差込片がハンドルの左右一方の表側に当る構成であるので、  
（１）  テーブル部の奥差込片が保持され部の片差込奥支持部に差し込まれた状態で保持され部をハンドル上に保持した場合、奥差込片がハンドルの左右あるいは左右いずれかに必ず当って、確実にハンドルと保持され部の間に挟まれ形態を実現して、抜ける危険のないハンドル用テーブルを実現するとともに、「奥差込片が左右いずれか一方の側に寄って配置され、奥差込片の横幅が保持され部の横幅の１／２以上の横幅」であるので、保持され部が奥差込片により補強されて反り難い状態になるという効果を奏する。これは特に、それほど強靭・堅固ではないダンボール製部材で形成した場合に大変効果的である。  
（２）  奥差込片の上下幅が広いほど、保持され部の補強板となって、撓り反り難い堅固なハンドル用テーブルを形成するという効果を奏する。これは特に、強度がそれほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用感のよいテーブルにできるという効果を奏する。
（４）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を左手の指で抑え折り下げることが、自然な感じ殆ど抵抗なく行うことができるという効果を奏する。  
（３Ａ）＜本願出願人が発明したところのハンドル用テーブル｛３Ｔ｝の効果＞
ハンドル部の奥側に間隔をあけて設けたいずれも保持され部に差し込まれて支持される奥差込片と短片突起部を設け、奥差込部は左右いずれかに寄って配置され且つハンドルの左右表側のいずれかに必ず当る配置とした構成であるので、  
（１）  テーブル部の奥差込片が保持され部の片差込奥支持部に差し込まれた状態で保持され部をハンドル上に保持した場合、奥差込片がハンドルの側部側に必ず当って、確実にハンドルと保持され部の間に挟まれ形態を実現して、抜ける危険のないハンドル用テーブルを実現するとともに、片差込奥支持部と離れた位置で短片突起部でテーブル部のテーブル状態を支持するので、テーブル状態が崩れ難いハンドル用テーブルを実現するという効果を奏する。
（２）  奥差込片と離れた位置で短片突起部での２点支持であるので、奥差込片の横幅を広く取らなくてもよく、保持され部の片差込奥支持部の横幅も狭くてよく、保持され部が折れ難いまた撓り反り難いものにできるという効果を奏する。
（３）  奥差込片の上下幅が広いほど、保持され部の補強板となって、撓り反り難い堅固なハンドル用テーブルを形成するという効果を奏する。これは特に、強度がそれほど強靭・堅固ではないダンボール製部材で形成した場合に大変効果的である。  
（４）  前記（３）によって、保持され部のハンドル下方へのはみ出しを多くでき、その分テーブル部のテーブル状態を下方にできるので、使用しやすいものにできるという効果を奏する。  
（５）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を左手の指で抑え折り下げることが、自然な感じ殆ど抵抗なく行うことができるという効果を奏する。  
（４Ａ）＜請求項１記載の発明の効果＞
ハンドル部のハンドル状態を支持するテーブル支持部の保持され部への接続支持され形態が、保持され部に設けられた片差込支持部に、テーブル支持部に設けられた差込片に重ね差込開き片を重ねて差し込む形態であるので、  
（１）  差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けないテーブル状態が保持され続けるハンドル用テーブルを実現するという効果を奏する。同時に、差込片に重ね差込開き片を重ねて簡単に抜くことができ、簡単に平板状態にできるという効果を奏する。  
（２）  片差込支持部の長さを長ものにしなくても、重ね差込開き片を保持され部と略同じ端届き幅とすることが可能であり、これにより、重ね差込開き片がハンドルの左右ないしいずれか一方に必ず当り挟まれる形態を実現している。すなわち、保持され部の片差込支持部の左右に残った部分である支持部分の幅を十分に確保して、尚且つ、ハンドルへの確実な当りと保持され部の強化（反り難さ）を得る幅広の差込片を実現するという効果を実現する。
（５Ａ）＜請求項２記載の発明の効果＞
請求項１記載の発明と同様な効果を奏する。  
（６Ａ）＜請求項３記載の発明の効果＞  
請求項１記載の発明と同様な効果を奏する。  
（７Ａ）＜請求項４記載の発明の効果＞  
請求項１記載の発明と同様な効果を奏する。  
（８Ａ）＜請求項５記載の発明の効果＞
請求項１記載の発明と同様な効果を奏する。  
（９Ａ）＜請求項６記載の発明の効果＞
請求項１記載の発明と同様な効果を奏する。  
（１０Ａ）＜請求項７記載の発明の効果＞  
ハンドル部のハンドル状態を支持するハンドル部の保持され部への支持され形態が、保持され部に設けられた片差込支持部に、ハンドル部に設けられた奥差込片に重ね差込開き片を重ねて差し込む形態であるので、  
奥差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けない、テーブル状態が保持され続けるハンドル用テーブルを実現するという効果を奏する。同時に、奥差込片に重ね差込開き片を重ねて簡単に素早く抜きテーブル状態を解除することができ、簡単に平板状態にできるという効果を奏する。  
（１１Ａ）＜請求項８記載の発明の効果＞
ハンドル部のハンドル状態を支持する左テーブル吊り支持部、右テーブル吊り支持部を有する連絡部の保持され部への接続支持され形態が、保持され部に設けられた片差込支持部に、連絡部に設けられた奥差込片に重ね差込開き片を重ねて差し込む形態であるので、
奥差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けないテーブル状態が保持され続けるハンドル用テーブルを実現するという効果を奏する。同時に、奥差込片に重ね差込開き片を重ねて簡単素早く抜くことができ、簡単にテーブル状態を解除できるという効果を奏する。  
左テーブル吊り支持部、右テーブル吊り支持部がテープ形態や紐形態やダンボール製部材であるばあい、左テーブル吊り支持部、右テーブル吊り支持部は容易に曲がったり折れたりできるので、奥差込片を片差込支持部へ差込だまま平状態に折り畳める。  
（１２Ａ）＜本願出願人が発明したところのハンドル用テーブル｛４Ｔ｝の効果＞＜請求項１２記載の発明の効果＞  
前記（１Ａ）〜（８Ａ）いずれか記載の発明の構成において、保持され部の裏側で開いた重ね差込開き片がハンドルの左右一方の表側に当る幅あるいは位置であることを特徴とするのハンドル用テーブルであるので、  
前記（１Ａ）〜（８Ａ）いずれか記載の発明の効果に加えて、  
（１）  奥差込片が保持され部の片差込奥支持部に差し込まれた状態で保持され部をハンドル上に保持した場合、重ね差込開き片がハンドルの左右一方の表側に必ず当って、確実にハンドルと保持され部の間に挟まれる形態あるいは挟まれず抑えられる形態を実現するという効果を奏する。
「挟まれず抑えられる形態」とは、保持され部がハンドルより横幅が狭い場合で、重ね差込開き片が保持され部の外側に突出してハンドルに当る形態をいう。
（２）  重ね差込開き片の上下幅が広いほど、保持され部の補強板となって、反り難い堅固なハンドル用テーブルを形成するという効果を奏する。これは特に、強度がそれほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用しやすいものにできるという効果を奏する。  
（４）  ハンドルの左側に奥差込片の左側が当る位置であるので、裏側に出た奥差込片を左手の指で抑え折り下げることが、自然な感じ殆ど抵抗なく行えるという効果を奏する。  
（１３Ａ）＜本願出願人が発明したところのハンドル用テーブル｛５Ｔ｝の効果＞
折り重なる第１のハンドル嵌り孔側、第２のハンドル嵌り孔側のうちの外側の第２のハンドル嵌り孔の該孔内側に、一辺を接続し抜き形態で形成された側部に抜け阻止部を有する差込片を設け、この差込片が差し込まれる片差込部を保持され部の上方に設けた構成であるので、  
（１）  第１のハンドル嵌り孔側と第２のハンドル嵌り孔側を折重ねて、片差込部に差込片を差し込むことで、第１のハンドル嵌り孔側と第２のハンドル嵌り孔側の重ね状態が固定され、且つ、抜け阻止部により片差込部から差込片が抜けないので固定状態が維持され、接着剤などの接合固定手段を用いることなく二枚重ねの強靭・堅固なハンドル係止部をコスト高を招くことなく形成できるという効果を奏する。  
（２）  使用者に組立を行わせることができるので、接着剤等の他の部材や組立作業の増加をまねかず、コストの増大を招かないという効果を奏する。  
（１４Ａ）＜本願出願人が発明したところのハンドル用テーブル｛６Ｔ｝の効果＞ 
前記（１３Ａ）記載の発明の構成において、抜け阻止部が差込片の側部に縦向き折部により折られ該差込片に折り重ねられる形態であり、片差込部が前記抜け阻止部を重ね状態とした前記差込片が差し込める形態であるので、
このような形態とすることにより、開いた抜け阻止部によって絶対に抜けない差込片の差込固定形態を実現するという効果を奏する。  
（１５Ａ）＜本願出願人が発明したところのハンドル用テーブル｛７Ｔ｝の効果＞ 
前記（１Ａ）〜（１２Ａ）いずれか記載のハンドル用テーブルにおいて、保持され部をハンドル上に係止するハンドル係止部が前記（１３Ａ）、（１４Ａ）いずれか記載のハンドル係止部であることを特徴とするハンドル用テーブルであるので、  
前記（１Ａ）〜（１２Ａ）いずれか記載の発明の効果に加えて前記（１３Ａ）、（１４Ａ）いずれか記載の発明の効果を奏するハンドル用テーブルを実現する。  
（１６Ａ）＜本願出願人が発明したところのハンドル用テーブル｛８Ｔ｝の効果＞ 
ハンドル嵌り孔に嵌ったハンドルの背部側がハンドル当り片に当り、ハンドルの左側、右側がハンドル左当り片、ハンドル右当り片に当る形態であるので、ハンドルの当り部位が切り口ではなく、折れた部位に当るので、押され擦れても削れたり潰れたりし難い丈夫さを実現し、特に紙製ダンボール製部材のような弱い部材で形成されている場合に、ハンドル当り片、ハンドル左当り片、ハンドル右当り片がクッションの役割を果たして、ハンドル嵌り孔の負荷が集中する部位への負荷を緩和するという効果を奏する。この形態は原料の増大も招かずコストの増加を招かない形態を実現している。
特に、柔らかさ、破けやすさ、削れ易さを特性とするダンボール製部材を打抜形成したものにおいて効果的である。
また、背部左右の当り片によりハンドル嵌り孔１５２の縁の強度が強化されるので、変形し難く破れ難い形態を実現するという効果を奏する。
（１７Ａ）＜本願出願人が発明したところのハンドル用テーブル｛９Ｔ｝の効果＞ 
前記（１Ａ）〜（１２Ａ）いずれか記載の発明の効果に加えて、前記（１６Ａ）の発明の効果を奏するハンドル用テーブルを実現する。
（１８Ａ）＜請求項９記載の発明の効果＞ 
テーブル構成部中最も上下幅の長い保持され部の中途に折畳用折部を設け、この折畳用折部から間隔をあけた下方に片差込奥支持部を設け、この片差込奥支持部に差し込む奥差込片の側部に重ね差込開き片を設け、且つ、この重ね差込開き片が片差込奥支持部に差し込まれて折上げ状態で片差込奥支持部と折畳用折部の間を接合固定し、折畳用折部から上方を非接合形態の分離部としたので、  
（１）  裏側には前記重ね差込開き片の分離部によって保持され部の折りが阻止されるようにしてなる形態を実現しているので、ハンドルに保持され部を保持した状態ではテーブル部に負荷がかかっても保持され部は折れ反ることがない一枚板としての機能を果たすとともに、ハンドルから外した状態では、折畳用折部で折られる保持され部を表側に折ることができるので、長物の保持され部を折り畳むことができ、折り畳み形態をコンパクトにすることができるという効果を奏する。  
（２）  重ね差込開き片の横幅を広くすることにより奥差込片および片差込奥支持部の横幅を短くすることができる。すなわち、片差込奥支持部の横幅を短くするので、左右の非片差込奥支持部部分が長くなり、保持され部が折れ難い反り難い強靭で堅固なものにできるという効果を奏する。  
（３）  接合部および分離部の横幅が長ければ長いほど折畳用折部での折り反りを阻止する堅固性を強いものにできるのであり、保持され部の強度を弱めることなく重ね差込開き片によりこの形態を実現するという効果を奏する。  
特に奥差込片を略中央にし、その左右に重ね差込開き片を設けた形態では、奥差込片＋左右の重ね差込開き片が保持され部と同じ横幅ないしそれ以上の横幅とできるので、最大の固定横長さと最大横幅の折れ反り阻止の分離部を形成できるという効果を奏する。  
（４）  保持され部を折り畳むことができる形態により、折畳状態での大幅なコンパクト化を実現できるという効果を奏する。例えば：ハンドルよりも横幅の狭い略Ａ４版形態で略Ａ４版の大きさに折り畳むことができる折畳状態がコンパクトなハンドル用テーブルを実現することもでき、略Ａ４版の大きさに折畳提供できるので、雑誌の付録などとして提供できる形態のものを実現可能にするという効果を奏する。  
（１９Ａ）＜本願出願人が発明したところのハンドル用テーブル｛１０Ｔ｝の効果＞
前記（１８Ａ）記載の発明の構成において、重ね差込開き片が奥差込片の左右に設けられてなることを特徴とするハンドル用テーブルであるので、  
前記（１８Ａ）記載の発明の効果の効果に加えて、特に奥差込片を略中央にし、その左右に重ね差込開き片を設けた形態では、奥差込片＋左右の重ね差込開き片が保持され部と同じ横幅ないしそれ以上の横幅とできるので、最大の固定横長さと最大横幅の折れ反り阻止の分離部を形成できるという効果を奏する。  
（２０Ａ）＜本願出願人が発明したところのハンドル用テーブル｛１１Ｔ｝の効果＞ 
前記（１８Ａ）、（１９Ａ）いずれか記載の発明の構成において、片差込奥支持部が複数設けられ、重ね差込開き片の接合部に当る部位に剥離紙でカバーされた粘着部が設けられた形態で提供されることを特徴とするハンドル用テーブルであるので、  
前記（１８Ａ）、（１９Ａ）いずれか記載の発明効果に加えて、使用者がハンドルの傾きに合った片差込奥支持部を選んで固定できるという効果を奏する。
（２１Ａ）＜本願出願人が発明したところのハンドル用テーブル｛１２Ｔ｝の効果＞
請求項１〜１２いずれか記載のハンドル用テーブルにおいて、保持され部をハンドル上に係止するハンドル係止部が請求項１８〜２０いずれか記載のハンドル係止部であるハンドル用テーブルであるので、
請求項１〜１２いずれか記載の発明の効果に請求項１８〜２０いずれか記載の発明の効果を加えたハンドル用テーブルを実現する。
（２２Ａ）＜本願出願人が発明したところのハンドル用テーブル｛１３Ｔ｝の効果＞ 
前記（１Ａ）〜（１２Ａ）いずれか記載の発明の構成において、全体がダンボール製板部材で形成されてなることを特徴とするのハンドル用テーブルであるので、  
前記（１Ａ）〜（１２Ａ）いずれか記載の発明の効果に加えて、安価に提供でき、広告等の印刷が自在にでき、廃棄物は略全部が回収再利用されるので環境への負担が軽いという効果を奏するハンドル用テーブルを実現する。  
（２３Ａ）＜本願出願人が発明したところのハンドル用テーブル｛１４Ｔ｝の効果＞ 
前記（１Ａ）〜（２２Ａ）いずれか記載の発明の構成において、「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とするハンドル用テーブルであるので、  
自動車の車内はもちろん、車外（例えば家）でも楽しめる、読める、生活や知識習得に役立てることができるものとなる。これは、両面でＡ４版〜Ａ３版略８ページに相当する膨大な印刷、表示スペースを活用できるからである。  
特に塗り絵は、一色印刷で済むので印刷コストが安価であり、子供〜大人まで家に持ち込んで楽しめるものである。  
【発明を実施するための最良の形態】
【０００８】
以下、図面に示す発明を実施するための最良の形態により、本発明を詳細に説明する。但し、本発明をそれらのみの技術的範疇に限定する主旨のものではない。また、実施の形態の説明において同一構成部分には同じ符号を付し重複する説明を省略する。
【０００９】
＜本願出願人が発明したところのハンドル用テーブルの実施の形態＞  
主に本願出願人が発明したところのハンドル用テーブル｛１Ｔ｝の実施の形態である。  
図１〜図３に示す本願出願人が発明したところのハンドル用テーブルにおいて１はハンドル用テーブルであって、このハンドル用テーブル１はダンボール製板部材を一発打抜形成により形成したものであり、その構成は次のようになっている。  
テーブル状態において、ハンドル上に保持される保持され部２と、この保持され部２に連絡されたテーブル下支持部３と、このテーブル下支持部３に連絡された奥側を保持され部２に支持されるテーブル部４と、このテーブル部４の奥側に設けられた１つのみの奥差込片５と、保持され部２とテーブル支持部３の区切りである横向き折部６と、テーブル支持部３とテーブル部４の区切りである横向き折部７と、テーブル部４と奥差込片５の区切りである横向き折部８と、保持され部２の中途に設けられた奥差込片５が差し込まれる片差込奥支持部９ａ、９ｂと、保持され部２の最上部に設けられたハンドルに被さるハンドル係止部１０と、このハンドル係止部１０と保持され部２の区切りである横向き折部１１と、この横向き折部１１線上に縁を略同じにして設けられたハンドルの上部が嵌るハンドル嵌り孔１２と、テーブル下支持部３の中央に保持され部２側を根元側にしてその一辺を接続され且つ横向き折部１３として打抜形成された下方に折り下げて膝に挟む膝挟み片１４と、保持され部２の下方に設けられた奥差込片５を差し込む片差込奥支持部１５と、からなり、  
片差込奥支持部９ａあるいは９ｂに差し込まれて下向きに折り下げられた状態でハンドルＡと保持され部２に挟まれた奥差込片５とテーブル下支持部３によってテーブル部４のテーブル状態が保持されるようになっていて、奥差込片５の横幅が該５の左右がハンドルＡの左右の表側に当る横幅である、構成となっている。  
テーブル部４にはドリンクホルダー１６が設けられている。  
【００１０】
図２において、左手（図示せず）に保持され部２を持ち、右手（図示せず）で奥差込片５を片差込奥支持部９ａあるいは９ｂに差し込みいっぱいに押し込む。  
保持される２を保持したままの左手の指で裏側に突き出た奥差込片５を折り下げ抑えて、ハンドル係止部１０をハンドルＡに掛けてセットが完了する。  
片差込奥支持部９ａ、９ｂあるいは３〜５箇所の片差込奥支持部を設け、奥差込片５の差込箇所によってテーブル部のテーブル状態の傾きが変わるので、ハンドルの傾きに合わせることができる。
【００１１】
図２の下図において、ハンドルＡにセットされた状態では、奥差込片５の左側右側がハンドルＡの左側右側の表側に必ず当るようになっていて、その結果、奥差込片５は保持され部２とハンドルＡの間に必ず折り挟まれる形態を実現している。これにより、奥差込片５が抜けることのない安全性を実現している。  
また、奥差込片５の上下幅を広くすることにより、保持され部２の補強板としての役割を強め、保持され部２の厚みが増したと同じ効果を得て、保持され部２が撓り反り難い堅固なものになる。  
これは強靭性や堅固製に弱さのあるダンボール製部材では、大変効果的である。  
保持され部２の堅固性が強化されたことにより、保持され部２のハンドル下方へのはみ出し量（長さ）を増やすことが可能とでき、その分テーブル部４を下方位置とすることができ、使用感のよいものにすることができる。  
【００１２】
図３の上図において、サンバイザーに奥差込片５を掛け、他の部位をフロントに延ばして日除けとして利用している。左右サンバイザーにハンドル用テーブル１を掛け下げることにより、フロントの８０パーセント程度を被うことができる。  
この他、ハンドルに直接被せる、フロントに横に立てかけるなどでもできる。  
図３の下図において、助手席の搭乗者の腿にテーブル下支持部３を載せ、保持され部２をフロントパネルに寄り掛け、奥差込片５を片差込奥支持部１５に差し込み、膝挟み片１４を折り下ろし膝で軽く挟み保持する（以下「腿載せテーブル形態」という）。  
膝挟み片１４の膝挟みにより、走行中でも動かない安心感・安定感のある、ストレスを感じさせない膝載せテーブルを実現する。また、保持され部２が前方立ち壁となっているので、急停止があってもテーブル上のものが落下することが阻止される安全性を実現している。  
【００１３】
形成材料および形成は、紙製のダンボール製板部材の打抜以外に、  
樹脂製のダンボール製板部材の打抜によるもの、
厚紙の打抜によるもの、
紙製ダンボール部材や厚紙に厚手の合成樹脂製コートをほどこしたもの打抜によるもの、
樹脂製メッシュ部材をサンドイッチ形態で設けた紙製ダンボール部材や厚紙の打抜によるもの、
木製合板（ベニヤ板）の打抜ないし切断形成によるもの、
ベニヤ板に軽量化用の５ｍｍほどの多数の穴をあけ打抜ないし切断形成したもの、
射出成形により形成したもの（軽量化を図るため、多数の非貫通穴を裏側に形成する、５ｍｍほどの貫通穴をテーブル部を除く他の部位に形成する、裏面を格子状にするのがよい）、
【００１４】
＜本願出願人が発明したところのハンドル用テーブルの実施の形態＞  
主に本願出願人が発明したところのハンドル用テーブル｛３Ｔ｝の実施の形態である。  
図４、図５に示す本願出願人が発明したところのハンドル用テーブルにおいて２０はハンドル用テーブルであって、このハンドル用テーブル２０の前記第1の実施の形態と主に異なる点は、  
テーブル部４の左奥側に１つのみの奥差込片２１を設け、テーブル部４に奥差込片２１から右側に距離をあけて該２１と同一縁に短片突起部２２を設け、保持され部２に奥差込片２１が差し込まれる片差込奥支持部２３ａ、２３ｂ、２３ｃを設け、保持され部２に短片突起部２２が入る突起入り孔２４ａ、２４ｂ、２４ｃを設けた点にある。
片差込奥支持部２３ａ、２３ｂ、２３ｃのいずれかに差し込まれて下向きに折り下げられた状態でハンドルＡの左側と保持され部２に挟まれた奥差込片２１とテーブル下支持部３によってテーブル部４のテーブル状態が保持されるようになっていて、奥差込片２１が左側に寄って配置され、短片突起部２２が右側に寄って配置され、片差込奥支持部に差し込まれた奥差込片２１がハンドルの左側の表に必ず当り、片差込奥支持部２３ａ、２３ｂ、２３ｃのいずれかに差込折られた奥差込片２１と突起入り孔２４ａ、２４ｂ、２４ｃのいずれかに入っている短片突起部２２とによってテーブル部４のテーブル状態が保持されるようになっている。  
【００１５】
＜本願出願人が発明したところのハンドル用テーブルの実施の形態＞  
主に本願出願人が発明したところのハンドル用テーブル｛２Ｔ｝の発明の実施の形態である。  
図６に示す本発明を実施するための最良の第３の実施の形態において２７はハンドル用テーブルであって、このハンドル用テーブル２７の前記第1の実施の形態と主に異なる点は、  
奥差込片２８がテーブル部４の左側によって設けられ、保持され部の中途に左側に寄って奥差込片２８が差し込まれる片差込奥支持部２９ａ、２９ｂ、２９ｃが設けられ、ハンドル嵌り孔１２が右側に寄って設けられ、片差込奥支持部に差し込まれて下向きに折り下げられた状態でハンドルＡと保持され部２に挟まれた奥差込片２８とテーブル下支持部３によってテーブル部４のテーブル状態が保持されるようになっていて、奥差込片２８の横幅が保持され部２の横幅の１／２以上の横幅であり且つ奥差込片２８がハンドルＡの左側に当るようにした点である。  
テーブル部４に本等を支持する本支持片３０が設けられている。  
ハンドル嵌り孔１２が右側に寄って設けられているので、ハンドルにセットした状態では奥差込片２８が左側に寄った形態でセットされ、ハンドルの左側表に必ず当って、ハンドルと保持され部２に挟まれる形態を実現するとともに、奥差込片２８の横幅を少なくでき、それにより片差込奥支持部２９ａ、２９ｂ、２９ｃの横幅も少なくできるので、片差込奥支持部２９ａ、２９ｂ、２９ｃ横線上の支持部分（非孔部分＝肉部分）の横幅が広く取れて折れ難い撓み・反り難い保持され部２とすることができる。  
【００１６】
＜本発明の第１の実施の形態＞  
主に請求項７記載の発明の実施の形態である。  
図７〜図１０に示す本発明を実施するための最良の第１の実施の形態において３３はハンドル用テーブルであってこのハンドル用テーブル３３は、  
テーブル状態において、ハンドルＡ上に保持される保持され部２と、この保持され部２に連絡されたテーブル下支持部３と、このテーブル下支持部３に連絡され奥側を保持され部２に支持されるテーブル部と４、このテーブル部４の中央奥側に設けられた奥差込片３４と、この奥差込片３４の横に縦向き折部３５で区切られ設けられた奥差込片３４に縦向き折部３５で折り重ねることができる重ね差込開き片３６と、保持され部２とテーブル支持部３の区切りである横向き折部６と、テーブル支持部３とテーブル部４の区切りである横向き折部７と、テーブル部４と奥差込片３４の区切りである横向き折部８と、保持され部２の中途に設けられた奥差込片３４に重ね差込開き片３６を重ね状態にして差し込まれる片差込奥支持部３７ａ、３７ｂ、３７ｃと、からなり、片差込奥支持部３７ａ、３７ｂ、３７ｃのいずれかに奥差込片３４とともに差し込まれた重ね差込開き片３６を保持され部２の裏側で開いて、片差込奥支持部から奥差込片３４が抜けないように重ね差込開き片３６が抜け阻止片として機能するように構成されている。  
【００１７】
図８を参照してハンドル用テーブル３３のハンドルＡへの取付手順を説明する。  
（１）  各折部を数回折って折癖を付ける（図８中（ａ））。  
（２）  重ね差込開き片３６を奥差込片３４に折重ね右手（図示せず）で抑え、左手（図示せず）で保持され部２を持つ（図８中（ｂ））。  
（３）  重ね状態の重ね差込開き片３６と奥差込片３４を片差込奥支持部３７ｂに差し込む（図８中（ｃ））。  
（４）奥差込片３４を根元まで差し込むと重ね差込開き片３６は自然に開いて、抜け阻止片としての機能を果たす（図８中（ｄ））。この状態では、テーブル状態が完全に固定され、抜ける危険の全く無い、移動させても安心のテーブルとなる。  
（５）  左手で保持され部２を持ち保持したままその指で重ね差込開き片３６を抑え保持され部２の裏壁に押し当て、あるいはそのままハンドルＡにハンドル係止部１０を被せハンドル嵌り孔１２にハンドルＡの上部側を嵌め込む（図８中（ｅ））。  
（６）  重ね差込開き片３６はハンドルＡの左側と保持され部２の間に確実に挟まれセット完了となる（図８中（ｆ））。  
【００１８】
図１０は意匠図面であり、実線で表された部分が、部分意匠として意匠登録を受けようとする部分である。  
【００１９】
＜本発明の第２の実施の形態＞  
主に請求項７記載の発明の実施の形態である。  
図１１に示す本発明を実施するための最良の第２の実施の形態において４０はハンドル用テーブルであって、このハンドル用テーブル４０の前記第１の実施の形態と主に異なる点は、  
保持され部２からテーブル下支持部３の間にかけて、奥差込片３４と重ね差込開き片３６を重ねて差し込む口広の片差込部４１を設け、ハンドル嵌り孔１２内に折目でハンドル係止部１０と折部で区切られた左起し片４３、右起し片４４、後起し片４５、前起し片４６を設けた点にある。  
左起し片４３、右起し片４４、後起し片４５、前起し片４６はハンドルがハンドル嵌り孔１２に嵌ると該ハンドルに押されて起き状態とされ、ハンドル嵌り孔１２縁のハンドルの当接部位が切り口ではない、折り部位となり、ハンドル嵌り孔１２縁が擦れ削れる破けるなどが生じ難いという効果を奏する。また、ハンドル嵌り孔１２の強度が増すという効果を奏する。ハンドル嵌り孔１２の角はＲカットとするのが破け難くてよい。  
腿載せテーブル形態において、テーブル下支持部３の下方に突き出した差込片３４と重ね差込開き片３６は膝に挟まれる。  
また、裏面全面に自動車の塗り絵が印刷されている。花、建物、景色、子供向けに文章つきの絵本（挿絵の部分は塗り絵）などもよい。
【００２０】
＜本発明の第３の実施の形態＞  
主に請求項７記載の発明の実施の形態である。  
図１２に示す本発明を実施するための最良の第３の実施の形態において４８はハンドル用テーブルであって、このハンドル用テーブル４８の前記第２の実施の形態と主に異なる点は、  
ハンドル嵌り孔１２の内側には奥側に起される後起し片５０が横向き折部５１で区切られ設けられ、  
ハンドル係止部１０の奥側に該１０から離れた位置の中横向き折部５４で区切られ設けられた該１０に折重ねられる重ねハンドル係止部５５を設け、  
このハンドル係止部５５にハンドル嵌り孔１２に重なって重なり嵌り孔を形成するハンドル嵌り孔４９を設け、  
このハンドル嵌り孔４９内側に折部で区切って抜き起し形態に形成した左起し片４３、右起し片４４、前起し片５２を設け、  
重ねハンドル係止部５５の奥側に横向き折部５６で区切られた折端部５７を設け、  
この折端部８７の中央に終端左右に突出した抜け阻止部５８ａ、５８ｂを有する抜止付差込片５９が設けられ、  
保持され部２、横向き折部１１、後起し片５０のいずれかの部位にあるいはそれらを跨いで（図１２では横向き折部１１に接して保持され部２に形成）抜止付差込片５９が差し込まれる抜止付片差込部６０が設けられ、  
重ねハンドル係止部５５を中横向き折部５４で下向で折り上げてハンドル嵌り孔１２にハンドル嵌り孔４９を下方側から重ね、抜止付差込片５９を抜止付片差込部６０に差し込み、この重ね状態でハンドルを下方から嵌め、左起し片４３、右起し片４４、前起し片５２、後起し片５０をハンドル嵌り孔１２内に起すようにし、  
奥差込片５２、重ね差込開き片５３を上下幅の短い形態とした点である。  
ドリンクホルダー１６の内側にはドリンク容器の差込に伴い折り下げられる折下げ片６１が設けられている。  
ハンドル係止部１０と重ねハンドル係止部５５は複雑な構造のように見えるが、横向き折部５４で重ねハンドル係止部５５を折り抜止付差込片５９を抜止付片差込部６０に差し込むという単純・簡単な操作だけでよく、後はハンドルに被せる、上げ外すだけの操作である。  
抜止付片差込部６０は上部側が広く下方側が狭くなっていて、抜止付差込片５９を上部側から差込み幅の狭い根元側に達すると、下方に自然に行って抜け阻止部５８ａ、５８ｂが当り抜けないようになる。  
【００２１】
左起し片４３、右起し片４４、前起し片５２、後起し片５０などの起し片は、ハンドル嵌り孔１２、ハンドル嵌り孔４９の両方に設ける、いずれか一方の設けるなど多様な形態がある。  
【００２２】
＜本発明の第４の実施の形態＞  
主に請求項７記載の発明の実施の形態である。  
図１３に示す本発明を実施するための最良の第４の実施の形態において６５はハンドル用テーブルであって、このハンドル用テーブル６５の前記第１の実施の形態と主に異なる点は、  
奥差込片３４の右側に重ね差込開き片３６と同じ形態の重ね差込開き片６６を縦向き折部６７で区切って設けた点にある。  
【００２３】
奥差込片３４および片差込奥支持部３７ａ、３７ｂ、３７ｃの幅を狭くすることができ、保持され部２の折れ難く反り難い堅固性を確保できるとともに、保持され部２の左右が重ね差込開き片３６と重ね差込開き片６６により補強されるんので、より反り難い堅固なテーブル状態の安定したハンドル用テーブルを実現する。
【００２４】
＜本願出願人が発明したところのハンドル用テーブルの実施の形態＞  
主に本願出願人が発明したところのハンドル用テーブル｛５Ｔ｝、｛６Ｔ｝の実施の形態である。  
図１４に示す本願出願人が発明したところのハンドル用テーブルの実施の形態においてハンドル用テーブル７０は次のようになっている。図１４はハンドル係止部の部分のみを図示して、その下方側は前記ハンドル用テーブル１と同じであるので図示していない。  
ハンドル用テーブル７０は、  
自動車のハンドル上に保持される保持され部２、この保持され部２に保持されてテーブル状態となるテーブル部４（図示せず）、保持され部２をハンドルＡ上に係止するハンドル係止部７１とからなるハンドル用テーブルであって、  
ハンドル係止部７１が、  
保持され部２の上方に間隔をあけて設けられた下折り部７２、中折り部７３、上折り部７４と、  
下折り部７２と中折り部７３の間に形成された第１のハンドル被さり部７５と、  
中折り部７３と上折り部７４の間に形成された第２のハンドル被さり部７６と、  
上折り部７４の外側に形成された外側部７７と、  
第１のハンドル被さり部７５に設けられたハンドルＡが嵌る下折り部７２と縁を同じ線上にして、中折り部７３からは間隔あけて配置された孔からなる第１のハンドル嵌り孔７８と、  
この第１のハンドル嵌り孔７８の内側に下折り部７２側を保持され部２に連絡して、第１のハンドル嵌り孔７８から抜き形態で形成された起し片７９と、  
第２のハンドル被さり部７６に設けられたハンドルＡが嵌る上折り部７４と縁を同じ線上にして、中折り部７３からは間隔あけて配置された孔からなり、中折り部７３で折り第１の被さり部７５と重ねた状態では第１のハンドル嵌り孔７８と重なる第２のハンドル嵌り孔８０と、  
この第２のハンドル嵌り孔８０の内側に上折り部７４側を外側部７７に連絡して、第２のハンドル嵌り孔８０から抜き形態で形成された差込片８１と、  
この差込片８１の側部に縦向き折部８２により折られ該８１に折り重ねることができる抜け阻止部８３と、  
第２のハンドル被さり部７６が中折り部７３で折られて、抜け阻止部８３が折り重ねられた差込片８１が差し込まれる、保持され部２の上方に設けられた片差込部８４と、からなっている。  
第２のハンドル被さり部７６を下に折り重ねる形態である。  
片差込部８４にいったん差し込まれた抜け阻止部８３および差込片８１は該８３が開いて鉤となり、絶対に抜けることがない折り第１の被さり部７５と第２のハンドル被さり部７６の重なり固定形態を実現する。  
【００２５】
＜本願出願人が発明したところのハンドル用テーブルの実施の形態＞  
主に本願出願人が発明したところのハンドル用テーブル｛５Ｔ｝、｛６Ｔ｝の実施の形態である。  
図１５に示す本願出願人が発明したところのハンドル用テーブルの実施の形態において前記ハンドル用テーブル７０と主に異なる点は、  
第２のハンドル被さり部７６を第１のハンドル嵌り孔７８の上に被さる形態とし、これにともない差込片８１を表上方から片差込部８４に折り差し込むことができるようにしたハンドル用テーブル８６を形成した点にある。  
より具体的には、差込片８１の根元首を外側部７７に食い込む長首形態として、横向き折部８７、８８を形成して差込片８１が９０度折り曲がって片差込部８４に差し込まれるようにしている。  
差込片８１が裏側に配置されるので、ハンドル装着状態では美観を損なわない。  
【００２６】
＜本願出願人が発明したところのハンドル用テーブルの実施の形態＞  
主に本願出願人が発明したところのハンドル用テーブル｛５Ｔ｝の実施の形態である。  
図１６に示す本願出願人が発明したところのハンドル用テーブルの実施の形態において前記ハンドル用テーブル７０と主に異なる点は、  
第２のハンドル嵌り孔８０の内側に、外側部７７側から左右に突出した抜け阻止部９０ａ、９０ｂを有してなる抜止付差込片９１を設け、片差込部８４に変えて抜止付片差込部９２を設けてなるハンドル用テーブル９３を形成した点にある。
抜止付片差込部９２は上部側が広く下方側が狭くなっていて、抜止付差込片９１を上部側から差込み幅の狭い根元側に達すると、下方に自然に行って抜け阻止片９０ａ、９０ｂが当り抜けないようになる。  
【００２７】
＜本発明の第５の実施の形態＞  
主に請求項２記載の発明の実施の形態である。  
図１７に示す本発明を実施するための最良の第５の実施の形態においてハンドル用テーブル９５は次のようになっている。  
テーブル状態において、  
上部に設けられたハンドル係止部７１によりハンドルＡ上に掛け保持される保持され部９６と、  
この保持され部９６から分離され該９６の下部側でその下部側を支持されるテーブル下支持部９７と、  
このテーブル下支持部９７に連絡され下方から手前側を支持され且つ保持され部９６に奥側を支持されてテーブル状態となるテーブル部９９と、  
テーブル下支持部９７とテーブル部９９を区切る横向き折部９８と、  
テーブル下支持部９７の下部側に設けられた下差込片１００と、  
この下差込片１００の側部に縦向き折部１０１で折り該下差込片１００に重ねることができる重ね差込開き片１０２と、  
下差込片１００とテーブル下支持部９７を区切る横向き折部１０３と、  
テーブル部９９の奥側の左右に設けられた奥差込片１０４ａ、１０４ｂと、  
この奥差込片１０４ａ、１０４ｂの内側側部に設けられた縦向き折部１０５ａ、１０５ｂで折り該奥差込片１０４ａ、１０４ｂに重ねることができる重ね差込開き片１０６ａ、１０６ｂと、  
奥差込片１０４ａ、１０４ｂとテーブル部９９を区切る横向き折部１１０ａ、１１０ｂと、
保持され部９６の下方側に設けられた下差込片１００に重ね差込開き片１０２を重ね状態にして差し込まれる片差込下支持部１０７ａ、１０７ｂと、  
保持され部９６の中途左右に設けられた奥差込片１０４ａ、１０４ｂに重ね差込開き片１０６ａ、１０６ｂを重ね状態にして差し込まれる片差込奥支持部１０８ａ、１０８ｂ、片差込奥支持部１０９ａ、１９８ｂと、からなり、  
片差込奥支持部１０８ａ、１０８ｂあるいは片差込奥支持部１０９ａ、１９８ｂに奥差込片１０４ａ、１０４ｂとともに差し込まれた重ね差込開き片１０６ａ、１０６ｂが保持され部９６の裏側で開いて、片差込奥支持部から奥差込片１０４ａ、１０４ｂが抜けないようにしてなり、  
片差込下支持部１０７ａ、１０７ｂのいずれかに下差込片１００とともに差し込まれた重ね差込開き片１０２が保持され部９６の裏側で開いて、片差込下支持部から下差込片１００が抜けないようにして、なることを特徴とするハンドル用テーブルである。  
ハンドル係止部７１は第９の実施の形態と同じである。  
【００２８】
ハンドル係止部７１を組立て、ハンドル係止部７１をハンドルＡに被せ保持され部９６をハンドル上に保持する。  
左右の手で奥差込片１０４ａ、１０４ｂに重ね差込開き片１０６ａ、１０６ｂを折り重ね抑えて、片差込奥支持部１０８ａ、１０８ｂあるいは片差込奥支持部１０９ａ、１９８ｂに少し差し込み、左手で保持され部９６を持ち上げ右手で押し込んで差込を完了させる。  
下差込片１００に重ね差込開き片１０２を重ね、片差込下支持部１０７ａ、１０７ｂのいずれかに差し込み、テーブル状態を完成させる。  
【００２９】
＜本発明の第６の実施の形態＞  
主に請求項３記載の発明の実施の形態である。  
図１８に示す本発明を実施するための最良の第６の実施の形態においてハンドル用テーブル１１５は次のようになっている。  
テーブル状態において、  
ハンドルＡ上に保持される保持され部９６と、  
この保持され部９６の下部側で連結されたテーブル下支持部９７と、  
このテーブル下支持部９７から分離され該９７に下方から手前側を支持され且つ保持され部９６に奥側を支持されてテーブル状態となるテーブル部９８と、  
テーブル下支持部９７に横向き折部１１９で区切られ設けられた上差込片１１６と、  
この上差込片１１６の横に縦向き折部１１７で区切られ設けられた該上差込片１１６に該縦向き折部１１７で折り重ねることができる重ね差込開き片１１８と、  
テーブル部９９の手前側に設けられた上差込片１１６に重ね差込開き片１１８を重ね状態にして差し込まれる片差込上支持部１２０と、  
テーブル部９９の奥側に横向き折部１２１に区切られ設けられた固定片１２２と、  
この固定片１２２に設けられた剥離紙で覆われた粘着部１２３と、からなり、  
保持され部９６の、テーブル部９９が略水平なテーブル状態となる位置に粘着部１２３により固定片１２２を固定し、  
片差込上支持部１２０に上差込片１１６とともに差し込まれた重ね差込開き片１１８がテーブル部９９上で開いて片差込上支持部１２０から上差込片１１６が抜けないようにしてなるハンドル用テーブルである。  
【００３０】
保持され部９６をハンドルＡにハンドル係止部７１を掛け保持する。  
片差込上支持部１２０に上差込片１１６および差し込まれた重ね差込開き片１１８を差し込み、固定片１２２を保持され部９６に当て、上下に滑らせ移動して、テーブル部９９が略水平な状態となる位置を確認し合わせ位置に印を付け、粘着部１２３の剥離紙を剥がし、印に合わせ固定片１２２を保持され部９６に接着固定（接着接合）する。  
固定片１２２は前もって保持され部９６に固定（接合）された状態で、提供される形態もよい。  
【００３１】
＜本発明の第７の実施の形態＞  
主に請求項５記載の発明の実施の形態である。  
図１９に示す本発明を実施するための最良の第７の実施の形態においてハンドル用テーブル１２６は次のようになっている。  
テーブル状態において、  
ハンドル上に保持される保持され部９６と、  
この保持され部９６の下部側に支持される該９６から分離されたテーブル下支持部９７と、  
このテーブル下支持部９７に下方から手前側を支持され且つ保持され部９６に奥側を支持されてテーブル状態となる該９７、９６から分離されたテーブル部９９と、  
テーブル下支持部９７の上部側に横向き折部１３６で区切られ設けられた上差込片１１６と、  
この上差込片１１６の側部に縦向き折部１１７で区切られ設けられた該１１６に折り重ねることができる重ね差込開き片１１８と、  
テーブル下支持部９７の下部側に横向き折部１３５で区切られ設けられた下差込片１２７と、  
この下差込片１２７の側部に縦向き折部１２８で区切られ設けられた該１２７に折り重ねることができる重ね差込開き片１２９と、  
テーブル部９９の奥側中央に横向き折部１３０で区切られ設けられた奥差込片１３１と、  
奥差込片１３１の左右に縦向き折部１３２ａ、１３２ｂで区切られ設けられた該１３１に折り重ねることができる重ね差込開き片１３３ａ、１３３ｂと、  
テーブル部９９の手前側に設けられた上差込片１１６に重ね差込開き片１１８を重ね状態にして差し込まれる片差込上支持部１２０と、  
保持され部９６の下方側に設けられた下差込片１２７に重ね差込開き片１２９を重ね状態にして差し込まれる片差込下支持部１０７ａ、１０７ｂと、  
保持され部９６の中途に設けられた奥差込片１３１に重ね差込開き片１３３ａ、１３３ｂを重ね状態にして差し込まれる片差込奥支持部１３４ａ〜１３４ｃと、からなり、  
片差込上支持部１２０に上差込片１１６とともに差し込まれた重ね差込開き片１１８がテーブル部９９上で開いて、片差込上支持部１２０から上差込片１１６が抜けないようにしてなり、  
片差込下支持部１０７ａ、１０７ｂのいずれかに下差込片１２７とともに差し込まれた重ね差込開き片１２９が保持され部９６の裏側で開いて、片差込下支持部から下差込片１２７が絶対に抜けないようにしてなり、
片差込奥支持部１３４ａ〜１３４ｃのいずれに奥差込片１３１とともに差し込まれた重ね差込開き片１３３ａ、１３３ｂが保持され部９６裏側で開いて、片差込奥支持部から奥差込片１３１が絶対に抜けないようにしてなる、ハンドル用テーブルである。  
【００３２】
保持され部９６側、テーブル下支持部９７側、テーブル部９９側が樹脂製部材とダンボール製部材という別部材とするのもよい。  
保持され部側を樹脂製部材とするのがよく、その場合のハンドル係止部は１つのハンドル嵌め込み孔と一本の横向き折部で十分である。  
ハンドル嵌め込み孔はハンドルの太さよりも幅広（１０ｍｍ〜５０ｍｍ程度の幅広がよい）とするのがよい。  
【００３３】
＜本発明の第８の実施の形態＞  
主に請求項６記載の発明の実施の形態である。  
図２０に示す本発明を実施するための最良の第８の実施の形態においてハンドル用テーブル１４０は次のようになっている。
テーブル状態において、  
ハンドルＡ上に保持される保持され部９６と、  
この保持され部９６の下部側で支持される該９６と分離されたテーブル下支持部９７と、  
このテーブル下支持部９７に連絡され下方から手前側を支持され且つ保持され部９６に奥側を支持されてテーブル状態となるテーブル部９９と、  
テーブル下支持部９７とテーブル部９９を区切る横向き折部９８と、  
テーブル下支持部９７の中央下部側に横向き折部１４１で区切られ設けられた下差込片１４２と、  
この下差込片１４２の側部に縦向き折部１４３で折り該１４２に折り重ねることができる重ね差込開き片１４４と、  
テーブル部９９の中央奥側に横向き折部１３９で区切り設けられた奥差込片１４５と、  
この奥差込片１４５の側部に縦向き折部１４６で区切られ設けられた縦向き折部１４６で折り奥差込片１４５に重ねることができる重ね差込開き片１４７と、  
保持され部９６の下方側に設けられた下差込片１４２に重ね差込開き片１４４を重ね状態にして差し込まれる片差込下支持部１０７ａ、１０７ｂと、
保持され部９６の中途中央に設けられた奥差込片１４５に重ね差込開き片１４７を重ね状態にして差し込まれる片差込奥支持部１３４ａ、１３４ｂと、
保持され部９６の上部に横向き折部７２で区切られ設けられたハンドル係止部１５０と、からなり、  
片差込下支持部１０７ａ、１０７ｂのいずれかに下差込片１４２とともに差し込まれた重ね差込開き片１４４が保持され部９６の裏側で開いて、片差込下支持部から下差込片１４２が抜けないようにしてなり、  
片差込奥支持部１３４ａ、１３４ｂのいずれかに奥差込片１４５とともに差し込まれた重ね差込開き片１４７が保持され部９６の裏側で開いて、片差込奥支持部から奥差込片１４５が抜けないようにしてなるハンドル用テーブルである。  
【００３４】
ハンドル係止部１５０は、  
保持され部９６の上部に横向き折部７２で区切られて設けられたハンドル被さり部１５１と、  
このハンドル被さり部１５１に設けられた握り部太さ３０ｍｍのハンドルＡが嵌る孔からなる奥行き略５０ｍｍ×略横幅３００ｍｍのハンドル嵌り孔１５２と、  
このハンドル嵌り孔１５２内に奥側に横向き折部１５３で区切られ設けられた、ハンドル嵌り孔１５２に嵌ったハンドルＡに押し起されてハンドルＡの背部側に当るハンドル当り片１５４と、  
ハンドル嵌り孔１５２内の左側、右側に縦向き折部１５５ａ、１５５ｂで区切られ設けられた、ハンドル嵌り孔１５２に嵌ったハンドルＡに起されてハンドルの左側側部、右側側部に当るハンドル左当り片１５６ａ、ハンドル右当り片１５６ｂと、からなるハンドル係止部である。  
ハンドル嵌り孔１５２の切り口がハンドルに直接当らず、背部左右の当り片によりハンドル嵌り孔１５２の縁の強度が強化されるので、変形し難く破れ難い形態を実現している。
【００３５】
＜本発明の第９の実施の形態＞  
主に請求項４記載の発明の実施の形態である。  
図２１に示す本発明を実施するための最良の第９の実施の形態において前記第７の実施の形態と主に異なる点は、重ね差込開き片１３３ａ、１３３ｂを設けない奥差込片１３１の表側に粘着部１５９を設けてなるハンドル用テーブル１６０を形成した点にある。  
ハンドルＡに保持され部９６を保持させ、下差込片１２７および重ね差込開き片１２９を片差込下支持部１０７ａ、１０７ｂのいずれかに差し込み、片差込上支持部１２０に上差込片１１６および重ね差込開き片１１８を差し込み、奥差込片１３１を保持され部９６に当て上下に移動させて、テーブル部９９が水平なテーブル状態となった位置で止め、その位置に最も近い片差込奥支持部１３４ａ〜１３４ｃのいずれかを確認し、粘着部１５９の剥離紙を剥がして確認した片差込奥支持部に奥差込片１３１を差し込み粘着部１５９を保持され部９６の裏側に接着固定する。  
【００３６】
＜本発明の第１０の実施の形態＞  
主に請求項８記載の発明の実施の形態である。  
図２２に示す本発明を実施するための最良の第１０の実施の形態においてハンドル用テーブル１６５は次のようになっている。  
テーブル状態において、  
ハンドルＡ上に保持される保持され部９６と、  
この保持され部９６の下部側に横向き折部１６６で区切り奥側を支持され設けられたテーブル部１６７と、  
このテーブル部１６７の手前側の左右に連絡された左テーブル吊り支持部１６８、右テーブル吊り支持部１６９と、  
この左テーブル吊り支持部１６８と右テーブル吊り支持部１６９を奥側で連絡する連絡部１７０と、  
左テーブル吊り支持部１６８と右テーブル吊り支持部１６９と連絡部１７０により開口形成された開口部１７１と、  
連絡部１７０の奥側に横向き折部１７２で区切り設けられた奥差込片１７３と、  
この奥差込片１７３の横に縦向き折部１７４で区切られ設けられた該１７３に折り重ねることができる重ね差込開き片１７５と、  
保持され部９６の中途に設けられた奥差込片１７３に重ね差込開き片１７５を重ね状態にして差し込まれる片差込奥支持部１７６ａ、１７６ｂ、１７６ｃと、からなり、  
片差込奥支持部１７６ａ、１７６ｂ、１７６ｃのいずれかに奥差込片１７３および重ね差込開き片１７５が差し込まれ抜けないように支持された状態で、保持され部９６と左テーブル吊り支持部１６８および右テーブル吊り支持部１６９によってテーブル部１６７のテーブル状態が保持されるようになっていて、  
片差込奥支持部１７６ａ、１７６ｂ、１７６ｃのいずれかに奥差込片１７３とともに差し込まれた重ね差込開き片１７５を保持され部９６の裏側で開いて、片差込奥支持部から奥差込片１７５が抜けないようにしてなるハンドル用テーブルである。  
【００３７】
＜本発明の第１１の実施の形態＞  
主に請求項９記載の発明の実施の形態である。  
図２３、図２４に示す本発明を実施するための最良の第１１の実施の形態においてハンドル用テーブル１８０は次のようになっている。  
テーブル状態において、  
ハンドルＡ上に保持される保持され部９６と、  
この保持され部９６に下部側を支持される該９６から分離されたテーブル下支持部９７と、  
このテーブル下支持部９７の上部側で手前側を支持され且つ奥側を保持され部９６に支持される、テーブル下支持部９７と横向き折部９８で区切られ保持され部９６から分離されてなるテーブル部９９と、  
このテーブル部９９の奥側中央に横向き折部１３９で区切られ設けられた、保持され部９６の略１／３強の横幅である奥差込片１８１と、  
この奥差込片１８１の左右に縦向き折部１８２、１８３で区切られ設けられた該１８１に該１８２、１８３で折り重ねることができる左重ね差込開き片１８４、右重ね差込開き片１８５と、  
テーブル下支持部９７の中央下部側に横向き折部１４１で区切られ設けられた下差込片１４２と、  
この下差込片１４２の側部に縦向き折部１４３で折り該１４２に折り重ねることができる重ね差込開き片１４４と、  
保持され部９６の中途の縦中央線を中心にして設けられた（中央に設けられた）奥差込片１８１に左重ね差込開き片１８４および右重ね差込開き片１８５を重ね状態にして差し込まれる片差込奥支持部１８６と、  
この片差込奥支持部１８６から間隔をあけて上方に設けられた前記保持され部を折り畳むための折畳用折部１８７と、  
奥差込片１８１、左重ね差込開き片１８４および右重ね差込開き片１８５の上下幅が折畳用折部１８７を超える上下幅であって、奥差込片１８１、左重ね差込開き片１８４および右重ね差込開き片１８５が片差込奥支持部１８６に差し込まれて保持され部９６の裏側で折り上げ状態とされ、保持され部９６と奥差込片１８１、左重ね差込開き片１８４および右重ね差込開き片１８５が折畳用折部１８７より下方で接着剤１８９により接合されてなる接合部１８８と、  
この接合部１８８から上方で奥差込片１８１、左重ね差込開き片１８４および右重ね差込開き片１８５と保持され部９６が分離されてなる分離部１９０と、  
保持され部９６の下方に設けられた下差込片１４２に重ね差込開き片１４４て差し込む片差込下支持部１０７ａ、１０７ｂ、１０７ｃと、からなり、  
折畳用折部１８７で折られる保持され部９６が表側には折ることができるが裏側には奥差込片１８１、左重ね差込開き片１８４および右重ね差込開き片１８５によって折りが阻止されるようにしてなるハンドル用テーブルである。  
【００３８】
ハンドル係止部１５０をハンドルＡに被せ掛けてハンドルＡに保持され部９６を保持し、下差込片１４２に重ね差込開き片１４４を片差込下支持部１０７ａ、１０７ｂ、１０７ｃのテーブル部９９の略水平〜水平より手前側が上がり気味となる部位に差し込んでテーブルを形成する。  
重ね差込開き片１４４は開いてハンドルに当り折り上げられるか折りげられるかして、ハンドルＡの左側と保持され部９６に挟ように保持される。  
下差込片１４２は重ね差込開き片１４４を重ね引かない限り該１４４が鉤となり絶対に抜けない安全な形態を実現している。  
図２４の下図において、横向き折部１８７で保持され部９６を上に折り畳み、横向き折部９８でテーブル下支持部９７を下に折り畳む簡単な折り畳みで平状態とできる。  
【００３９】
図１８に示すような形態である、テーブル下支持部９７を保持され部９６に横向き折部６で区切り連絡し、テーブル下支持部９７とテーブル部９９を分離し、テーブル下支持部９７の上部に横向き折部１１９で区切られた上差込片１１６を設け、この上差込片１１６の横に縦向き折部１１７で区切られ該上差込片１１６に折り重ねることができる重ね差込開き片１１８を設け、テーブル部９９の手前側に上差込片１１６に重ね差込開き片１１８を重ね状態にして差し込まれる片差込上支持部１２０を設けてなる形態もよい。  
【００４０】
全体の横幅を略２９７ｍｍ（略Ａ４版）として、横幅および全体の構成部位をその横幅縮小分縮小した形態のものもよい。こうすることにより、Ａ４版の雑誌などの付録として添付できる小型化を実現する。  
よりＡ４版にするために、全体の長さを縮小するのがよい。
【００４１】
片差込奥支持部が複数設けられ、重ね差込開き片の接合部に当る部位に剥離紙でカバーされた粘着部を設け、使用者に提供され、使用者がハンドルの傾きに合わせて片差込奥支持部を選択し、奥差込片１８１、左重ね差込開き片１８４および右重ね差込開き片１８５を選択した片差込奥支持部に差し込み、剥離紙（図示せず）を剥がし接着接合するようにするのもよい。  
【産業上の利用可能性】
【００４２】
本発明は自動車関連グッズを製造する産業、広告産業、パッケージを製造する産業で利用される。
【図面の簡単な説明】
【００４３】
【図１】本願出願人が発明したところのハンドル用テーブルの展開図。
【図２】本願出願人が発明したところのハンドル用テーブルのハンドルにセットした状態の側面図および背面図。
【図３】本願出願人が発明したところのハンドル用テーブルの自動車のサンバイザーに掛け下げて日除けとした状態図および腿に載せたテーブル状態図。
【図４】本願出願人が発明したところのハンドル用テーブルの展開図。
【図５】本願出願人が発明したところのハンドル用テーブルのハンドルにセットした状態の背面図。
【図６】本願出願人が発明したところのハンドル用テーブルの形態の展開図。
【図７】本発明を実施するための最良の第１の実施の形態の展開図。
【図８】本発明を実施するための最良の第１の実施の形態のハンドルへの取付手順図。
【図９】本発明を実施するための最良の第１の実施の形態のハンドルにセットした状態の背面図。
【図１０】本発明を実施するための最良の第１の実施の形態の実線で表された部分が部分意匠として意匠登録を受けようとする部分である正面図、背面図、右側面図、左側面図、平面図、底面図および中央横切断端面図。
【図１１】本発明を実施するための最良の第２の実施の形態の展開裏面図。
【図１２】本発明を実施するための最良の第３の実施の形態の展開図。
【図１３】本発明を実施するための最良の第４の実施の形態の展開図。
【図１４】本願出願人が発明したところのハンドル用テーブルの部分展開図およびハンドルに装着した状態部分側面図。
【図１５】本願出願人が発明したところのハンドル用テーブルの部分展開図およびハンドルに装着した状態部分側面図。
【図１６】本願出願人が発明したところのハンドル用テーブルの部分展開図およびハンドルに装着した状態部分側面図。
【図１７】本発明を実施するための最良の第５の実施の形態の展開図およびハンドルにセットした状態の側面図。
【図１８】本発明を実施するための最良の第６の実施の形態の展開図およびハンドルにセットした状態の側面図。
【図１９】本発明を実施するための最良の第７の実施の形態の展開図およびハンドルにセットした状態の側面図。
【図２０】本発明を実施するための最良の第８の実施の形態の展開図およびハンドルにセットした状態の側面図。
【図２１】本発明を実施するための最良の第９の実施の形態の展開図およびハンドルにセットした状態の側面図。
【図２２】本発明を実施するための最良の第１０の実施の形態の展開図およびハンドルにセットした状態の側面図。
【図２３】本発明を実施するための最良の第１１の実施の形態の組立分解展開図およびハンドルにセットした状態の組立側面図。
【図２４】本発明を実施するための最良の第１１の実施の形態のハンドルにセットした状態の組立背面図および折畳拡大側面図。
【符号の説明】
【００４４】
Ａ：ハンドル、  
１：ハンドル用テーブル、  
２：保持され部、  
３：テーブル下支持部、  
４：テーブル部、  
５：奥差込片、  
６：横向き折部、  
７：横向き折部、  
８：横向き折部、  
９ａ、９ｂ：片差込奥支持部、  
１０：ハンドル係止部、  
１１：横向き折部、  
１２：ハンドル嵌り孔、  
１３：横向き折部、  
１４：膝挟み片、  
１５：片差込奥支持部、  
１６：ドリンクホルダー、  
２０：ハンドル用テーブル、  
２１：奥差込片、  
２２：短片突起部、  
２３ａ、２３ｂ、２３ｃ：片差込奥支持部、  
２４ａ、２４ｂ、２４ｃ：突起入り孔、  
２７：ハンドル用テーブル、  
２８：奥差込片、  
２９ａ、２９ｂ、２９ｃ：片差込奥支持部、  
３０：本支持片、  
３３：ハンドル用テーブル、  
３４：奥差込片、  
３５：縦向き折部、  
３６：重ね差込開き片、  
３７ａ、３７ｂ、３７ｃ：片差込奥支持部、  
４０：ハンドル用テーブル、  
４１：片差込部、  
４３：左起し片、  
４４：右起し片、  
４５：後起し片、  
４６：前起し片、  
４８：ハンドル用テーブル、  
４９：ハンドル嵌り孔、  
５０：後起し片、  
５１：横向き折部、  
５２：奥差込片、  
５３：重ね差込開き片、  
５４：中横向き折部、  
５５：重ねハンドル係止部、  
５６：横向き折部、  
５７：折端部、  
５８ａ、５８ｂ：抜け阻止部、  
５９：抜止付差込片、  
６０：抜止付片差込部、  
６１：折下げ片、  
６５：ハンドル用テーブル、  
６６：重ね差込開き片、  
６７：縦向き折部、  
７０：ハンドル用テーブル、  
７１：ハンドル係止部、  
７２：下折り部、  
７３：中折り部、  
７４：上折り部、  
７５：第１のハンドル被さり部、  
７６：第２のハンドル被さり部、  
７７：外側部、  
７８：第１のハンドル嵌り孔、  
７９：起し片、  
８０：第２のハンドル嵌り孔、  
８１：差込片、  
８２：縦向き折部、  
８３：抜け阻止部、  
８４：片差込部、  
８６：ハンドル用テーブル、  
８７：横向き折部、  
８８：横向き折部、  
９０ａ、９０ｂ：抜け阻止部、  
９１：抜止付差込片、  
９２：抜止付片差込部、  
９３：ハンドル用テーブル、  
９５：ハンドル用テーブル、  
９６：保持され部、  
９７：テーブル下支持部、  
９８：横向き折部、  
９９：テーブル部、  
１００：下差込片、  
１０１：縦向き折部、  
１０２：重ね差込開き片、  
１０３：横向き折部、  
１０４ａ、１０４ｂ：奥差込片、  
１０５ａ、１０５ｂ：縦向き折部、  
１０６ａ、１０６ｂ：重ね差込開き片、  
１０７ａ、１０７ｂ、１０７ｃ：片差込下支持部、  
１０８ａ、１０８ｂ：片差込奥支持部、  
１０９ａ、１９８ｂ：片差込奥支持部、  
１１０ａ、１１０ｂ：横向き折部、  
１１５：ハンドル用テーブル、  
１１６：上差込片、  
１１７：縦向き折部、  
１１８：重ね差込開き片、  
１１９：横向き折部、  
１２０：片差込上支持部、  
１２１：横向き折部、  
１２２：固定片、  
１２３：粘着部、  
１２６：ハンドル用テーブル、  
１２７：下差込片、  
１２８：縦向き折部、  
１２９：重ね差込開き片、  
１３０：横向き折部、  
１３１：奥差込片、  
１３２ａ、１３２ｂ：縦向き折部、  
１３３ａ、１３３ｂ：重ね差込開き片、  
１３４ａ〜１３４ｃ：片差込奥支持部、  
１３５：横向き折部、  
１３６：横向き折部、  
１３９：横向き折部、  
１４０：ハンドル用テーブル、  
１４１：横向き折部、  
１４２：下差込片、  
１４３：縦向き折部、  
１４４：重ね差込開き片、  
１４５：奥差込片、  
１４６：重ね差込開き片、  
１４７：重ね差込開き片、  
１５０：ハンドル係止部、  
１５１：ハンドル被さり部、  
１５２：ハンドル嵌り孔、  
１５３：横向き折部、  
１５４：ハンドル当り片、  
１５５ａ、１５５ｂ：縦向き折部、  
１５６ａ：ハンドル左当り片、  
１５６ｂ：ハンドル右当り片、  
１５９：粘着部、  
１６０：ハンドル用テーブル、  
１６５：ハンドル用テーブル、  
１６６：横向き折部、  
１６７：テーブル部、  
１６８：左テーブル吊り支持部、  
１６９：右テーブル吊り支持部、  
１７０：連絡部、  
１７１：開口部、  
１７２：横向き折部、  
１７３：奥差込片、  
１７４：縦向き折部、  
１７５：重ね差込開き片、  
１７６ａ、１７６ｂ、１７６ｃ：片差込奥支持部、  
１８０：ハンドル用テーブル、  
１８１：奥差込片、  
１８２：縦向き折部、  
１８３：縦向き折部、  
１８４：左重ね差込開き片、  
１８５：右重ね差込開き片、  
１８６：片差込奥支持部、  
１８７：折畳用折部、  
１８８：接合部、  
１８９：接着剤、  
１９０：分離部。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
テーブル状態において、
ハンドル上に保持される保持され部と、
この保持され部に支持されるテーブル支持部と、
このテーブル支持部と前記保持され部に支持されてテーブル状態となるテーブル部と、
テーブル支持部あるいは前記テーブル部に設けられた差込片と、
この差込片の左側部と右側部に縦向き折部で区切られ設けられた該差込片に該縦向き折部で折り重ねることができるとともに、前記保持され部裏側で開いてハンドルの左表側に当る横幅の左重ね差込開き片、該保持され部裏側で開いてハンドルの右表側に当る横幅の右重ね差込開き片と、
前記保持され部に設けられた前記差込片に前記左重ね差込開き片および前記右重ね差込開き片を折り重ね状態にして差し込まれる片差込支持部と、からなり、
前記片差込支持部に前記差込片とともに差し込まれた前記左重ね差込開き片、前記右重ね差込開き片が前記保持され部裏側で開いて、前記保持され部裏壁に当って前記片差込支持部から前記差込片が抜けないようにしてなり、且つ、前記片差込支持部への前記差込片の差込支持により前記テーブル部のテーブル状態が保持されるようにしてなることを特徴とするハンドル用テーブル。
【請求項２】
テーブル状態において、  
ハンドル上に保持される保持され部と、  
この保持され部に下部側を支持されるテーブル下支持部と、  
このテーブル下支持部の上部側で手前側を支持され且つ奥側を前記保持され部に支持されるテーブル部と、
前記テーブル下支持部の下部側に設けられた下差込片と、
この下差込片の側部に第１の縦向き折部で区切り設けられた該第１の縦向き折部で折り該下差込片に重ねることができる第１の重ね差込開き片と、
前記保持され部の下方側に設けられた前記下差込片に前記第１の重ね差込開き片を重ね状態にして差し込まれる片差込下支持部と、
前記テーブル部の奥側に設けられた奥差込片と、  
この奥差込片の左側と右側に第２の縦向き折部で区切られ設けられた該奥差込片に該第２の縦向き折部で折り重ねることができる左側と右側の第２の重ね差込開き片と、  
前記テーブル部と前記奥差込片の区切りである横向き折部と、  
前記保持され部の中途に設けられた前記奥差込片に前記左側と右側の第２の重ね差込開き片を重ね状態にして差し込まれる片差込奥支持部と、  
この片差込奥支持部から間隔をあけて上方に設けられた前記保持され部を折り畳むための折畳用折部と、  
前記左側と右側の第２の重ね差込開き片の上下幅が前記折畳用折部を超える上下幅であって、前記奥差込片および前記左側と右側の第２の重ね差込開き片が前記片差込奥支持部に差し込まれて前記保持され部の裏側で折り上げ状態とされ、前記保持され部と前記左側と右側の第２の重ね差込開き片が前記折畳用折部より下方で接着剤やステップラーなどにより接合されてなる接合部と、  
この接合部から上方で前記左側と右側の第２の重ね差込開き片と前記保持され部が分離されてなる分離部と、
からなり、  
前記折畳用折部で折られる保持され部が表側には折ることができるが裏側には前記左側と右側の第２の重ね差込開き片によって折りが阻止され、前記片差込下支持部に前記下差込片とともに差し込まれた前記第１の重ね差込開き片が前記保持され部裏側で開いて、前記片差込下支持部から前記下差込片が抜けないようにしてなり、且つ、前記左側と右側の第２の重ね差込開き片がハンドルの左表側と右表側に当る幅であることを特徴とするハンドル用テーブル。
【手続補正２】
【補正対象書類名】明細書
【補正対象項目名】全文
【補正方法】変更
【補正の内容】
【発明の詳細な説明】
【技術分野】
【０００１】
本発明は、主に自動車のハンドルに装着して簡易的なテーブルを形成するハンドル用テーブルに関する。  
【背景技術】
【０００２】
従来、一枚のダンボール製板部材を一発打抜で形成たハンドル用テーブルとして、特許文献１に記載された第１型ハンドル用テーブル、第２型ハンドル用テーブル、第３型ハンドル用テーブル、第４型ハンドル用テーブル、第５型ハンドル用テーブルがある。  
（１）上記「第１型ハンドル用テーブル」は、  
テーブル状態において、  
ハンドル上に保持される保持され部（ハンドル支持・寄り掛け部２）と、
この保持され部（ハンドル支持・寄り掛け部２）の下部に設けられたテーブル下支持部（テーブル下支持部４）と、
このテーブル下支持部（テーブル下支持部４）の下部に支持されるように設けられたテーブル部（テーブル部６）と、
このテーブル部（テーブル部６）の奥側中央に設けられた保持され部の横幅の１／３強幅の奥奥差込片（上部挿入片１７）と、
保持され部（ハンドル支持・寄り掛け部２）とテーブル支持部（テーブル下支持部４）の区切りである第１横向き折部（折部３）と、
テーブル支持部（テーブル下支持部４）とテーブル部（テーブル部６）の区切りである第２横向き折部（折部５）と、
テーブル部（テーブル部６）と奥奥差込片（上部挿入片１７）の区切りである第３横向き折部（折部７）と、
保持され部（ハンドル支持・寄り掛け部２）の中央に設けられた奥奥差込片（上部挿入片１７）と略同じ横幅の該奥差込片が差し込まれる片差込奥支持部（片挿入部１４、１５）とからなり、
片差込奥支持部（片挿入部１４、１５）に差し込まれて下向きに折り下げられた状態でハンドルの下部と保持され部（ハンドル支持・寄り掛け部２）に挟まれた奥差込片（上部挿入片１７）とテーブル下支持部（テーブル下支持部４）によってテーブル部（テーブル部６）のテーブル状態が保持されるようになっているハンドル用テーブル（簡易テーブル１）である。  
（２）上記「第２型ハンドル用テーブル」の前記「第１型ハンドル用テーブル」（簡易テーブル１）と主に異なる点は、
保持され部（ハンドル支持・寄り掛け部２）の左右に横抜き開口された左片差込奥支持部、右片差込奥支持部（片挿入部４１、４２）を設け、テーブル部（テーブル部６）の左右に左片差込奥支持部、右片差込奥支持部（片挿入部４１、４２）に差し込まれる、左横向き折部、右横向き折部（折部１６、１６）で区切り設けてなる、保持され部（ハンドル支持・寄り掛け部２）とハンドルＡの左側、右側との間に挟まれて、テーブル部（テーブル部６）のテーブル状態を支持するための保持され部の横幅の１／３弱の横幅の右奥差込片、左奥差込片（上部挿入片４３、４４）を設けたハンドル用テーブル（簡易テーブル４０）を形成した点にある。  
（３）上記「第３型ハンドル用テーブル」の前記「第１型ハンドル用テーブル」（簡易テーブル１）と主に異なる点は、
保持され部の中途でテーブル部の奥側が支持され、テーブル部の前方ないし側部に連絡されたテーブル下支持部に下差込片が設けられ、この下差込片を差し込んでテーブル部のテーブル状態を保持する孔からなる差込片下支持部が保持され部の下方に設けられてなるハンドル用テーブルである。  
（４）上記「第４型ハンドル用テーブル」の前記「第１型ハンドル用テーブル」（簡易テーブル１）と主に異なる点は、
保持され部の中途でテーブル部の奥側が支持され、テーブル部の前方に孔からなる差込片上差込部が設けられ、保持され部の下部に連絡されたテーブル下支持部に上差込片が設けられ、この上差込片を前記差込片上差込部に差し込んでテーブル部のテーブル状態を保持するハンドル用テーブルである。  
（５）上記「第５型ハンドル用テーブル」は、ハンドル係止部（ハンドル略潜らせ係止部）が、下折部（折り部１７８）、中折部（折り部１７９）、上折部（折り部１８０）を保持され部上方に設け、下折部と中折部の間にハンドルが嵌る第１のハンドル嵌り孔（ハンドル略潜らせ係止部１７６）を形成し、中折部と上折部の間に第２のハンドル嵌り孔（ハンドル略潜らせ係止部１７７）を形成したハンドル用テーブルである。  
【０００３】
【特許文献１】特開２００４−３４５６２３号公報  ｛１｝  図１、図２、図３、図４、図５、図６に記載された第１型ハンドル用テーブル」。  ｛２｝  図１０、図１１に記載された「第２型ハンドル用テーブル」。  ｛３｝  図９、図１３、図１７、図１８、図２８〜図３０、図４７、図４８、図５０、図５１に記載された「第３型ハンドル用テーブル」。  ｛４｝  図４６に記載された「第４型ハンドル用テーブル。  ｛５｝  図４２に記載された「第５型ハンドル用テーブル」。
【非特許文献１】特になし
【発明の開示】
【発明が解決しようとする課題】
【０００４】
（１）前述した「第１型ハンドル用テーブル」は以下のような欠点（特に強度がそれほど強靭ではないダンボール製部材において）をもつものであった。  
｛１｝差込片が保持され部の横幅の１／３強と幅の狭い形態であり且つ中央部に設けられた形態であるため、奥差込片を片差込支持部に差し込んでそのままハンドルに装着した場合に、ハンドルに当ることなくハンドルの下開口（ハンドルの下側と上側は殆どのハンドルにおいて開口となっている。）に入ってしまい折り状態が不十分な状態となり、テーブルに荷重がかかった場合に抜ける危険があるという欠点を有するものであった。  
｛２｝ハンドルの下方に保持され部の下方が突出して支持されない部位が多くなる（テーブル部はその分下方に位置するようになる）と、テーブル部に荷重を加えるとハンドルから離れた保持され部の下部端部分が押され、その結果保持され部が撓り湾曲し易くなり、テーブル状態の安定性（堅固性）が不安定なるという欠点を有するものであった。  
｛３｝奥差込片をハンドルの下部部位と保持され部の間に挟むのであるが、奥差込片がハンドルの下部部位に届く長さとしなくてはならない、すなわち奥差込片を長いものにしなくてはならいものであった。  
このため、ダンボール製板部材（原料板材）を打抜して形成する場合には、板材は定形であるため、場合によっては定形を超える全長となり合理的な抜きができなくなり無駄（使用しない廃棄物）が生じてコスト高になるという欠点を有するものであった。  
（２）前述した「第２型ハンドル用テーブル」は以下のような欠点（特に強度がそれほど強靭ではないダンボール製部材において）をもつものであった。  
｛１｝片差込支持部に差し込まれた奥差込片の横側が確実にハンドルの横側に当りハンドルと保持され部の間に確実に奥差込片が挟まれる、左右の奥差込片がハンドルと保持され部の間に挟まれた形態によってその部分の保持され部の厚さが二重厚さとなり、よってテーブル部に荷重がかかっても保持され部が撓り難い堅固性を強める、よってハンドルの下方に保持され部の下方が突出して支持されない部位を多くする（長く出す）ことが可能となり、その分テーブル部を下方に位置させることを可能とするものである。
しかし、奥差込片が左右２箇所であるために、左手で保持され部を持ち右手で左右の奥差込片を操作し左右の片差込支持部に差し込むことが大変難しく操作が煩わしいという欠点を有するものであったし、奥差込片および片差込支持部を一方の側のみにするとテーブル部の２／３弱が支持されない形態となって、虚弱なテーブル状態になってしまうものであった。  
｛２｝左右の片差込支持部の間が１／３強しかなく、その部位が虚弱でありテーブル部に荷重を掛けた場合にその部位が撓りやすく、また折れ易いという欠点を有するものであった。  
（３）前述した「第１型ハンドル用テーブル」「第２型ハンドル用テーブル」「第３型ハンドル用テーブル」「第４型ハンドル用テーブル」のいずれも、ハンドル装着前において片差込支持部から奥差込片が抜ける危険があるという欠点を有するものであり、片差込支持部に奥差込片を差し込んだまま手に持って移動させる際に奥差込片を手で抑えていないと、片差込支持部から奥差込片が抜ける危険があるという欠点があるものであった。  
（４）前述した「第５型ハンドル用テーブル」は、中折部で折り重ねてハンドルに掛け係止することができるが、重ね状態が非固定であるため、ハンドルに掛けるときは常に手で重ね状態にして掛けなければならない、不使用時はハンドル係止部がぶらついて目障りであるという欠点を有するものであった。  
また、上述した欠点を解消しより強固なハンドル係止部とするために、接着固定、ステップラーによる結合固定などがあるが、これらは作業工程と使用材料の増加になりコスト高になるという問題を持つものであった。
【０００５】
本発明は以上のような従来技術の欠点に鑑みてなされたものであって、その目的は、以下のようになっている。
（１）  ハンドルに装着しない状態で差込片を手で抑えるなどの操作をいっさい行わずに、テーブル部のテーブル状態が堅固に保持されるとともに、そのテーブル状態を簡単に解除することができるハンドル用テーブルを提供することを目的としている。  
（２）  また本発明の他の目的は、左手で保持され部を持ち右手で奥差込片を片差込支持部に差し込むことが簡単容易にでき、片差込支持部に差し込まれた奥差込片が確実にハンドルに当り該ハンドルと保持され部の間に確実に挟まれる安全性を実現し、テーブル部のテーブル状態保持強度が損なわれず、奥差込部により保持され部の強靭性・堅固性が強化され、ハンドルに掛けない状態で差込片を手で抑えるなどの操作をいっさい行わずに、テーブル部のテーブル状態が保持されるとともに、簡単にテーブル状態を解除することができるハンドル用テーブルを提供することを目的としている。  
（３）  左手で保持され部を持ち右手で奥差込片を片差込支持部に差し込むことが素早く簡単容易にでき、片差込支持部に差し込まれた奥差込片が確実にハンドルに当り該ハンドルと保持され部の間に確実に挟まれる安全性を実現し、テーブル部のテーブル状態保持強度が損なわれず、奥差込部により保持され部の強靭性・堅固性が強化される本願発明者が発明したところのハンドル用テーブルを提供することを目的としている。
（４）  また、主にダンボール製部材などの厚紙製部材からなるハンドル用テーブルにおいて、ハンドル上に保持される保持され部をハンドルに係止する、打抜形成したハンドルを嵌めるハンドル嵌め孔の強靭性・堅固性をコスト高を招かず高めた本願発明者が発明したところのハンドル用テーブルを提供することを目的としている。  
（５）  また、前記（１）〜（３）のいずれかの目的に加えて、ハンドル上に保持される保持され部をハンドルに係止する、打抜形成したハンドルを嵌めるハンドル嵌め孔の強靭性・堅固性をコスト高を招かず高めた本願発明者が発明したところのハンドル用テーブルを提供することを目的としている。
【課題を解決するための手段】
【０００６】
上記目的を達成するために本発明は以下に述べるような構成となっている。  
（１Ａ）＜本願出願人が発明したところのハンドル用テーブル｛１Ｔ｝＞  
テーブル状態において、ハンドル上に保持される保持され部と、この保持され部に連絡されたテーブル下支持部と、このテーブル下支持部に連絡された奥側を前記保持され部に支持されるテーブル部と、このテーブル部の奥側に設けられた１つのみの奥差込片と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部の中途に設けられた前記奥差込片が差し込まれる片差込奥支持部とからなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記奥差込片の横幅が該奥差込片の左右がハンドルの左右表側に当る横幅であることを特徴とするハンドル用テーブルである。  
「横向き折部」（部材は上下回動）とは「縦向き折部」（部材は左右回動）と識別するだけのものであり、１つないし間隔をあけた複数の折目からなるもの、１つないし複数のヒンジからなるもの、分離した部品を連結する１つないし複数の兆番からなるもの、分離した部品を連結する１つないし複数の粘着テープなどからなるもの、嵌合などの連結部位の連結によるもの、など多様な形態がある。
（２Ａ）＜本願出願人が発明したところのハンドル用テーブル｛２Ｔ｝＞  
テーブル状態において、ハンドル上に保持される保持され部と、この保持され部の下部に連絡されたテーブル下支持部と、このテーブル下支持部に連絡された奥側を前記保持され部に支持されるテーブル部と、このテーブル部の奥側に設けられた１つのみの奥差込片と、前記保持され部と前記テーブル支持部の区切りである第１横向き折部と、前記テーブル下支持部と前記テーブル部の区切りである第２横向き折部と、前記テーブル部と前記差込片の区切りである第３横向き折部と、前記保持され部の中途に設けられた前記奥差込片が差し込まれる片差込奥支持部と、からなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記片差込奥支持部および前記奥差込片が左右いずれか一方の側に寄って配置され、前記奥差込片の横幅が前記保持され部の横幅の１／２以上の横幅であり且つ該奥差込片がハンドルの左右一方の表側に当ることを特徴とするハンドル用テーブルである。  
（３Ａ）＜本願出願人が発明したところのハンドル用テーブル｛３Ｔ｝＞  
テーブル状態において、ハンドル上に保持される保持され部と、この保持され部に連絡されたテーブル下支持部と、このテーブル下支持部に連絡された奥側を前記保持され部に支持されるテーブル部と、このテーブル部の奥側に設けられた１つのみの奥差込片と、前記テーブル部に前記奥差込片から距離をあけて設けられた短片突起部と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部に設けられた前記奥差込片が差し込まれる片差込奥支持部と、前記保持され部に設けられた前記短片突起部が入る突起入り孔と、からなり、前記片差込奥支持部に差し込まれて下向きに折り下げられた状態でハンドルと前記保持され部に挟まれた前記奥差込片と前記テーブル下支持部によって前記テーブル部のテーブル状態が保持されるようになっていて、前記奥差込片が左右いずれか一方の側に寄って配置され、前記片差込奥支持部に差し込まれた前記奥差込片がハンドルの左右一方の表側に当り、前記片差込奥支持部に差込折られた前記奥差込片と前記突起入り孔に入っている短片突起部とによって前記テーブル部のテーブル状態が保持されるようにしてなることを特徴とするハンドル用テーブルである。  
（４Ａ）＜請求項１記載の発明＞  
テーブル状態において、
ハンドル上に保持される保持され部と、
この保持され部に支持されるテーブル支持部と、
このテーブル支持部と前記保持され部に支持されてテーブル状態となるテーブル部と、
テーブル支持部あるいは前記テーブル部に設けられた差込片と、
この差込片の左側部と右側部に縦向き折部で区切られ設けられた該差込片に該縦向き折部で折り重ねることができるとともに、前記保持され部裏側で開いてハンドルの左表側に当る横幅の左重ね差込開き片、該保持され部裏側で開いてハンドルの右表側に当る横幅の右重ね差込開き片と、
前記保持され部に設けられた前記差込片に前記左重ね差込開き片および前記右重ね差込開き片を折り重ね状態にして差し込まれる片差込支持部と、からなり、
前記片差込支持部に前記差込片とともに差し込まれた前記左重ね差込開き片、前記右重ね差込開き片が前記保持され部裏側で開いて、前記保持され部裏壁に当って前記片差込支持部から前記差込片が抜けないようにしてなり、且つ、前記片差込支持部への前記差込片の差込支持により前記テーブル部のテーブル状態が保持されるようにしてなることを特徴とするハンドル用テーブルである。
（５Ａ）＜本願出願人が発明したところのハンドル用テーブル｛４Ｔ｝＞  
テーブル状態において、ハンドル上に保持される保持され部と、この保持され部の下部側で支持されるテーブル下支持部と、このテーブル下支持部に連絡され下方から手前側を支持され且つ前記保持され部に奥側を支持されてテーブル状態となるテーブル部と、前記テーブル下支持部と前記テーブル部を区切る横向き折部と、前記テーブル下支持部に設けられた下差込片と、この下差込片の横に縦向き折部で区切られ設けられた該下差込片に該縦向き折部で折り重ねることができる重ね差込開き片と、前記保持され部の下方に設けられた前記下差込片に前記重ね差込開き片を重ね状態にして差し込まれる片差込下支持部と、からなり、前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブルである。  
（６Ａ）＜本願出願人が発明したところのハンドル用テーブル｛５Ｔ｝＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部に設けられた上差込片と、この上差込片の横に縦向き折部で区切られ設けられた該上差込片に該縦向き折部で折り重ねることができる重ね差込開き片と、前記テーブル部の手前側に設けられた前記上差込片に前記重ね差込開き片を重ね状態にして差し込まれる片差込上支持部と、からなり、前記片差込上支持部に前記上差込片とともに差し込まれた前記重ね差込開き片が前記テーブル部上で開いて前記片差込上支持部から前記上差込片が抜けないようにしてなることを特徴とするハンドル用テーブルである。  
（７Ａ）＜本願出願人が発明したところのハンドル用テーブル｛６Ｔ｝＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部の上部側に設けられた上差込片と、前記テーブル下支持部の下部側に設けられた下差込片と、前記上差込片と前記下差込片の横に縦向き折部で区切られ設けられた該各差込片に該縦向き折部で折り重ねることができる重ね差込開き片と、前記テーブル部の手前側に設けられた前記上差込片に前記重ね差込開き片を重ね状態にして差し込まれる片差込上支持部と、前記保持され部の下方側に設けられた前記下差込片に前記重ね差込開き片を重ね状態にして差し込まれる片差込下支持部と、からなり、前記片差込上支持部に前記上差込片とともに差し込まれた前記重ね差込開き片が前記テーブル部上で開いて、前記片差込上支持部から前記上差込片が抜けないようにしてなり、前記片差込下支持部に前記下差込片とともに差し込まれた前記重ね差込開き片が前記保持され部裏側で開いて、前記片差込下支持部から前記下差込片が抜けないようにしてなることを特徴とするハンドル用テーブルである。  
（８Ａ）＜本願出願人が発明したところのハンドル用テーブル｛７Ｔ｝＞  
テーブル状態において、ハンドル上に保持される保持され部と、この保持され部の下部側で支持されるテーブル下支持部と、このテーブル下支持部に下方から手前側を支持され且つ前記保持され部に奥側を支持されてテーブル状態となるテーブル部と、前記テーブル下支持部の上部側に設けられた上差込片と、前記テーブル下支持部の下部側に設けられた下差込片と、前記テーブル部の奥側に設けられた奥差込片と、前記上差込片と前記下差込片と前記奥差込片の横に縦向き折部で区切られ設けられた該各差込片に該縦向き折部で折り重ねることができる重ね差込開き片と、前記テーブル部の手前側に設けられた前記上差込片に前記重ね差込開き片を重ね状態にして差し込まれる片差込上支持部と、前記保持され部の下方側に設けられた前記下差込片に前記重ね差込開き片を重ね状態にして差し込まれる片差込下支持部と、前記保持され部の中途に設けられた前記奥差込片に前記重ね差込開き片を重ね状態にして差し込まれる片差込奥支持部と、からなり、前記片差込上支持部に前記上差込片とともに差し込まれた前記重ね差込開き片が前記テーブル部上で開いて、前記片差込上支持部から前記上差込片が抜けないようにしてなり、前記片差込下支持部に前記下差込片とともに差し込まれた前記重ね差込開き片が前記保持され部裏側で開いて、前記片差込下支持部から前記下差込片が抜けないようにしてなり、前記片差込奥支持部に前記奥差込片とともに差し込まれた前記重ね差込開き片が前記保持され部裏側で開いて、前記片差込奥支持部から前記奥差込片が抜けないようにしてなることを特徴とするハンドル用テーブルである。  
（９Ａ）＜本願出願人が発明したところのハンドル用テーブル｛８Ｔ｝＞  
テーブル状態において、ハンドル上に保持される保持され部と、この保持され部の下部側で支持されるテーブル下支持部と、このテーブル下支持部に連絡され下方から手前側を支持され且つ前記保持され部に奥側を支持されてテーブル状態となるテーブル部と、前記テーブル下支持部と前記テーブル部を区切る横向き折部と、前記テーブル下支持部の下部側に設けられた下差込片と、この下差込片の側部に第１の縦向き折部で区切り設けられた該第１の縦向き折部で折り該下差込片に重ねることができる第１の重ね差込開き片と、前記テーブル部の奥側に設けられた奥差込片と、この奥差込片の側部に第２の縦向き折部で区切り設けられた該第２の縦向き折部で折り該奥差込片に重ねることができる第２の重ね差込開き片と、前記保持され部の下方側に設けられた前記下差込片に前記第１の重ね差込開き片を重ね状態にして差し込まれる片差込下支持部と、前記保持され部の中途に設けられた前記奥差込片に前記第２の重ね差込開き片を重ね状態にして差し込まれる片差込奥支持部と、からなり、前記片差込下支持部に前記下差込片とともに差し込まれた前記第１の重ね差込開き片が前記保持され部裏側で開いて、前記片差込下支持部から前記下差込片が抜けないようにしてなり、前記片差込奥支持部に前記奥差込片とともに差し込まれた前記第２の重ね差込開き片が前記保持され部裏側で開いて、前記片差込奥支持部から前記奥差込片が抜けないようにしてなることを特徴とするハンドル用テーブルである。  
（１０Ａ）＜本願出願人が発明したところのハンドル用テーブル｛９Ｔ｝＞  
テーブル状態において、ハンドル上に保持される保持され部と、この保持され部に連絡されたテーブル下支持部と、このテーブル下支持部に連絡され奥側を前記保持され部に支持されるテーブル部と、このテーブル部の奥側に設けられた奥差込片と、この奥差込片の横に縦向き折部で区切られ設けられた該奥差込片に該縦向き折部で折り重ねることができる重ね差込開き片と、前記保持され部と前記テーブル支持部の区切りである第１横向き折部と、前記テーブル下支持部と前記テーブル部の区切りである第２横向き折部と、前記テーブル部と前記奥差込片の区切りである第３横向き折部と、前記保持され部の中途に設けられた前記奥差込片に前記重ね差込開き片を重ね状態にして差し込まれる片差込奥支持部と、からなり、前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブルである。  
（１１Ａ）＜本願出願人が発明したところのハンドル用テーブル｛１０Ｔ｝＞  
テーブル状態において、ハンドル上に保持される保持され部と、この保持され部の下部側に奥側を支持されたテーブル部と、このテーブル部の手前側の左右に連絡された左テーブル吊り支持部、右テーブル吊り支持部と、この左テーブル吊り支持部と右テーブル吊り支持部を奥側で連絡する連絡部と、この連絡部の奥側に設けられた奥差込片と、この奥差込片の横に縦向き折部で区切られ設けられた該奥差込片に該縦向き折部で折り重ねることができる重ね差込開き片と、前記保持され部の中途に設けられた前記奥差込片に前記重ね差込開き片を重ね状態にして差し込まれる片差込奥支持部と、からなり、前記片差込奥支持部に前記奥差込片が差し込まれ抜けないように支持された状態で、前記保持され部と前記左テーブル吊り支持部および右テーブル吊り支持部によってテーブル部のテーブル状態が保持されるようになっていて、前記片差込奥支持部に前記奥差込片とともに差し込まれた重ね差込開き片を前記保持され部裏側で開いて、前記片差込奥支持部から前記奥差込片が抜けないようにしてなることを特徴とするハンドル用テーブルである。  
「左テーブル吊り支持部、右テーブル吊り支持部」はテーブル部や保持され部と異なる部材である、布製テープ、樹脂製テープなどもよい。  
（１２Ａ）＜本願出願人が発明したところのハンドル用テーブル｛１１Ｔ｝＞  
前記（１Ａ）〜（８Ａ）いずれか記載の発明の構成において、保持され部裏側で開いた重ね差込開き片がハンドルの左右一方の表側に当る幅あるいは位置であることを特徴とするのハンドル用テーブルである。  
（１３Ａ）＜本願出願人が発明したところのハンドル用テーブル｛１２Ｔ｝＞  
自動車のハンドル上に保持される保持され部、この保持され部に保持されてテーブル状態となるテーブル部、前記保持され部をハンドル上に係止するハンドル係止部とからなるハンドル用テーブルであって、前記ハンドル係止部が、前記保持され部の上方に間隔をあけて設けられた下折り部、中折り部、上折り部と、前記下折り部と前記中折り部の間に形成された第１のハンドル被さり部と、前記中折り部と前記上折り部の間に形成された第２のハンドル被さり部と、前記上折り部の外側に形成された外側部と、前記第１のハンドル被さり部に設けられたハンドルが嵌る前記下折り部と縁を同じ線上にして、前記中折り部からは間隔あけて配置された孔からなる第１のハンドル嵌り孔と、この第１のハンドル嵌り孔の内側に前記下折り部側を前記保持され部に連絡して、前記第１のハンドル嵌り孔から抜き形態で形成された起し片と、前記第２のハンドル被さり部に設けられたハンドルが嵌る前記上折り部と縁を同じ線上にして、前記中折り部からは間隔あけて配置された孔からなり、前記中折り部で折って前記第１の被さり部と重ねた状態で前記第１のハンドル嵌り孔と重なる第２のハンドル嵌り孔と、この第２のハンドル嵌り孔の内側に前記上折り部側を前記外側部に連絡して、前記第２のハンドル嵌り孔から抜き形態で形成され差込片と、この差込片の側部に突出形成された抜け阻止部と、前記第２のハンドル被さり部が前記中折り部で折られて前記差込片が差し込まれる前記保持され部の上方に設けられた片差込部と、からなるハンドル係止部であることを特徴とするハンドル用テーブルである。  
（１４Ａ）＜本願出願人が発明したところのハンドル用テーブル｛１３Ｔ｝＞  
前記（１３Ａ）記載の発明の構成において、抜け阻止部が差込片の側部に縦向き折部により折られ該差込片に折り重ねられる形態であり、片差込部が前記抜け阻止部を重ね状態とした前記差込片が差し込める形態であることを特徴とするハンドル用テーブルである。  
（１５Ａ）＜本願出願人が発明したところのハンドル用テーブル｛１４Ｔ｝＞  
前記（１Ａ）〜（１２Ａ）いずれか記載のハンドル用テーブルにおいて、保持され部をハンドル上に係止するハンドル係止部が前記（１３Ａ）、（１４Ａ）いずれか記載のハンドル係止部であることを特徴とするハンドル用テーブルである。  
（１６Ａ）＜本願出願人が発明したところのハンドル用テーブル｛１５Ｔ｝＞  
自動車のハンドル上に保持される保持され部、この保持され部に保持されてテーブル状態となるテーブル部、前記保持され部をハンドル上に係止するハンドル係止部とからなるハンドル用テーブルであって、前記ハンドル係止部が、前記保持され部の上部に横向き折部で区切られて設けられたハンドル被さり部と、このハンドル被さり部に設けられたハンドルが嵌る孔からなるハンドル嵌り孔と、このハンドル嵌り孔内に奥側に横向き折部で区切られ設けられた、前記ハンドル嵌り孔に嵌ったハンドルに押し起されてハンドルの背部側に当るハンドル当り片と、前記ハンドル嵌り孔内に左側、右側に縦向き折部で区切られ設けられた、前記ハンドル嵌り孔に嵌ったハンドルに押し起されてハンドルの左側側部、右側側部に当るハンドル左当り片、ハンドル右当り片と、からなるハンドル係止部であることを特徴とするハンドル用テーブルである。  
（１７Ａ）＜本願出願人が発明したところのハンドル用テーブル｛１６Ｔ｝＞  
前記（１Ａ）〜（１２Ａ）いずれか記載のハンドル用テーブルにおいて、保持され部をハンドル上に係止するハンドル係止部が請求項１６記載のハンドル係止部であることを特徴とするハンドル用テーブルである。
（１８Ａ）＜請求項２記載の発明＞  
テーブル状態において、  
ハンドル上に保持される保持され部と、  
この保持され部に下部側を支持されるテーブル下支持部と、  
このテーブル下支持部の上部側で手前側を支持され且つ奥側を前記保持され部に支持されるテーブル部と、
前記テーブル下支持部の下部側に設けられた下差込片と、
この下差込片の側部に第１の縦向き折部で区切り設けられた該第１の縦向き折部で折り該下差込片に重ねることができる第１の重ね差込開き片と、
前記保持され部の下方側に設けられた前記下差込片に前記第１の重ね差込開き片を重ね状態にして差し込まれる片差込下支持部と、
前記テーブル部の奥側に設けられた奥差込片と、  
この奥差込片の左側と右側に第２の縦向き折部で区切られ設けられた該奥差込片に該第２の縦向き折部で折り重ねることができる左側と右側の第２の重ね差込開き片と、  
前記テーブル部と前記奥差込片の区切りである横向き折部と、  
前記保持され部の中途に設けられた前記奥差込片に前記左側と右側の第２の重ね差込開き片を重ね状態にして差し込まれる片差込奥支持部と、  
この片差込奥支持部から間隔をあけて上方に設けられた前記保持され部を折り畳むための折畳用折部と、  
前記左側と右側の第２の重ね差込開き片の上下幅が前記折畳用折部を超える上下幅であって、前記奥差込片および前記左側と右側の第２の重ね差込開き片が前記片差込奥支持部に差し込まれて前記保持され部の裏側で折り上げ状態とされ、前記保持され部と前記左側と右側の第２の重ね差込開き片が前記折畳用折部より下方で接着剤やステップラーなどにより接合されてなる接合部と、  
この接合部から上方で前記左側と右側の第２の重ね差込開き片と前記保持され部が分離されてなる分離部と、
からなり、  
前記折畳用折部で折られる保持され部が表側には折ることができるが裏側には前記左側と右側の第２の重ね差込開き片によって折りが阻止され、前記片差込下支持部に前記下差込片とともに差し込まれた前記第１の重ね差込開き片が前記保持され部裏側で開いて、前記片差込下支持部から前記下差込片が抜けないようにしてなり、且つ、前記左側と右側の第２の重ね差込開き片がハンドルの左表側と右表側に当る幅であることを特徴とするハンドル用テーブルである。  
「前記保持され部と前記重ね差込開き片が前記折畳用折部より下方で接着剤やステップラーなどにより接合されてなる接合部と、」とは、片差込奥支持部と折畳用折部との間の略全部の固定、片差込奥支持部と折畳用折部との間の一部の固定を含むものである。
（１９Ａ）＜本願出願人が発明したところのハンドル用テーブル｛１７Ｔ｝＞
前記（１８Ａ）記載の発明の構成において、重ね差込開き片が奥差込片の左右に設けられてなることを特徴とするハンドル用テーブルである。  
（２０Ａ）＜本願出願人が発明したところのハンドル用テーブル｛１８Ｔ｝＞
前記（１８Ａ）、（１９Ａ）いずれか記載の発明の構成において、片差込奥支持部が複数設けられ、重ね差込開き片の接合部に当る部位に剥離紙でカバーされた粘着部が設けられた形態で提供されることを特徴とするハンドル用テーブルである。
（２１Ａ）＜本願出願人が発明したところのハンドル用テーブル｛１９Ｔ｝＞
前記（１Ａ）〜（１２Ａ）いずれか記載のハンドル用テーブルにおいて、保持され部をハンドル上に係止するハンドル係止部が前記（１８Ａ）〜（２０Ａ）いずれか記載のハンドル係止部であるハンドル用テーブルである。
（２２Ａ）＜本願出願人が発明したところのハンドル用テーブル｛２０Ｔ｝＞  
前記（１Ａ）〜（２１Ａ）いずれか記載の発明の構成において、全体がダンボール製板部材で形成されてなることを特徴とするのハンドル用テーブル。  
（２３Ａ）＜本願出願人が発明したところのハンドル用テーブル｛２１Ｔ｝＞
前記（１Ａ）〜（２２Ａ）いずれか記載の発明の構成において、「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とするハンドル用テーブルである。
「印刷等」とは、直接印刷したもの、写真のように焼き付けたもの、印刷や焼付けしたシートを貼り付けたものなど多様な表示形態を技術的範疇に含むものである。
【発明の効果】
【０００７】
以上の説明から明らかなように、本発明にあっては次に列挙する効果を奏する。  
（１Ａ）＜本願出願人が発明したところのハンドル用テーブル｛１Ｔ｝の効果＞  
奥差込片の横幅が該奥差込片の左右がハンドルの左右の表側に当る横幅とした構成であるので、  
（１）  テーブル部の奥差込片が保持され部の片差込奥支持部に差し込まれた状態で保持され部をハンドル上に保持した場合、必ず奥差込片の左右がハンドルの左右の表側に当っり、折下げて確実にハンドルと保持され部の間に挟まれ形態を実現して、抜ける危険のないハンドル用テーブルを実現するという効果を奏する。  
（２）  奥差込片の上下幅が広いほど、保持され部の補強板となって、撓り（反り）難い堅固なハンドル用テーブルを形成するという効果を奏する。これは特に、それほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用感の良いテーブルを形成できるという効果を奏する。  
（４）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を保持され部を持ったままの左手の指で抑え折り下げることが、自然な感じで殆ど抵抗なく行うことができるという効果を奏する。  
（２Ａ）＜本願出願人が発明したところのハンドル用テーブル｛２Ｔ｝の効果＞  
片差込奥支持部および奥差込片が左右いずれか一方の側に寄って配置され、奥差込片の横幅が保持され部の横幅の１／２以上の横幅であり且つ該奥差込片がハンドルの左右一方の表側に当る構成であるので、  
（１）  テーブル部の奥差込片が保持され部の片差込奥支持部に差し込まれた状態で保持され部をハンドル上に保持した場合、奥差込片がハンドルの左右あるいは左右いずれかに必ず当って、確実にハンドルと保持され部の間に挟まれ形態を実現して、抜ける危険のないハンドル用テーブルを実現するとともに、「奥差込片が左右いずれか一方の側に寄って配置され、奥差込片の横幅が保持され部の横幅の１／２以上の横幅」であるので、保持され部が奥差込片により補強されて反り難い状態になるという効果を奏する。これは特に、それほど強靭・堅固ではないダンボール製部材で形成した場合に大変効果的である。  
（２）  奥差込片の上下幅が広いほど、保持され部の補強板となって、撓り反り難い堅固なハンドル用テーブルを形成するという効果を奏する。これは特に、強度がそれほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用感のよいテーブルにできるという効果を奏する。
（４）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を左手の指で抑え折り下げることが、自然な感じ殆ど抵抗なく行うことができるという効果を奏する。  
（３Ａ）＜本願出願人が発明したところのハンドル用テーブル｛３Ｔ｝の効果＞
ハンドル部の奥側に間隔をあけて設けたいずれも保持され部に差し込まれて支持される奥差込片と短片突起部を設け、奥差込部は左右いずれかに寄って配置され且つハンドルの左右表側のいずれかに必ず当る配置とした構成であるので、  
（１）  テーブル部の奥差込片が保持され部の片差込奥支持部に差し込まれた状態で保持され部をハンドル上に保持した場合、奥差込片がハンドルの側部側に必ず当って、確実にハンドルと保持され部の間に挟まれ形態を実現して、抜ける危険のないハンドル用テーブルを実現するとともに、片差込奥支持部と離れた位置で短片突起部でテーブル部のテーブル状態を支持するので、テーブル状態が崩れ難いハンドル用テーブルを実現するという効果を奏する。
（２）  奥差込片と離れた位置で短片突起部での２点支持であるので、奥差込片の横幅を広く取らなくてもよく、保持され部の片差込奥支持部の横幅も狭くてよく、保持され部が折れ難いまた撓り反り難いものにできるという効果を奏する。
（３）  奥差込片の上下幅が広いほど、保持され部の補強板となって、撓り反り難い堅固なハンドル用テーブルを形成するという効果を奏する。これは特に、強度がそれほど強靭・堅固ではないダンボール製部材で形成した場合に大変効果的である。  
（４）  前記（３）によって、保持され部のハンドル下方へのはみ出しを多くでき、その分テーブル部のテーブル状態を下方にできるので、使用しやすいものにできるという効果を奏する。  
（５）  奥差込片が１つであるので、前記（１）の操作を左手で保持され部を持ち、右手で奥差込片を差し込む操作を簡単・容易に素早く行えるとともに、ハンドルの左側に奥差込片の左側が当る位置であるので、裏側に出た奥差込片を左手の指で抑え折り下げることが、自然な感じ殆ど抵抗なく行うことができるという効果を奏する。  
（４Ａ）＜請求項１記載の発明の効果＞
ハンドル部のハンドル状態を支持するテーブル支持部の保持され部への接続支持され形態が、保持され部に設けられた片差込支持部に、テーブル支持部に設けられた差込片に重ね差込開き片を重ねて差し込む形態であるので、  
（１）  差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けないテーブル状態が保持され続けるハンドル用テーブルを実現するという効果を奏する。同時に、差込片に重ね差込開き片を重ねて簡単に抜くことができ、簡単に平板状態にできるという効果を奏する。  
（２）  片差込支持部の長さを長ものにしなくても、重ね差込開き片を保持され部と略同じ端届き幅とすることが可能であり、これにより、重ね差込開き片がハンドルの左右ないしいずれか一方に必ず当り挟まれる形態を実現している。すなわち、保持され部の片差込支持部の左右に残った部分である支持部分の幅を十分に確保して、尚且つ、ハンドルへの確実な当りと保持され部の強化（反り難さ）を得る幅広の差込片を実現するという効果を実現する。
（５Ａ）＜本願出願人が発明したところのハンドル用テーブル｛４Ｔ｝の効果＞
前記（１Ａ）の発明と同様な効果を奏する。  
（６Ａ）＜本願出願人が発明したところのハンドル用テーブル｛５Ｔ｝の効果＞  
前記（１Ａ）の発明と同様な効果を奏する。  
（７Ａ）＜本願出願人が発明したところのハンドル用テーブル｛６Ｔ｝の効果＞  
前記（１Ａ）の発明と同様な効果を奏する。  
（８Ａ）＜本願出願人が発明したところのハンドル用テーブル｛７Ｔ｝の効果＞
請求項１記載の発明と同様な効果を奏する。  
（９Ａ）＜本願出願人が発明したところのハンドル用テーブル｛８Ｔ｝の効果＞
前記（１Ａ）の発明と同様な効果を奏する。  
（１０Ａ）＜本願出願人が発明したところのハンドル用テーブル｛９Ｔ｝の効果＞  
ハンドル部のハンドル状態を支持するハンドル部の保持され部への支持され形態が、保持され部に設けられた片差込支持部に、ハンドル部に設けられた奥差込片に重ね差込開き片を重ねて差し込む形態であるので、  
奥差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けない、テーブル状態が保持され続けるハンドル用テーブルを実現するという効果を奏する。同時に、奥差込片に重ね差込開き片を重ねて簡単に素早く抜きテーブル状態を解除することができ、簡単に平板状態にできるという効果を奏する。  
（１１Ａ）＜本願出願人が発明したところのハンドル用テーブル｛１０Ｔ｝の効果＞
ハンドル部のハンドル状態を支持する左テーブル吊り支持部、右テーブル吊り支持部を有する連絡部の保持され部への接続支持され形態が、保持され部に設けられた片差込支持部に、連絡部に設けられた奥差込片に重ね差込開き片を重ねて差し込む形態であるので、
奥差込片の片差込支持部への差込が根元まで行くと、重ね差込開き片は自然にある程度開きストッパーとなって、差込片が片差込支持部から抜けるのを完全に阻止・ロックした形態を実現して、ハンドルからはずして移動させ動かしても抜けないテーブル状態が保持され続けるハンドル用テーブルを実現するという効果を奏する。同時に、奥差込片に重ね差込開き片を重ねて簡単素早く抜くことができ、簡単にテーブル状態を解除できるという効果を奏する。  
左テーブル吊り支持部、右テーブル吊り支持部がテープ形態や紐形態やダンボール製部材であるばあい、左テーブル吊り支持部、右テーブル吊り支持部は容易に曲がったり折れたりできるので、奥差込片を片差込支持部へ差込だまま平状態に折り畳める。  
（１２Ａ）＜本願出願人が発明したところのハンドル用テーブル｛１１Ｔ｝の効果＞  
前記（１Ａ）〜（８Ａ）いずれか記載の発明の構成において、保持され部の裏側で開いた重ね差込開き片がハンドルの左右一方の表側に当る幅あるいは位置であることを特徴とするのハンドル用テーブルであるので、  
前記（１Ａ）〜（８Ａ）いずれか記載の発明の効果に加えて、  
（１）  奥差込片が保持され部の片差込奥支持部に差し込まれた状態で保持され部をハンドル上に保持した場合、重ね差込開き片がハンドルの左右一方の表側に必ず当って、確実にハンドルと保持され部の間に挟まれる形態あるいは挟まれず抑えられる形態を実現するという効果を奏する。
「挟まれず抑えられる形態」とは、保持され部がハンドルより横幅が狭い場合で、重ね差込開き片が保持され部の外側に突出してハンドルに当る形態をいう。
（２）  重ね差込開き片の上下幅が広いほど、保持され部の補強板となって、反り難い堅固なハンドル用テーブルを形成するという効果を奏する。これは特に、強度がそれほど強靭・堅固ではないダンボール製部材で形成した場合に大変効果的である。  
（３）  前記（２）によって、保持され部のハンドル下方へのはみ出しを多くでき、その分テーブル部のテーブル状態を下方にできるので、使用しやすいものにできるという効果を奏する。  
（４）  ハンドルの左側に奥差込片の左側が当る位置であるので、裏側に出た奥差込片を左手の指で抑え折り下げることが、自然な感じ殆ど抵抗なく行えるという効果を奏する。  
（１３Ａ）＜本願出願人が発明したところのハンドル用テーブル｛１２Ｔ｝の効果＞
折り重なる第１のハンドル嵌り孔側、第２のハンドル嵌り孔側のうちの外側の第２のハンドル嵌り孔の該孔内側に、一辺を接続し抜き形態で形成された側部に抜け阻止部を有する差込片を設け、この差込片が差し込まれる片差込部を保持され部の上方に設けた構成であるので、  
（１）  第１のハンドル嵌り孔側と第２のハンドル嵌り孔側を折重ねて、片差込部に差込片を差し込むことで、第１のハンドル嵌り孔側と第２のハンドル嵌り孔側の重ね状態が固定され、且つ、抜け阻止部により片差込部から差込片が抜けないので固定状態が維持され、接着剤などの接合固定手段を用いることなく二枚重ねの強靭・堅固なハンドル係止部をコスト高を招くことなく形成できるという効果を奏する。  
（２）  使用者に組立を行わせることができるので、接着剤等の他の部材や組立作業の増加をまねかず、コストの増大を招かないという効果を奏する。  
（１４Ａ）＜本願出願人が発明したところのハンドル用テーブル｛１３Ｔ｝の効果＞  
前記（１３Ａ）記載の発明の構成において、抜け阻止部が差込片の側部に縦向き折部により折られ該差込片に折り重ねられる形態であり、片差込部が前記抜け阻止部を重ね状態とした前記差込片が差し込める形態であるので、
このような形態とすることにより、開いた抜け阻止部によって絶対に抜けない差込片の差込固定形態を実現するという効果を奏する。  
（１５Ａ）＜本願出願人が発明したところのハンドル用テーブル｛１４Ｔ｝の効果＞  
前記（１Ａ）〜（１２Ａ）いずれか記載のハンドル用テーブルにおいて、保持され部をハンドル上に係止するハンドル係止部が前記（１３Ａ）、（１４Ａ）いずれか記載のハンドル係止部であることを特徴とするハンドル用テーブルであるので、  
前記（１Ａ）〜（１２Ａ）いずれか記載の発明の効果に加えて前記（１３Ａ）、（１４Ａ）いずれか記載の発明の効果を奏するハンドル用テーブルを実現する。  
（１６Ａ）＜本願出願人が発明したところのハンドル用テーブル｛１５Ｔ｝の効果＞  
ハンドル嵌り孔に嵌ったハンドルの背部側がハンドル当り片に当り、ハンドルの左側、右側がハンドル左当り片、ハンドル右当り片に当る形態であるので、ハンドルの当り部位が切り口ではなく、折れた部位に当るので、押され擦れても削れたり潰れたりし難い丈夫さを実現し、特に紙製ダンボール製部材のような弱い部材で形成されている場合に、ハンドル当り片、ハンドル左当り片、ハンドル右当り片がクッションの役割を果たして、ハンドル嵌り孔の負荷が集中する部位への負荷を緩和するという効果を奏する。この形態は原料の増大も招かずコストの増加を招かない形態を実現している。
特に、柔らかさ、破けやすさ、削れ易さを特性とするダンボール製部材を打抜形成したものにおいて効果的である。
また、背部左右の当り片によりハンドル嵌り孔１５２の縁の強度が強化されるので、変形し難く破れ難い形態を実現するという効果を奏する。
（１７Ａ）＜本願出願人が発明したところのハンドル用テーブル｛１６Ｔ｝の効果＞  
前記（１Ａ）〜（１２Ａ）いずれか記載の発明の効果に加えて、前記（１６Ａ）の発明の効果を奏するハンドル用テーブルを実現する。
（１８Ａ）＜請求項２記載の発明の効果＞  
テーブル構成部中最も上下幅の長い保持され部の中途に折畳用折部を設け、この折畳用折部から間隔をあけた下方に片差込奥支持部を設け、この片差込奥支持部に差し込む奥差込片の側部に重ね差込開き片を設け、且つ、この重ね差込開き片が片差込奥支持部に差し込まれて折上げ状態で片差込奥支持部と折畳用折部の間を接合固定し、折畳用折部から上方を非接合形態の分離部としたので、  
（１）  裏側には前記重ね差込開き片の分離部によって保持され部の折りが阻止されるようにしてなる形態を実現しているので、ハンドルに保持され部を保持した状態ではテーブル部に負荷がかかっても保持され部は折れ反ることがない一枚板としての機能を果たすとともに、ハンドルから外した状態では、折畳用折部で折られる保持され部を表側に折ることができるので、長物の保持され部を折り畳むことができ、折り畳み形態をコンパクトにすることができるという効果を奏する。  
（２）  重ね差込開き片の横幅を広くすることにより奥差込片および片差込奥支持部の横幅を短くすることができる。すなわち、片差込奥支持部の横幅を短くするので、左右の非片差込奥支持部部分が長くなり、保持され部が折れ難い反り難い強靭で堅固なものにできるという効果を奏する。  
（３）  接合部および分離部の横幅が長ければ長いほど折畳用折部での折り反りを阻止する堅固性を強いものにできるのであり、保持され部の強度を弱めることなく重ね差込開き片によりこの形態を実現するという効果を奏する。  
特に奥差込片を略中央にし、その左右に重ね差込開き片を設けた形態では、奥差込片＋左右の重ね差込開き片が保持され部と同じ横幅ないしそれ以上の横幅とできるので、最大の固定横長さと最大横幅の折れ反り阻止の分離部を形成できるという効果を奏する。  
（４）  保持され部を折り畳むことができる形態により、折畳状態での大幅なコンパクト化を実現できるという効果を奏する。例えば：ハンドルよりも横幅の狭い略Ａ４版形態で略Ａ４版の大きさに折り畳むことができる折畳状態がコンパクトなハンドル用テーブルを実現することもでき、略Ａ４版の大きさに折畳提供できるので、雑誌の付録などとして提供できる形態のものを実現可能にするという効果を奏する。  
（１９Ａ）＜本願出願人が発明したところのハンドル用テーブル｛１７Ｔ｝の効果＞
前記（１８Ａ）記載の発明の構成において、重ね差込開き片が奥差込片の左右に設けられてなることを特徴とするハンドル用テーブルであるので、  
前記（１８Ａ）記載の発明の効果の効果に加えて、特に奥差込片を略中央にし、その左右に重ね差込開き片を設けた形態では、奥差込片＋左右の重ね差込開き片が保持され部と同じ横幅ないしそれ以上の横幅とできるので、最大の固定横長さと最大横幅の折れ反り阻止の分離部を形成できるという効果を奏する。  
（２０Ａ）＜本願出願人が発明したところのハンドル用テーブル｛１８Ｔ｝の効果＞  
前記（１８Ａ）、（１９Ａ）いずれか記載の発明の構成において、片差込奥支持部が複数設けられ、重ね差込開き片の接合部に当る部位に剥離紙でカバーされた粘着部が設けられた形態で提供されることを特徴とするハンドル用テーブルであるので、  
前記（１８Ａ）、（１９Ａ）いずれか記載の発明効果に加えて、使用者がハンドルの傾きに合った片差込奥支持部を選んで固定できるという効果を奏する。
（２１Ａ）＜本願出願人が発明したところのハンドル用テーブル｛１９Ｔ｝の効果＞
請求項１〜１２いずれか記載のハンドル用テーブルにおいて、保持され部をハンドル上に係止するハンドル係止部が請求項１８〜２０いずれか記載のハンドル係止部であるハンドル用テーブルであるので、
請求項１〜１２いずれか記載の発明の効果に請求項１８〜２０いずれか記載の発明の効果を加えたハンドル用テーブルを実現する。
（２２Ａ）＜本願出願人が発明したところのハンドル用テーブル｛２０Ｔ｝の効果＞  
前記（１Ａ）〜（１２Ａ）いずれか記載の発明の構成において、全体がダンボール製板部材で形成されてなることを特徴とするのハンドル用テーブルであるので、  
前記（１Ａ）〜（１２Ａ）いずれか記載の発明の効果に加えて、安価に提供でき、広告等の印刷が自在にでき、廃棄物は略全部が回収再利用されるので環境への負担が軽いという効果を奏するハンドル用テーブルを実現する。  
（２３Ａ）＜本願出願人が発明したところのハンドル用テーブル｛２１Ｔ｝の効果＞  
前記（１Ａ）〜（２２Ａ）いずれか記載の発明の構成において、「塗り絵」、「絵本」、「物語」、「小説」、「ゲーム」、「なぞなぞ集や問題集」、「詳細な料理のレシピ集、詳細なガーデニングの解説、詳細な健康に関する解説など生活を支援する詳細な情報・解説・説明」あるいは「学術などについての詳細な解説や説明」が印刷等されていることを特徴とするハンドル用テーブルであるので、  
自動車の車内はもちろん、車外（例えば家）でも楽しめる、読める、生活や知識習得に役立てることができるものとなる。これは、両面でＡ４版〜Ａ３版略８ページに相当する膨大な印刷、表示スペースを活用できるからである。  
特に塗り絵は、一色印刷で済むので印刷コストが安価であり、子供〜大人まで家に持ち込んで楽しめるものである。  
【発明を実施するための最良の形態】
【０００８】
以下、図面に示す発明を実施するための最良の形態により、本発明を詳細に説明する。但し、本発明をそれらのみの技術的範疇に限定する主旨のものではない。また、実施の形態の説明において同一構成部分には同じ符号を付し重複する説明を省略する。
【０００９】
＜本願出願人が発明したところのハンドル用テーブルの実施の形態＞  
主に本願出願人が発明したところのハンドル用テーブル｛１Ｔ｝の実施の形態である。  
図１〜図３に示す本願出願人が発明したところのハンドル用テーブルにおいて１はハンドル用テーブルであって、このハンドル用テーブル１はダンボール製板部材を一発打抜形成により形成したものであり、その構成は次のようになっている。  
テーブル状態において、ハンドル上に保持される保持され部２と、この保持され部２に連絡されたテーブル下支持部３と、このテーブル下支持部３に連絡された奥側を保持され部２に支持されるテーブル部４と、このテーブル部４の奥側に設けられた１つのみの奥差込片５と、保持され部２とテーブル支持部３の区切りである横向き折部６と、テーブル支持部３とテーブル部４の区切りである横向き折部７と、テーブル部４と奥差込片５の区切りである横向き折部８と、保持され部２の中途に設けられた奥差込片５が差し込まれる片差込奥支持部９ａ、９ｂと、保持され部２の最上部に設けられたハンドルに被さるハンドル係止部１０と、このハンドル係止部１０と保持され部２の区切りである横向き折部１１と、この横向き折部１１線上に縁を略同じにして設けられたハンドルの上部が嵌るハンドル嵌り孔１２と、テーブル下支持部３の中央に保持され部２側を根元側にしてその一辺を接続され且つ横向き折部１３として打抜形成された下方に折り下げて膝に挟む膝挟み片１４と、保持され部２の下方に設けられた奥差込片５を差し込む片差込奥支持部１５と、からなり、  
片差込奥支持部９ａあるいは９ｂに差し込まれて下向きに折り下げられた状態でハンドルＡと保持され部２に挟まれた奥差込片５とテーブル下支持部３によってテーブル部４のテーブル状態が保持されるようになっていて、奥差込片５の横幅が該５の左右がハンドルＡの左右の表側に当る横幅である、構成となっている。  
テーブル部４にはドリンクホルダー１６が設けられている。  
【００１０】
図２において、左手（図示せず）に保持され部２を持ち、右手（図示せず）で奥差込片５を片差込奥支持部９ａあるいは９ｂに差し込みいっぱいに押し込む。  
保持される２を保持したままの左手の指で裏側に突き出た奥差込片５を折り下げ抑えて、ハンドル係止部１０をハンドルＡに掛けてセットが完了する。  
片差込奥支持部９ａ、９ｂあるいは３〜５箇所の片差込奥支持部を設け、奥差込片５の差込箇所によってテーブル部のテーブル状態の傾きが変わるので、ハンドルの傾きに合わせることができる。
【００１１】
図２の下図において、ハンドルＡにセットされた状態では、奥差込片５の左側右側がハンドルＡの左側右側の表側に必ず当るようになっていて、その結果、奥差込片５は保持され部２とハンドルＡの間に必ず折り挟まれる形態を実現している。これにより、奥差込片５が抜けることのない安全性を実現している。  
また、奥差込片５の上下幅を広くすることにより、保持され部２の補強板としての役割を強め、保持され部２の厚みが増したと同じ効果を得て、保持され部２が撓り反り難い堅固なものになる。  
これは強靭性や堅固製に弱さのあるダンボール製部材では、大変効果的である。  
保持され部２の堅固性が強化されたことにより、保持され部２のハンドル下方へのはみ出し量（長さ）を増やすことが可能とでき、その分テーブル部４を下方位置とすることができ、使用感のよいものにすることができる。  
【００１２】
図３の上図において、サンバイザーに奥差込片５を掛け、他の部位をフロントに延ばして日除けとして利用している。左右サンバイザーにハンドル用テーブル１を掛け下げることにより、フロントの８０パーセント程度を被うことができる。  
この他、ハンドルに直接被せる、フロントに横に立てかけるなどでもできる。  
図３の下図において、助手席の搭乗者の腿にテーブル下支持部３を載せ、保持され部２をフロントパネルに寄り掛け、奥差込片５を片差込奥支持部１５に差し込み、膝挟み片１４を折り下ろし膝で軽く挟み保持する（以下「腿載せテーブル形態」という）。  
膝挟み片１４の膝挟みにより、走行中でも動かない安心感・安定感のある、ストレスを感じさせない膝載せテーブルを実現する。また、保持され部２が前方立ち壁となっているので、急停止があってもテーブル上のものが落下することが阻止される安全性を実現している。  
【００１３】
形成材料および形成は、紙製のダンボール製板部材の打抜以外に、  
樹脂製のダンボール製板部材の打抜によるもの、
厚紙の打抜によるもの、
紙製ダンボール部材や厚紙に厚手の合成樹脂製コートをほどこしたもの打抜によるもの、
樹脂製メッシュ部材をサンドイッチ形態で設けた紙製ダンボール部材や厚紙の打抜によるもの、
木製合板（ベニヤ板）の打抜ないし切断形成によるもの、
ベニヤ板に軽量化用の５ｍｍほどの多数の穴をあけ打抜ないし切断形成したもの、
射出成形により形成したもの（軽量化を図るため、多数の非貫通穴を裏側に形成する、５ｍｍほどの貫通穴をテーブル部を除く他の部位に形成する、裏面を格子状にするのがよい）、
【００１４】
＜本願出願人が発明したところのハンドル用テーブルの実施の形態＞  
主に本願出願人が発明したところのハンドル用テーブル｛３Ｔ｝の実施の形態である。  
図４、図５に示す本願出願人が発明したところのハンドル用テーブルにおいて２０はハンドル用テーブルであって、このハンドル用テーブル２０の前記ハンドル用テーブル｛１Ｔ｝と主に異なる点は、  
テーブル部４の左奥側に１つのみの奥差込片２１を設け、テーブル部４に奥差込片２１から右側に距離をあけて該２１と同一縁に短片突起部２２を設け、保持され部２に奥差込片２１が差し込まれる片差込奥支持部２３ａ、２３ｂ、２３ｃを設け、保持され部２に短片突起部２２が入る突起入り孔２４ａ、２４ｂ、２４ｃを設けた点にある。
片差込奥支持部２３ａ、２３ｂ、２３ｃのいずれかに差し込まれて下向きに折り下げられた状態でハンドルＡの左側と保持され部２に挟まれた奥差込片２１とテーブル下支持部３によってテーブル部４のテーブル状態が保持されるようになっていて、奥差込片２１が左側に寄って配置され、短片突起部２２が右側に寄って配置され、片差込奥支持部に差し込まれた奥差込片２１がハンドルの左側の表に必ず当り、片差込奥支持部２３ａ、２３ｂ、２３ｃのいずれかに差込折られた奥差込片２１と突起入り孔２４ａ、２４ｂ、２４ｃのいずれかに入っている短片突起部２２とによってテーブル部４のテーブル状態が保持されるようになっている。  
【００１５】
＜本願出願人が発明したところのハンドル用テーブルの実施の形態＞  
主に本願出願人が発明したところのハンドル用テーブル｛２Ｔ｝の発明の実施の形態である。  
図６に示す本願出願人が発明したところのハンドル用テーブルの実施の形態において２７はハンドル用テーブルであって、このハンドル用テーブル２７の前記ハンドル用テーブル｛１Ｔ｝と主に異なる点は、  
奥差込片２８がテーブル部４の左側によって設けられ、保持され部の中途に左側に寄って奥差込片２８が差し込まれる片差込奥支持部２９ａ、２９ｂ、２９ｃが設けられ、ハンドル嵌り孔１２が右側に寄って設けられ、片差込奥支持部に差し込まれて下向きに折り下げられた状態でハンドルＡと保持され部２に挟まれた奥差込片２８とテーブル下支持部３によってテーブル部４のテーブル状態が保持されるようになっていて、奥差込片２８の横幅が保持され部２の横幅の１／２以上の横幅であり且つ奥差込片２８がハンドルＡの左側に当るようにした点である。  
テーブル部４に本等を支持する本支持片３０が設けられている。  
ハンドル嵌り孔１２が右側に寄って設けられているので、ハンドルにセットした状態では奥差込片２８が左側に寄った形態でセットされ、ハンドルの左側表に必ず当って、ハンドルと保持され部２に挟まれる形態を実現するとともに、奥差込片２８の横幅を少なくでき、それにより片差込奥支持部２９ａ、２９ｂ、２９ｃの横幅も少なくできるので、片差込奥支持部２９ａ、２９ｂ、２９ｃ横線上の支持部分（非孔部分＝肉部分）の横幅が広く取れて折れ難い撓み・反り難い保持され部２とすることができる。  
【００１６】
＜本願出願人が発明したところのハンドル用テーブルの実施の形態＞  
主に本願出願人が発明したところのハンドル用テーブル｛９Ｔ｝の発明の実施の形態である。
図７〜図１０に示す本願出願人が発明したところのハンドル用テーブルの実施の形態において３３はハンドル用テーブルであってこのハンドル用テーブル３３は、  
テーブル状態において、ハンドルＡ上に保持される保持され部２と、この保持され部２に連絡されたテーブル下支持部３と、このテーブル下支持部３に連絡され奥側を保持され部２に支持されるテーブル部と４、このテーブル部４の中央奥側に設けられた奥差込片３４と、この奥差込片３４の横に縦向き折部３５で区切られ設けられた奥差込片３４に縦向き折部３５で折り重ねることができる重ね差込開き片３６と、保持され部２とテーブル支持部３の区切りである横向き折部６と、テーブル支持部３とテーブル部４の区切りである横向き折部７と、テーブル部４と奥差込片３４の区切りである横向き折部８と、保持され部２の中途に設けられた奥差込片３４に重ね差込開き片３６を重ね状態にして差し込まれる片差込奥支持部３７ａ、３７ｂ、３７ｃと、からなり、片差込奥支持部３７ａ、３７ｂ、３７ｃのいずれかに奥差込片３４とともに差し込まれた重ね差込開き片３６を保持され部２の裏側で開いて、片差込奥支持部から奥差込片３４が抜けないように重ね差込開き片３６が抜け阻止片として機能するように構成されている。  
【００１７】
図８を参照してハンドル用テーブル３３のハンドルＡへの取付手順を説明する。  
（１）  各折部を数回折って折癖を付ける（図８中（ａ））。  
（２）  重ね差込開き片３６を奥差込片３４に折重ね右手（図示せず）で抑え、左手（図示せず）で保持され部２を持つ（図８中（ｂ））。  
（３）  重ね状態の重ね差込開き片３６と奥差込片３４を片差込奥支持部３７ｂに差し込む（図８中（ｃ））。  
（４）奥差込片３４を根元まで差し込むと重ね差込開き片３６は自然に開いて、抜け阻止片としての機能を果たす（図８中（ｄ））。この状態では、テーブル状態が完全に固定され、抜ける危険の全く無い、移動させても安心のテーブルとなる。  
（５）  左手で保持され部２を持ち保持したままその指で重ね差込開き片３６を抑え保持され部２の裏壁に押し当て、あるいはそのままハンドルＡにハンドル係止部１０を被せハンドル嵌り孔１２にハンドルＡの上部側を嵌め込む（図８中（ｅ））。  
（６）  重ね差込開き片３６はハンドルＡの左側と保持され部２の間に確実に挟まれセット完了となる（図８中（ｆ））。  
【００１８】
図１０は意匠図面であり、実線で表された部分が、部分意匠として意匠登録を受けようとする部分である。  
【００１９】
＜本願出願人が発明したところのハンドル用テーブルの実施の形態＞  
主に本願出願人が発明したところのハンドル用テーブル｛９Ｔ｝の発明の実施の形態である。 
図１１に示す本願出願人が発明したところのハンドル用テーブルの実施の形態において４０はハンドル用テーブルであって、このハンドル用テーブル４０の前記図７〜図１０に示す実施の形態と主に異なる点は、  
保持され部２からテーブル下支持部３の間にかけて、奥差込片３４と重ね差込開き片３６を重ねて差し込む口広の片差込部４１を設け、ハンドル嵌り孔１２内に折目でハンドル係止部１０と折部で区切られた左起し片４３、右起し片４４、後起し片４５、前起し片４６を設けた点にある。  
左起し片４３、右起し片４４、後起し片４５、前起し片４６はハンドルがハンドル嵌り孔１２に嵌ると該ハンドルに押されて起き状態とされ、ハンドル嵌り孔１２縁のハンドルの当接部位が切り口ではない、折り部位となり、ハンドル嵌り孔１２縁が擦れ削れる破けるなどが生じ難いという効果を奏する。また、ハンドル嵌り孔１２の強度が増すという効果を奏する。ハンドル嵌り孔１２の角はＲカットとするのが破け難くてよい。  
腿載せテーブル形態において、テーブル下支持部３の下方に突き出した差込片３４と重ね差込開き片３６は膝に挟まれる。  
また、裏面全面に自動車の塗り絵が印刷されている。花、建物、景色、子供向けに文章つきの絵本（挿絵の部分は塗り絵）などもよい。
【００２０】
＜本願出願人が発明したところのハンドル用テーブルの実施の形態＞  
主に本願出願人が発明したところのハンドル用テーブル｛９Ｔ｝の発明の実施の形態である。 
図１２に示す本願出願人が発明したところのハンドル用テーブルの実施の形態において４８はハンドル用テーブルであって、このハンドル用テーブル４８の前記図７〜図１０に示す実施の形態と主に異なる点は、  
ハンドル嵌り孔１２の内側には奥側に起される後起し片５０が横向き折部５１で区切られ設けられ、  
ハンドル係止部１０の奥側に該１０から離れた位置の中横向き折部５４で区切られ設けられた該１０に折重ねられる重ねハンドル係止部５５を設け、  
このハンドル係止部５５にハンドル嵌り孔１２に重なって重なり嵌り孔を形成するハンドル嵌り孔４９を設け、  
このハンドル嵌り孔４９内側に折部で区切って抜き起し形態に形成した左起し片４３、右起し片４４、前起し片５２を設け、  
重ねハンドル係止部５５の奥側に横向き折部５６で区切られた折端部５７を設け、  
この折端部８７の中央に終端左右に突出した抜け阻止部５８ａ、５８ｂを有する抜止付差込片５９が設けられ、  
保持され部２、横向き折部１１、後起し片５０のいずれかの部位にあるいはそれらを跨いで（図１２では横向き折部１１に接して保持され部２に形成）抜止付差込片５９が差し込まれる抜止付片差込部６０が設けられ、  
重ねハンドル係止部５５を中横向き折部５４で下向で折り上げてハンドル嵌り孔１２にハンドル嵌り孔４９を下方側から重ね、抜止付差込片５９を抜止付片差込部６０に差し込み、この重ね状態でハンドルを下方から嵌め、左起し片４３、右起し片４４、前起し片５２、後起し片５０をハンドル嵌り孔１２内に起すようにし、  
奥差込片５２、重ね差込開き片５３を上下幅の短い形態とした点である。  
ドリンクホルダー１６の内側にはドリンク容器の差込に伴い折り下げられる折下げ片６１が設けられている。  
ハンドル係止部１０と重ねハンドル係止部５５は複雑な構造のように見えるが、横向き折部５４で重ねハンドル係止部５５を折り抜止付差込片５９を抜止付片差込部６０に差し込むという単純・簡単な操作だけでよく、後はハンドルに被せる、上げ外すだけの操作である。  
抜止付片差込部６０は上部側が広く下方側が狭くなっていて、抜止付差込片５９を上部側から差込み幅の狭い根元側に達すると、下方に自然に行って抜け阻止部５８ａ、５８ｂが当り抜けないようになる。  
【００２１】
左起し片４３、右起し片４４、前起し片５２、後起し片５０などの起し片は、ハンドル嵌り孔１２、ハンドル嵌り孔４９の両方に設ける、いずれか一方の設けるなど多様な形態がある。  
【００２２】
＜本発明の第１の実施の形態＞  
主に請求項１記載の発明の実施の形態である。
図１３に示す本発明を実施するための最良の第１の実施の形態において６５はハンドル用テーブルであって、このハンドル用テーブル６５の前記ハンドル用テーブル｛９Ｔ｝の実施の形態と主に異なる点は、  
奥差込片３４の右側に重ね差込開き片３６と同じ形態の重ね差込開き片６６を縦向き折部６７で区切って設けた点にある。  
【００２３】
奥差込片３４および片差込奥支持部３７ａ、３７ｂ、３７ｃの幅を狭くすることができ、保持され部２の折れ難く反り難い堅固性を確保できるとともに、保持され部２の左右が重ね差込開き片３６と重ね差込開き片６６により補強されるんので、より反り難い堅固なテーブル状態の安定したハンドル用テーブルを実現する。
【００２４】
＜本願出願人が発明したところのハンドル用テーブルの実施の形態＞  
主に本願出願人が発明したところのハンドル用テーブル｛１２Ｔ｝、｛１３Ｔ｝の実施の形態である。  
図１４に示す本願出願人が発明したところのハンドル用テーブルの実施の形態においてハンドル用テーブル７０は次のようになっている。図１４はハンドル係止部の部分のみを図示して、その下方側は前記ハンドル用テーブル１と同じであるので図示していない。  
ハンドル用テーブル７０は、  
自動車のハンドル上に保持される保持され部２、この保持され部２に保持されてテーブル状態となるテーブル部４（図示せず）、保持され部２をハンドルＡ上に係止するハンドル係止部７１とからなるハンドル用テーブルであって、  
ハンドル係止部７１が、  
保持され部２の上方に間隔をあけて設けられた下折り部７２、中折り部７３、上折り部７４と、  
下折り部７２と中折り部７３の間に形成された第１のハンドル被さり部７５と、  
中折り部７３と上折り部７４の間に形成された第２のハンドル被さり部７６と、  
上折り部７４の外側に形成された外側部７７と、  
第１のハンドル被さり部７５に設けられたハンドルＡが嵌る下折り部７２と縁を同じ線上にして、中折り部７３からは間隔あけて配置された孔からなる第１のハンドル嵌り孔７８と、  
この第１のハンドル嵌り孔７８の内側に下折り部７２側を保持され部２に連絡して、第１のハンドル嵌り孔７８から抜き形態で形成された起し片７９と、  
第２のハンドル被さり部７６に設けられたハンドルＡが嵌る上折り部７４と縁を同じ線上にして、中折り部７３からは間隔あけて配置された孔からなり、中折り部７３で折り第１の被さり部７５と重ねた状態では第１のハンドル嵌り孔７８と重なる第２のハンドル嵌り孔８０と、  
この第２のハンドル嵌り孔８０の内側に上折り部７４側を外側部７７に連絡して、第２のハンドル嵌り孔８０から抜き形態で形成された差込片８１と、  
この差込片８１の側部に縦向き折部８２により折られ該８１に折り重ねることができる抜け阻止部８３と、  
第２のハンドル被さり部７６が中折り部７３で折られて、抜け阻止部８３が折り重ねられた差込片８１が差し込まれる、保持され部２の上方に設けられた片差込部８４と、からなっている。  
第２のハンドル被さり部７６を下に折り重ねる形態である。  
片差込部８４にいったん差し込まれた抜け阻止部８３および差込片８１は該８３が開いて鉤となり、絶対に抜けることがない折り第１の被さり部７５と第２のハンドル被さり部７６の重なり固定形態を実現する。  
【００２５】
＜本願出願人が発明したところのハンドル用テーブルの実施の形態＞  
主に本願出願人が発明したところのハンドル用テーブル｛１２Ｔ｝、｛１３Ｔ｝の実施の形態である。  
図１５に示す本願出願人が発明したところのハンドル用テーブルの実施の形態において前記ハンドル用テーブル７０と主に異なる点は、  
第２のハンドル被さり部７６を第１のハンドル嵌り孔７８の上に被さる形態とし、これにともない差込片８１を表上方から片差込部８４に折り差し込むことができるようにしたハンドル用テーブル８６を形成した点にある。  
より具体的には、差込片８１の根元首を外側部７７に食い込む長首形態として、横向き折部８７、８８を形成して差込片８１が９０度折り曲がって片差込部８４に差し込まれるようにしている。  
差込片８１が裏側に配置されるので、ハンドル装着状態では美観を損なわない。  
【００２６】
＜本願出願人が発明したところのハンドル用テーブルの実施の形態＞  
主に本願出願人が発明したところのハンドル用テーブル｛１２Ｔ｝の実施の形態である。  
図１６に示す本願出願人が発明したところのハンドル用テーブルの実施の形態において前記ハンドル用テーブル７０と主に異なる点は、  
第２のハンドル嵌り孔８０の内側に、外側部７７側から左右に突出した抜け阻止部９０ａ、９０ｂを有してなる抜止付差込片９１を設け、片差込部８４に変えて抜止付片差込部９２を設けてなるハンドル用テーブル９３を形成した点にある。
抜止付片差込部９２は上部側が広く下方側が狭くなっていて、抜止付差込片９１を上部側から差込み幅の狭い根元側に達すると、下方に自然に行って抜け阻止片９０ａ、９０ｂが当り抜けないようになる。  
【００２７】
＜本願出願人が発明したところのハンドル用テーブルの実施の形態＞  
主に本願出願人が発明したところのハンドル用テーブル｛４Ｔ｝の発明の実施の形態である。
図１７に示す本願出願人が発明したところのハンドル用テーブルの実施の形態においてハンドル用テーブル９５は次のようになっている。  
テーブル状態において、  
上部に設けられたハンドル係止部７１によりハンドルＡ上に掛け保持される保持され部９６と、  
この保持され部９６から分離され該９６の下部側でその下部側を支持されるテーブル下支持部９７と、  
このテーブル下支持部９７に連絡され下方から手前側を支持され且つ保持され部９６に奥側を支持されてテーブル状態となるテーブル部９９と、  
テーブル下支持部９７とテーブル部９９を区切る横向き折部９８と、  
テーブル下支持部９７の下部側に設けられた下差込片１００と、  
この下差込片１００の側部に縦向き折部１０１で折り該下差込片１００に重ねることができる重ね差込開き片１０２と、  
下差込片１００とテーブル下支持部９７を区切る横向き折部１０３と、  
テーブル部９９の奥側の左右に設けられた奥差込片１０４ａ、１０４ｂと、  
この奥差込片１０４ａ、１０４ｂの内側側部に設けられた縦向き折部１０５ａ、１０５ｂで折り該奥差込片１０４ａ、１０４ｂに重ねることができる重ね差込開き片１０６ａ、１０６ｂと、  
奥差込片１０４ａ、１０４ｂとテーブル部９９を区切る横向き折部１１０ａ、１１０ｂと、
保持され部９６の下方側に設けられた下差込片１００に重ね差込開き片１０２を重ね状態にして差し込まれる片差込下支持部１０７ａ、１０７ｂと、  
保持され部９６の中途左右に設けられた奥差込片１０４ａ、１０４ｂに重ね差込開き片１０６ａ、１０６ｂを重ね状態にして差し込まれる片差込奥支持部１０８ａ、１０８ｂ、片差込奥支持部１０９ａ、１９８ｂと、からなり、  
片差込奥支持部１０８ａ、１０８ｂあるいは片差込奥支持部１０９ａ、１９８ｂに奥差込片１０４ａ、１０４ｂとともに差し込まれた重ね差込開き片１０６ａ、１０６ｂが保持され部９６の裏側で開いて、片差込奥支持部から奥差込片１０４ａ、１０４ｂが抜けないようにしてなり、  
片差込下支持部１０７ａ、１０７ｂのいずれかに下差込片１００とともに差し込まれた重ね差込開き片１０２が保持され部９６の裏側で開いて、片差込下支持部から下差込片１００が抜けないようにして、なることを特徴とするハンドル用テーブルである。  
ハンドル係止部７１は第９の実施の形態と同じである。  
【００２８】
ハンドル係止部７１を組立て、ハンドル係止部７１をハンドルＡに被せ保持され部９６をハンドル上に保持する。  
左右の手で奥差込片１０４ａ、１０４ｂに重ね差込開き片１０６ａ、１０６ｂを折り重ね抑えて、片差込奥支持部１０８ａ、１０８ｂあるいは片差込奥支持部１０９ａ、１９８ｂに少し差し込み、左手で保持され部９６を持ち上げ右手で押し込んで差込を完了させる。  
下差込片１００に重ね差込開き片１０２を重ね、片差込下支持部１０７ａ、１０７ｂのいずれかに差し込み、テーブル状態を完成させる。  
【００２９】
＜本願出願人が発明したところのハンドル用テーブルの実施の形態＞  
主に本願出願人が発明したところのハンドル用テーブル｛５Ｔ｝の発明の実施の形態である。
図１８に示す本願出願人が発明したところのハンドル用テーブルの実施の形態においてハンドル用テーブル１１５は次のようになっている。  
テーブル状態において、  
ハンドルＡ上に保持される保持され部９６と、  
この保持され部９６の下部側で連結されたテーブル下支持部９７と、  
このテーブル下支持部９７から分離され該９７に下方から手前側を支持され且つ保持され部９６に奥側を支持されてテーブル状態となるテーブル部９８と、  
テーブル下支持部９７に横向き折部１１９で区切られ設けられた上差込片１１６と、  
この上差込片１１６の横に縦向き折部１１７で区切られ設けられた該上差込片１１６に該縦向き折部１１７で折り重ねることができる重ね差込開き片１１８と、  
テーブル部９９の手前側に設けられた上差込片１１６に重ね差込開き片１１８を重ね状態にして差し込まれる片差込上支持部１２０と、  
テーブル部９９の奥側に横向き折部１２１に区切られ設けられた固定片１２２と、  
この固定片１２２に設けられた剥離紙で覆われた粘着部１２３と、からなり、  
保持され部９６の、テーブル部９９が略水平なテーブル状態となる位置に粘着部１２３により固定片１２２を固定し、  
片差込上支持部１２０に上差込片１１６とともに差し込まれた重ね差込開き片１１８がテーブル部９９上で開いて片差込上支持部１２０から上差込片１１６が抜けないようにしてなるハンドル用テーブルである。  
【００３０】
保持され部９６をハンドルＡにハンドル係止部７１を掛け保持する。  
片差込上支持部１２０に上差込片１１６および差し込まれた重ね差込開き片１１８を差し込み、固定片１２２を保持され部９６に当て、上下に滑らせ移動して、テーブル部９９が略水平な状態となる位置を確認し合わせ位置に印を付け、粘着部１２３の剥離紙を剥がし、印に合わせ固定片１２２を保持され部９６に接着固定（接着接合）する。  
固定片１２２は前もって保持され部９６に固定（接合）された状態で、提供される形態もよい。  
【００３１】
＜本願出願人が発明したところのハンドル用テーブルの実施の形態＞  
主に本願出願人が発明したところのハンドル用テーブル｛７Ｔ｝の発明の実施の形態である。
図１９に示す本願出願人が発明したところのハンドル用テーブルの実施の形態においてハンドル用テーブル１２６は次のようになっている。  
テーブル状態において、  
ハンドル上に保持される保持され部９６と、  
この保持され部９６の下部側に支持される該９６から分離されたテーブル下支持部９７と、  
このテーブル下支持部９７に下方から手前側を支持され且つ保持され部９６に奥側を支持されてテーブル状態となる該９７、９６から分離されたテーブル部９９と、  
テーブル下支持部９７の上部側に横向き折部１３６で区切られ設けられた上差込片１１６と、  
この上差込片１１６の側部に縦向き折部１１７で区切られ設けられた該１１６に折り重ねることができる重ね差込開き片１１８と、  
テーブル下支持部９７の下部側に横向き折部１３５で区切られ設けられた下差込片１２７と、  
この下差込片１２７の側部に縦向き折部１２８で区切られ設けられた該１２７に折り重ねることができる重ね差込開き片１２９と、  
テーブル部９９の奥側中央に横向き折部１３０で区切られ設けられた奥差込片１３１と、  
奥差込片１３１の左右に縦向き折部１３２ａ、１３２ｂで区切られ設けられた該１３１に折り重ねることができる重ね差込開き片１３３ａ、１３３ｂと、  
テーブル部９９の手前側に設けられた上差込片１１６に重ね差込開き片１１８を重ね状態にして差し込まれる片差込上支持部１２０と、  
保持され部９６の下方側に設けられた下差込片１２７に重ね差込開き片１２９を重ね状態にして差し込まれる片差込下支持部１０７ａ、１０７ｂと、  
保持され部９６の中途に設けられた奥差込片１３１に重ね差込開き片１３３ａ、１３３ｂを重ね状態にして差し込まれる片差込奥支持部１３４ａ〜１３４ｃと、からなり、  
片差込上支持部１２０に上差込片１１６とともに差し込まれた重ね差込開き片１１８がテーブル部９９上で開いて、片差込上支持部１２０から上差込片１１６が抜けないようにしてなり、  
片差込下支持部１０７ａ、１０７ｂのいずれかに下差込片１２７とともに差し込まれた重ね差込開き片１２９が保持され部９６の裏側で開いて、片差込下支持部から下差込片１２７が絶対に抜けないようにしてなり、
片差込奥支持部１３４ａ〜１３４ｃのいずれに奥差込片１３１とともに差し込まれた重ね差込開き片１３３ａ、１３３ｂが保持され部９６裏側で開いて、片差込奥支持部から奥差込片１３１が絶対に抜けないようにしてなる、ハンドル用テーブルである。  
【００３２】
保持され部９６側、テーブル下支持部９７側、テーブル部９９側が樹脂製部材とダンボール製部材という別部材とするのもよい。  
保持され部側を樹脂製部材とするのがよく、その場合のハンドル係止部は１つのハンドル嵌め込み孔と一本の横向き折部で十分である。  
ハンドル嵌め込み孔はハンドルの太さよりも幅広（１０ｍｍ〜５０ｍｍ程度の幅広がよい）とするのがよい。  
【００３３】
＜本願出願人が発明したところのハンドル用テーブルの実施の形態＞  
主に本願出願人が発明したところのハンドル用テーブル｛８Ｔ｝の発明の実施の形態である。
図２０に示す本願出願人が発明したところのハンドル用テーブルの実施の形態においてハンドル用テーブル１４０は次のようになっている。
テーブル状態において、  
ハンドルＡ上に保持される保持され部９６と、  
この保持され部９６の下部側で支持される該９６と分離されたテーブル下支持部９７と、  
このテーブル下支持部９７に連絡され下方から手前側を支持され且つ保持され部９６に奥側を支持されてテーブル状態となるテーブル部９９と、  
テーブル下支持部９７とテーブル部９９を区切る横向き折部９８と、  
テーブル下支持部９７の中央下部側に横向き折部１４１で区切られ設けられた下差込片１４２と、  
この下差込片１４２の側部に縦向き折部１４３で折り該１４２に折り重ねることができる重ね差込開き片１４４と、  
テーブル部９９の中央奥側に横向き折部１３９で区切り設けられた奥差込片１４５と、  
この奥差込片１４５の側部に縦向き折部１４６で区切られ設けられた縦向き折部１４６で折り奥差込片１４５に重ねることができる重ね差込開き片１４７と、  
保持され部９６の下方側に設けられた下差込片１４２に重ね差込開き片１４４を重ね状態にして差し込まれる片差込下支持部１０７ａ、１０７ｂと、
保持され部９６の中途中央に設けられた奥差込片１４５に重ね差込開き片１４７を重ね状態にして差し込まれる片差込奥支持部１３４ａ、１３４ｂと、
保持され部９６の上部に横向き折部７２で区切られ設けられたハンドル係止部１５０と、からなり、  
片差込下支持部１０７ａ、１０７ｂのいずれかに下差込片１４２とともに差し込まれた重ね差込開き片１４４が保持され部９６の裏側で開いて、片差込下支持部から下差込片１４２が抜けないようにしてなり、  
片差込奥支持部１３４ａ、１３４ｂのいずれかに奥差込片１４５とともに差し込まれた重ね差込開き片１４７が保持され部９６の裏側で開いて、片差込奥支持部から奥差込片１４５が抜けないようにしてなるハンドル用テーブルである。  
【００３４】
ハンドル係止部１５０は、  
保持され部９６の上部に横向き折部７２で区切られて設けられたハンドル被さり部１５１と、  
このハンドル被さり部１５１に設けられた握り部太さ３０ｍｍのハンドルＡが嵌る孔からなる奥行き略５０ｍｍ×略横幅３００ｍｍのハンドル嵌り孔１５２と、  
このハンドル嵌り孔１５２内に奥側に横向き折部１５３で区切られ設けられた、ハンドル嵌り孔１５２に嵌ったハンドルＡに押し起されてハンドルＡの背部側に当るハンドル当り片１５４と、  
ハンドル嵌り孔１５２内の左側、右側に縦向き折部１５５ａ、１５５ｂで区切られ設けられた、ハンドル嵌り孔１５２に嵌ったハンドルＡに起されてハンドルの左側側部、右側側部に当るハンドル左当り片１５６ａ、ハンドル右当り片１５６ｂと、からなるハンドル係止部である。  
ハンドル嵌り孔１５２の切り口がハンドルに直接当らず、背部左右の当り片によりハンドル嵌り孔１５２の縁の強度が強化されるので、変形し難く破れ難い形態を実現している。
【００３５】
＜本願出願人が発明したところのハンドル用テーブルの実施の形態＞  
主に本願出願人が発明したところのハンドル用テーブル｛６Ｔ｝の発明の実施の形態である。
図２１に示す本願出願人が発明したところのハンドル用テーブルの実施の形態において前記図１９に示す実施の形態と主に異なる点は、重ね差込開き片１３３ａ、１３３ｂを設けない奥差込片１３１の表側に粘着部１５９を設けてなるハンドル用テーブル１６０を形成した点にある。  
ハンドルＡに保持され部９６を保持させ、下差込片１２７および重ね差込開き片１２９を片差込下支持部１０７ａ、１０７ｂのいずれかに差し込み、片差込上支持部１２０に上差込片１１６および重ね差込開き片１１８を差し込み、奥差込片１３１を保持され部９６に当て上下に移動させて、テーブル部９９が水平なテーブル状態となった位置で止め、その位置に最も近い片差込奥支持部１３４ａ〜１３４ｃのいずれかを確認し、粘着部１５９の剥離紙を剥がして確認した片差込奥支持部に奥差込片１３１を差し込み粘着部１５９を保持され部９６の裏側に接着固定する。  
【００３６】
＜本願出願人が発明したところのハンドル用テーブルの実施の形態＞  
主に本願出願人が発明したところのハンドル用テーブル｛１０Ｔ｝の発明の実施の形態である。
図２２に示す本願出願人が発明したところのハンドル用テーブルの実施の形態においてハンドル用テーブル１６５は次のようになっている。  
テーブル状態において、  
ハンドルＡ上に保持される保持され部９６と、  
この保持され部９６の下部側に横向き折部１６６で区切り奥側を支持され設けられたテーブル部１６７と、  
このテーブル部１６７の手前側の左右に連絡された左テーブル吊り支持部１６８、右テーブル吊り支持部１６９と、  
この左テーブル吊り支持部１６８と右テーブル吊り支持部１６９を奥側で連絡する連絡部１７０と、  
左テーブル吊り支持部１６８と右テーブル吊り支持部１６９と連絡部１７０により開口形成された開口部１７１と、  
連絡部１７０の奥側に横向き折部１７２で区切り設けられた奥差込片１７３と、  
この奥差込片１７３の横に縦向き折部１７４で区切られ設けられた該１７３に折り重ねることができる重ね差込開き片１７５と、  
保持され部９６の中途に設けられた奥差込片１７３に重ね差込開き片１７５を重ね状態にして差し込まれる片差込奥支持部１７６ａ、１７６ｂ、１７６ｃと、からなり、  
片差込奥支持部１７６ａ、１７６ｂ、１７６ｃのいずれかに奥差込片１７３および重ね差込開き片１７５が差し込まれ抜けないように支持された状態で、保持され部９６と左テーブル吊り支持部１６８および右テーブル吊り支持部１６９によってテーブル部１６７のテーブル状態が保持されるようになっていて、  
片差込奥支持部１７６ａ、１７６ｂ、１７６ｃのいずれかに奥差込片１７３とともに差し込まれた重ね差込開き片１７５を保持され部９６の裏側で開いて、片差込奥支持部から奥差込片１７５が抜けないようにしてなるハンドル用テーブルである。  
【００３７】
＜本発明の第２の実施の形態＞  
主に請求項２記載の発明の実施の形態である。  
図２３、図２４に示す本発明を実施するための最良の第２の実施の形態においてハンドル用テーブル１８０は次のようになっている。  
テーブル状態において、  
ハンドルＡ上に保持される保持され部９６と、  
この保持され部９６に下部側を支持される該９６から分離されたテーブル下支持部９７と、  
このテーブル下支持部９７の上部側で手前側を支持され且つ奥側を保持され部９６に支持される、テーブル下支持部９７と横向き折部９８で区切られ保持され部９６から分離されてなるテーブル部９９と、  
このテーブル部９９の奥側中央に横向き折部１３９で区切られ設けられた、保持され部９６の略１／３強の横幅である奥差込片１８１と、  
この奥差込片１８１の左右に縦向き折部１８２、１８３で区切られ設けられた該１８１に該１８２、１８３で折り重ねることができる左重ね差込開き片１８４、右重ね差込開き片１８５と、  
テーブル下支持部９７の中央下部側に横向き折部１４１で区切られ設けられた下差込片１４２と、  
この下差込片１４２の側部に縦向き折部１４３で折り該１４２に折り重ねることができる重ね差込開き片１４４と、  
保持され部９６の中途の縦中央線を中心にして設けられた（中央に設けられた）奥差込片１８１に左重ね差込開き片１８４および右重ね差込開き片１８５を重ね状態にして差し込まれる片差込奥支持部１８６と、  
この片差込奥支持部１８６から間隔をあけて上方に設けられた前記保持され部を折り畳むための折畳用折部１８７と、  
奥差込片１８１、左重ね差込開き片１８４および右重ね差込開き片１８５の上下幅が折畳用折部１８７を超える上下幅であって、奥差込片１８１、左重ね差込開き片１８４および右重ね差込開き片１８５が片差込奥支持部１８６に差し込まれて保持され部９６の裏側で折り上げ状態とされ、保持され部９６と奥差込片１８１、左重ね差込開き片１８４および右重ね差込開き片１８５が折畳用折部１８７より下方で接着剤１８９により接合されてなる接合部１８８と、  
この接合部１８８から上方で奥差込片１８１、左重ね差込開き片１８４および右重ね差込開き片１８５と保持され部９６が分離されてなる分離部１９０と、  
保持され部９６の下方に設けられた下差込片１４２に重ね差込開き片１４４て差し込む片差込下支持部１０７ａ、１０７ｂ、１０７ｃと、からなり、  
折畳用折部１８７で折られる保持され部９６が表側には折ることができるが裏側には奥差込片１８１、左重ね差込開き片１８４および右重ね差込開き片１８５によって折りが阻止されるようにしてなるハンドル用テーブルである。  
【００３８】
ハンドル係止部１５０をハンドルＡに被せ掛けてハンドルＡに保持され部９６を保持し、下差込片１４２に重ね差込開き片１４４を片差込下支持部１０７ａ、１０７ｂ、１０７ｃのテーブル部９９の略水平〜水平より手前側が上がり気味となる部位に差し込んでテーブルを形成する。  
重ね差込開き片１４４は開いてハンドルに当り折り上げられるか折りげられるかして、ハンドルＡの左側と保持され部９６に挟ように保持される。  
下差込片１４２は重ね差込開き片１４４を重ね引かない限り該１４４が鉤となり絶対に抜けない安全な形態を実現している。  
図２４の下図において、横向き折部１８７で保持され部９６を上に折り畳み、横向き折部９８でテーブル下支持部９７を下に折り畳む簡単な折り畳みで平状態とできる。  
【００３９】
図１８に示すような形態である、テーブル下支持部９７を保持され部９６に横向き折部６で区切り連絡し、テーブル下支持部９７とテーブル部９９を分離し、テーブル下支持部９７の上部に横向き折部１１９で区切られた上差込片１１６を設け、この上差込片１１６の横に縦向き折部１１７で区切られ該上差込片１１６に折り重ねることができる重ね差込開き片１１８を設け、テーブル部９９の手前側に上差込片１１６に重ね差込開き片１１８を重ね状態にして差し込まれる片差込上支持部１２０を設けてなる形態もよい。  
【００４０】
全体の横幅を略２９７ｍｍ（略Ａ４版）として、横幅および全体の構成部位をその横幅縮小分縮小した形態のものもよい。こうすることにより、Ａ４版の雑誌などの付録として添付できる小型化を実現する。  
よりＡ４版にするために、全体の長さを縮小するのがよい。
【００４１】
片差込奥支持部が複数設けられ、重ね差込開き片の接合部に当る部位に剥離紙でカバーされた粘着部を設け、使用者に提供され、使用者がハンドルの傾きに合わせて片差込奥支持部を選択し、奥差込片１８１、左重ね差込開き片１８４および右重ね差込開き片１８５を選択した片差込奥支持部に差し込み、剥離紙（図示せず）を剥がし接着接合するようにするのもよい。  
【産業上の利用可能性】
【００４２】
本発明は自動車関連グッズを製造する産業、広告産業、パッケージを製造する産業で利用される。
【図面の簡単な説明】
【００４３】
【図１】本願出願人が発明したところのハンドル用テーブルの展開図。
【図２】本願出願人が発明したところのハンドル用テーブルのハンドルにセットした状態の側面図および背面図。
【図３】本願出願人が発明したところのハンドル用テーブルの自動車のサンバイザーに掛け下げて日除けとした状態図および腿に載せたテーブル状態図。
【図４】本願出願人が発明したところのハンドル用テーブルの展開図。
【図５】本願出願人が発明したところのハンドル用テーブルのハンドルにセットした状態の背面図。
【図６】本願出願人が発明したところのハンドル用テーブルの形態の展開図。
【図７】本願出願人が発明したところのハンドル用テーブルの展開図。
【図８】本願出願人が発明したところのハンドル用テーブルのハンドルへの取付手順図。
【図９】本願出願人が発明したところのハンドル用テーブルのハンドルにセットした状態の背面図。
【図１０】実線で表された部分が部分意匠として意匠登録を受けようとする部分である正面図、背面図、右側面図、左側面図、平面図、底面図および中央横切断端面図。
【図１１】本願出願人が発明したところのハンドル用テーブルの展開裏面図。
【図１２】本願出願人が発明したところのハンドル用テーブルの展開図。
【図１３】本発明を実施するための最良の第１の実施の形態の展開図。
【図１４】本願出願人が発明したところのハンドル用テーブルの部分展開図およびハンドルに装着した状態部分側面図。
【図１５】本願出願人が発明したところのハンドル用テーブルの部分展開図およびハンドルに装着した状態部分側面図。
【図１６】本願出願人が発明したところのハンドル用テーブルの部分展開図およびハンドルに装着した状態部分側面図。
【図１７】本願出願人が発明したところのハンドル用テーブルの展開図およびハンドルにセットした状態の側面図。
【図１８】本願出願人が発明したところのハンドル用テーブルの展開図およびハンドルにセットした状態の側面図。
【図１９】本願出願人が発明したところのハンドル用テーブルの展開図およびハンドルにセットした状態の側面図。
【図２０】本願出願人が発明したところのハンドル用テーブルの展開図およびハンドルにセットした状態の側面図。
【図２１】本願出願人が発明したところのハンドル用テーブルの展開図およびハンドルにセットした状態の側面図。
【図２２】本願出願人が発明したところのハンドル用テーブルの展開図およびハンドルにセットした状態の側面図。
【図２３】本発明を実施するための最良の第２の実施の形態の組立分解展開図およびハンドルにセットした状態の組立側面図。
【図２４】本発明を実施するための最良の第２の実施の形態のハンドルにセットした状態の組立背面図および折畳拡大側面図。
【符号の説明】
【００４４】
Ａ：ハンドル、  
１：ハンドル用テーブル、  
２：保持され部、  
３：テーブル下支持部、  
４：テーブル部、  
５：奥差込片、  
６：横向き折部、  
７：横向き折部、  
８：横向き折部、  
９ａ、９ｂ：片差込奥支持部、  
１０：ハンドル係止部、  
１１：横向き折部、  
１２：ハンドル嵌り孔、  
１３：横向き折部、  
１４：膝挟み片、  
１５：片差込奥支持部、  
１６：ドリンクホルダー、  
２０：ハンドル用テーブル、  
２１：奥差込片、  
２２：短片突起部、  
２３ａ、２３ｂ、２３ｃ：片差込奥支持部、  
２４ａ、２４ｂ、２４ｃ：突起入り孔、  
２７：ハンドル用テーブル、  
２８：奥差込片、  
２９ａ、２９ｂ、２９ｃ：片差込奥支持部、  
３０：本支持片、  
３３：ハンドル用テーブル、  
３４：奥差込片、  
３５：縦向き折部、  
３６：重ね差込開き片、  
３７ａ、３７ｂ、３７ｃ：片差込奥支持部、  
４０：ハンドル用テーブル、  
４１：片差込部、  
４３：左起し片、  
４４：右起し片、  
４５：後起し片、  
４６：前起し片、  
４８：ハンドル用テーブル、  
４９：ハンドル嵌り孔、  
５０：後起し片、  
５１：横向き折部、  
５２：奥差込片、  
５３：重ね差込開き片、  
５４：中横向き折部、  
５５：重ねハンドル係止部、  
５６：横向き折部、  
５７：折端部、  
５８ａ、５８ｂ：抜け阻止部、  
５９：抜止付差込片、  
６０：抜止付片差込部、  
６１：折下げ片、  
６５：ハンドル用テーブル、  
６６：重ね差込開き片、  
６７：縦向き折部、  
７０：ハンドル用テーブル、  
７１：ハンドル係止部、  
７２：下折り部、  
７３：中折り部、  
７４：上折り部、  
７５：第１のハンドル被さり部、  
７６：第２のハンドル被さり部、  
７７：外側部、  
７８：第１のハンドル嵌り孔、  
７９：起し片、  
８０：第２のハンドル嵌り孔、  
８１：差込片、  
８２：縦向き折部、  
８３：抜け阻止部、  
８４：片差込部、  
８６：ハンドル用テーブル、  
８７：横向き折部、  
８８：横向き折部、  
９０ａ、９０ｂ：抜け阻止部、  
９１：抜止付差込片、  
９２：抜止付片差込部、  
９３：ハンドル用テーブル、  
９５：ハンドル用テーブル、  
９６：保持され部、  
９７：テーブル下支持部、  
９８：横向き折部、  
９９：テーブル部、  
１００：下差込片、  
１０１：縦向き折部、  
１０２：重ね差込開き片、  
１０３：横向き折部、  
１０４ａ、１０４ｂ：奥差込片、  
１０５ａ、１０５ｂ：縦向き折部、  
１０６ａ、１０６ｂ：重ね差込開き片、  
１０７ａ、１０７ｂ、１０７ｃ：片差込下支持部、  
１０８ａ、１０８ｂ：片差込奥支持部、  
１０９ａ、１９８ｂ：片差込奥支持部、  
１１０ａ、１１０ｂ：横向き折部、  
１１５：ハンドル用テーブル、  
１１６：上差込片、  
１１７：縦向き折部、  
１１８：重ね差込開き片、  
１１９：横向き折部、  
１２０：片差込上支持部、  
１２１：横向き折部、  
１２２：固定片、  
１２３：粘着部、  
１２６：ハンドル用テーブル、  
１２７：下差込片、  
１２８：縦向き折部、  
１２９：重ね差込開き片、  
１３０：横向き折部、  
１３１：奥差込片、  
１３２ａ、１３２ｂ：縦向き折部、  
１３３ａ、１３３ｂ：重ね差込開き片、  
１３４ａ〜１３４ｃ：片差込奥支持部、  
１３５：横向き折部、  
１３６：横向き折部、  
１３９：横向き折部、  
１４０：ハンドル用テーブル、  
１４１：横向き折部、  
１４２：下差込片、  
１４３：縦向き折部、  
１４４：重ね差込開き片、  
１４５：奥差込片、  
１４６：重ね差込開き片、  
１４７：重ね差込開き片、  
１５０：ハンドル係止部、  
１５１：ハンドル被さり部、  
１５２：ハンドル嵌り孔、  
１５３：横向き折部、  
１５４：ハンドル当り片、  
１５５ａ、１５５ｂ：縦向き折部、  
１５６ａ：ハンドル左当り片、  
１５６ｂ：ハンドル右当り片、  
１５９：粘着部、  
１６０：ハンドル用テーブル、  
１６５：ハンドル用テーブル、  
１６６：横向き折部、  
１６７：テーブル部、  
１６８：左テーブル吊り支持部、  
１６９：右テーブル吊り支持部、  
１７０：連絡部、  
１７１：開口部、  
１７２：横向き折部、  
１７３：奥差込片、  
１７４：縦向き折部、  
１７５：重ね差込開き片、  
１７６ａ、１７６ｂ、１７６ｃ：片差込奥支持部、  
１８０：ハンドル用テーブル、  
１８１：奥差込片、  
１８２：縦向き折部、  
１８３：縦向き折部、  
１８４：左重ね差込開き片、  
１８５：右重ね差込開き片、  
１８６：片差込奥支持部、  
１８７：折畳用折部、  
１８８：接合部、  
１８９：接着剤、  
１９０：分離部。